(57)【要約】履物物品（１０）は、アッパー（１２）およびアッパー（１２）と連結されたミッドソール（１４）を含む。ミッドソール（１４）は、架橋組換えレジリンおよび極性非水溶媒を含む固体レジリン材料の少なくとも１つの部分を含む。
2021531107.tif 000002
【特許請求の範囲】
【請求項１】
履物物品（１０）であって、
アッパー（１２）と、
前記アッパー（１２）と連結されたミッドソール（１４）と、を備え、
前記ミッドソール（１４）が、架橋組換えレジリンおよび極性非水溶媒を含む固体レジリン材料の少なくとも１つの部分を含む、履物物品（１０）。
【請求項２】
前記ミッドソール（１４）が、少なくとも１つの露出した接地面を画定する、請求項１に記載の履物物品（１０）。
【請求項３】
前記少なくとも１つの露出した接地面が、前記ミッドソール（１４）のヒール（５２）または前足（５６）領域のうちの１つ内にある、請求項２に記載の履物物品（１０）。
【請求項４】
前記少なくとも１つの露出した接地面が、アウトソールによって被覆されていない、請求項２または３のいずれかに記載の履物物品（１０）。
【請求項５】
前記少なくとも１つの露出した接地面が、前記ミッドソール（１４）と共に成形された、前記固体レジリン材料の少なくとも１つのトレッド（８４）を含む、請求項２〜４のいずれか一項に記載の履物物品（１０）。
【請求項６】
前記少なくとも１つの露出した接地面が、前記アッパー（１２）と反対側の前記ミッドソール（１４）の外面の少なくとも７５％を含む、請求項２〜５のいずれか一項に記載の履物物品（１０）。
【請求項７】
前記極性非水溶媒がグリセロールである、請求項１〜６のいずれか一項に記載の履物物品（１０）。
【請求項８】
前記アッパー（１２）と反対側の前記ミッドソール（１４）の少なくとも外面が、耐摩耗性材料でコーティングされている、請求項１〜７のいずれか一項に記載の履物物品（１０）。
【請求項９】
前記アッパー（１２）が、接着剤またはセメントのうちの少なくとも１つを使用して、前記ミッドソール（１４）に固定されている、請求項１〜８のいずれか一項に記載の履物物品（１０）。
【請求項１０】
前記ミッドソール（１４）が、少なくとも前記接着剤またはセメントの領域内で前記固体レジリン材料に適用されたプライマーを含む、請求項９に記載の履物物品（１０）。
【請求項１１】
前記固体レジリン材料が、カプセル化材料でコーティングされている、請求項１〜１０のいずれか一項に記載の履物物品（１０）。
【請求項１２】
前記カプセル化材料が、タンパク質またはコーンのうちの１つの塩基を含む、請求項１１に記載の履物物品（１０）。
【請求項１３】
前記カプセル化材料が、溶媒系エラストマー接着剤を含む、請求項１１または１２のいずれかに記載の履物物品（１０）。
【請求項１４】
前記ミッドソール（１４）が、前記固体レジリン材料内に埋め込まれたシャンク（７０）を含む、請求項１〜１３のいずれか一項に記載の履物物品（１０）。
【請求項１５】
前記シャンク（７０）が前記固体レジリン材料の内部にある状態で、前記固体レジリン材料が、前記シャンク（７０）の周りに成形されている、請求項１４に記載の履物物品（１０）。
【請求項１６】
前記固体レジリン材料が、一緒に固定された固体レジリン材料の少なくとも２つの層（１４ａ、１４ｂ、または１４ｃ）を含み、
前記シャンク（７０）が、固体レジリン材料の前記２つの層（１４ａ、１４ｂ、または１４ｃ）の間に位置付けられている、請求項１４に記載の履物物品（１０）。
【請求項１７】
前記シャンク（７０）が、前記固体レジリン材料内にインサート成形され、前記固体レジリン材料の外面上に少なくとも部分的に露出されている、請求項１４に記載の履物物品（１０）。
【請求項１８】
前記履物物品（１０）が、ラスティングボード（２４）をさらに含むスニーカーであり、前記アッパー（１２）が、前記ラスティングボード（２４）と共に固定されて、それと共に内部（１８）の足受容キャビティを画定し、
前記ミッドソール（１４）が、前記ラスティングボード（２４）の反対側の前記アッパー（１２）と連結されている、請求項１〜１７のいずれか一項に記載の履物物品（１０）。
【請求項１９】
前記固体レジリン材料が、所望のレベルの緩衝性を提供するように最適化されている、請求項１８に記載の履物物品（１０）。
【請求項２０】
前記履物物品（１０）が、サンダルであり、
前記アッパー（１２）が、１つ以上のストラップを含み、少なくとも１つの開放領域を画定する、請求項１〜１７または１９のいずれか一項に記載の履物物品（１０）。
【請求項２１】
前記サンダルが、フリップフロップの形態であり、
前記アッパー（１２）の前記１つ以上のストラップが、前記固体レジリン材料内の少なくとも１つの穴（８６）を通して前記ミッドソール（１４）に固定されている、請求項２０に記載の履物物品（１０）。
【請求項２２】
前記１つ以上のストラップが、前記ミッドソール（１４）の側壁部に沿って前記ミッドソール（１４）に固定されている、請求項２０に記載の履物物品（１０）。
【請求項２３】
前記ミッドソール（１４）が、異なる物理的性質を有する前記レジリン材料のそれぞれの実装例において、前記レジリン材料の複数の部分（４１４ａ、４１４ｂ、または４１４ｃ）を備える、請求項１〜２２のいずれか一項に記載の履物物品（１０）。
【請求項２４】
前記異なる物理的性質が、前記ミッドソール（１４）内の前記部分（４１４ａ、４１４ｂ、または４１４ｃ）の対応する位置の所望の特性と相関するように選択される、請求項２３に記載の履物物品（１０）。
【請求項２５】
前記レジリン材料の前記部分（４１４ａ、４１４ｂ、または４１４ｃ）のうちの１つが、前記ミッドソール（１４）のヒール（５２）領域内に位置付けられており、前記レジリン材料の前記それぞれの実装例が、少なくとも１つの他の部分（４１４ａ、４１４ｂ、または４１４ｃ）と比較してより高い密度を有する、請求項２４に記載の履物物品（１０）。
【請求項２６】
前記レジリン材料の前記部分（４１４ａ、４１４ｂ、または４１４ｃ）のうちの１つが、前記ミッドソール（１４）の前足（５６）領域内に位置付けられており、前記レジリン材料の前記それぞれの実装例が、少なくとも１つの他の部分（４１４ａ、４１４ｂ、または４１４ｃ）と比較してより低い密度を有する、請求項２４に記載の履物物品（１０）。
【請求項２７】
前記ミッドソール（１４）が、前記固体レジリン材料の複数の別個の部分（４１４ａ、４１４ｂ、または４１４ｃ）を備える、請求項１〜２６のいずれか一項に記載の履物物品（１０）。
【請求項２８】
前記部分（４１４ａ、４１４ｂ、または４１４ｃ）が、架橋溶液または接着剤のうちの少なくとも１つによって一緒に組み立てられている、請求項２７に記載の履物物品（１０）。
【請求項２９】
前記ミッドソール（１４）が、前記固体レジリン材料の単一の成形されたピースからなる、請求項１〜１５または１７〜２２のいずれか一項に記載の履物物品（１０）。
【請求項３０】
前記ミッドソール（１４）が、異なる物理的性質を有する前記固体レジリン材料のそれぞれの実装例において、前記固体レジリン材料の複数の接着層を含む、
請求項１〜２８のいずれか一項に記載の履物物品（１０）。
【請求項３１】
前記ミッドソール（１４）の上の前記アッパー（１２）内に受容されるインソール（２０）をさらに含み、前記インソール（２０）が、前記架橋組換えレジリンおよび前記極性非水溶媒を含む前記固体レジリン材料の少なくとも１つの部分を含む、請求項１〜１９または２３〜３０のいずれか一項に記載の履物物品（１０）。
【請求項３２】
前記固体レジリン材料の前記部分が、非レジリン材料の前記ミッドソール（１４）の１つの部分のキャビティ内に受容されるインサートである、請求項１に記載の履物物品（１０）。
【請求項３３】
前記非レジリン材料が、皮革または石油系エラストマーのうちの少なくとも１つを含む、請求項３２に記載の履物物品（１０）。
【請求項３４】
前記固体レジリン材料が、石油系エラストマーに類似する、少なくとも１つの物理的性質を画定するエラストマーである、請求項１〜３１のいずれか一項に記載の履物物品（１０）。
【請求項３５】
前記石油系エラストマーが、酢酸エチルビニル発泡体である、請求項３４に記載の履物物品（１０）。
【請求項３６】
前記固体レジリン材料が、前記固体レジリン材料のマトリックス中に分布する複数のセルを有する発泡レジリン材料である、請求項１〜３５のいずれか一項に記載の履物物品（１０）。
【請求項３７】
前記ミッドソール（１４）が、前記固体レジリン材料（Ｓ）の前記それぞれのマトリックス（Ｍ）内に分布する異なるサイズのセル（Ｃ）を含む、前記発泡レジリン材料（Ｓ）の複数の部分（４１４ａ、４１４ｂ、または４１４ｃ）を備える、請求項３６に記載の履物物品（１０）。
【請求項３８】
前記異なるサイズのセル（Ｃ）が、異なる相対密度を有する前記発泡レジリン材料（Ｓ）の前記複数の部分をもたらす、請求項３７に記載の履物物品（１０）。
【請求項３９】
前記ミッドソール（１４）が、層内に穿孔（９６）を有する複数の層を含み、前記層が、前記固体レジリン材料内に一緒に積層されている、請求項１に記載の履物物品（１０）。
【請求項４０】
前記ミッドソール（１４）が、一緒に架橋された複数のレジリン材料ビーズを含む独立気泡固体レジリン材料からなる、請求項１に記載の履物物品（１０）。
【請求項４１】
履物物品（１０）を作製するための方法であって、
架橋溶液を有する金型内に、精製された組換えレジリン組成物を配置することと、
前記架橋溶液中で前記組換えレジリン組成物をインキュベートして、固体レジリン材料を生成することと、
前記固体レジリン材料の少なくとも１つの部分を含むミッドソール（１４）を製造することと、
前記ミッドソール（１４）をアッパー（１２）と組み立てることと、を含む、方法。
【請求項４２】
前記ミッドソール（１４）を製造する前に、前記固体レジリン材料を溶媒交換プロセスに供して、前記架橋溶液を実質的に除去し、前記固体レジリン材料を、架橋組換えレジリンおよび極性非水溶媒を含む固体レジリン材料として構成することをさらに含む、請求項４１に記載の履物物品（１０）を作製するための方法。
【請求項４３】
前記極性非水溶媒が、グリセロールである、請求項４２に記載の履物物品（１０）を作製するための方法。
【請求項４４】
前記金型が、前記ミッドソール（１４）の形状を画定し、
前記ミッドソール（１４）を製造することが、前記ミッドソール（１４）全体が前記固体レジリン材料からなるように、前記固体レジリン材料を前記金型から取り出すことを含む、請求項４１〜４３のいずれか一項に記載の履物物品（１０）を作製するための方法。
【請求項４５】
前記ミッドソール（１４）の前記形状が、前記固体レジリン材料のその後の約２０％〜約４０％の収縮を補償するように構成されている、請求項４４に記載の履物物品（１０）を作製するための方法。
【請求項４６】
前記ミッドソール（１４）の前記形状が、少なくとも１つの不可欠な接地特徴を含み、
前記方法が、前記接地特徴上にアウトソール（１６）材料を固定することを含まない、請求項４４または４５のいずれかに記載の履物物品（１０）を作製するための方法。
【請求項４７】
前記インキュベーションが、少なくとも６０℃の温度で、少なくとも１５分間、少なくとも３０分間、少なくとも４５分間、少なくとも６０分間、少なくとも９０分間、または少なくとも２時間にわたって実行される、請求項４１〜４６のいずれか一項に記載の履物物品（１０）を作製するための方法。
【請求項４８】
前記精製された組換えレジリン材料が、発泡剤をさらに含む溶液である、請求項４１〜４６のいずれか一項に記載の履物物品（１０）を作製するための方法。
【請求項４９】
前記発泡剤が、過硫酸アンモニウムおよびキサンタンガムの混合物を含む、請求項４８に記載の履物物品（１０）を作製するための方法。
【請求項５０】
前記精製された組換えレジリン溶液が、ヒュームドシリカおよび重炭酸ナトリウムをさらに含む、請求項４８または４９のいずれかに記載の履物物品（１０）を作製するための方法。
【請求項５１】
前記精製された組換えレジリン溶液が、前記金型内に配置される前に、ボルテックスされ、および加熱されて、前記精製された組換えレジリン溶液中の気泡の発生を促進する、請求項４８〜５０のいずれか一項に記載の履物物品（１０）を作製するための方法。
【請求項５２】
前記架橋溶液中で前記組換えレジリン組成物をインキュベートして固体レジリン材料を生成することにより、前記気泡が、前記固体レジリン材料のマトリックス内に連続気泡を形成することになる、請求項５１に記載の履物物品（１０）を作製するための方法。
【請求項５３】
履物物品（１０）のためのインソール（２０）であって、
架橋組換えレジリンと、前記インソール（２０）の少なくとも１つの部分を画定する極性非水溶媒と、を含む固体レジリン材料を含む、インソール（２０）。
【請求項５４】
前記固体レジリン材料を含む前記インソール（２０）の前記部分が、露出した足支持面を含む、請求項５３に記載のインソール（２０）。
【請求項５５】
前記固体レジリン材料が、インサートまたはスクリムのうちの１つの上に成形されている、請求項５４に記載のインソール（２０）。
【請求項５６】
前記固体レジリン材料を含む前記インソール（２０）の前記部分が、前記インソール（２０）の全体的な形状を画定する、請求項５５に記載のインソール（２０）。
【発明の詳細な説明】
【技術分野】
【０００１】
本開示は、一般に、架橋組換えレジリンおよび極性非水溶媒を含む固体レジリン材料を少なくとも部分的に使用して製造された履物に関する。
【背景技術】
【０００２】
弾性効率、圧縮弾性率、引張弾性率、せん断弾性率、硬度、反発性、および圧縮永久ひずみに関するその潜在的特性に起因して、材料の生成におけるレジリンへの関心が高まっている。レジリンは、石油系エラストマーと比較して、多くの特有の特性を有する。特に、レジリンはタンパク質であるので生分解され得、そのため、石油系ポリマーよりも環境に優しい。また、レジリンは生体適合性であり、したがって、ヒトまたは動物との接触を伴う用途で使用され得る。最後に、組換えレジリンの機械的性質は、多くの特定用途のために設計されたエラストマーを製造するために、タンパク質配列、タンパク質構造、分子間架橋の量、および処理変数を変えることを通じて調整され得る。
【０００３】
石油系エラストマーの代替として特別に処理された固体レジリン材料の有用性が、固体レジリン材料を、かかるエラストマーから作製されるか、またはかかるエラストマーを組み込んだ商品および物品での使用に特に好適にしている。一用途では、様々なタイプのスニーカーを含む履物は、異なるエラストマーを様々な方法で組み込む。所望の機械的性質を有し、大規模で効率的な生産に好適なレジリン組成物およびその作製方法が、同時継続中の同一出願人による米国仮特許出願第６２／７００，１９７号に開示され、参照によりその開示全体が本明細書に組み込まれる。必要とされるのは、エラストマーから作製されている、または作製され得る履物の様々な部分に適した固体レジリン材料、ならびに履物のかかる部分の構成、およびレジリンの固有の特性を利用するそれらの製造方法である。
【発明の概要】
【課題を解決するための手段】
【０００４】
本開示の少なくとも１つの態様では、履物物品は、アッパーおよびアッパーと連結されたミッドソールを含む。ミッドソールは、架橋組換えレジリンおよび極性非水溶媒を含む固体レジリン材料の少なくとも１つの部分を含む。
【０００５】
様々な実施形態では、固体レジリン材料は、石油系エラストマーの物理的性質に類似する少なくとも１つの物理的性質を画定するエラストマーであり得る。一実施例では、石油系エラストマーは、酢酸エチルビニル発泡体であり得る。
【０００６】
追加のまたは代替の実施形態では、ミッドソールは、少なくとも１つの露出した接地面を画定し得る。この少なくとも１つの露出した接地面は、ミッドソールのヒール領域または前足領域のうちの１つ内にあり得、アウトソールによってさらに被覆されないことがある。
【０００７】
様々な実施形態では、履物物品は、スニーカーであり得、ラスティングボードをさらに含み、アッパーは、ラスティングボードに固定されて、ラスティングボードと共に内部の足受容キャビティを画定し、ミッドソールは、ラスティングボードと反対側のアッパーと連結される。さらなる実施形態では、履物物品は、サンダルであり得、アッパーは、１つ以上のストラップを含み得、少なくとも１つの開放領域を画定する。
【０００８】
少なくとも別の態様では、履物物品を作製するための方法は、架橋溶液を有する金型内に、精製された組換えレジリン組成物を配置することと、組換えレジリン組成物を架橋溶液中でインキュベートして固体レジリン材料を生成することと、固体レジリン材料の少なくとも１つの部分を含むミッドソールを製造することと、ミッドソールをアッパーと組み立てることと、を含む。様々な実施形態では、本方法は、ミッドソールを製造する前に、固体レジリン材料を溶媒交換プロセスに供して、架橋溶液を実質的に除去し、固体レジリン材料を、架橋組換えレジリンおよび極性非水溶媒を含む固体レジリン材料として構成することをさらに含み得る。
【０００９】
少なくとも別の態様では、履物物品のためのインソールは、架橋組換えレジリンと、インソールの少なくとも１つの部分を画定する極性非水溶媒と、を含む固体レジリン材料を含む。一実施形態では、固体レジリン材料を含むインソールのこの部分は、露出した足支持面を含み得る。さらにまたはあるいは、固体レジリン材料を含むインソールのこの部分は、インソールの全体的な形状を画定し得る。
【００１０】
本装置のこれらおよび他の特徴、利点、および目的は、以下の明細書、特許請求の範囲、および添付の図面を検討して、当業者によってさらに理解および認識されるであろう。
前述の概要、ならびに本発明の以下の詳細な説明は、添付の図面と併せて読むと、より良く理解されるであろう。例証目的で、本開示の特定の態様が、図面に示されている。しかしながら、本開示は、示される正確な配置および手段に限定されないことを理解されたい。図面は、必ずしも縮尺通りではない。本発明の特定の特徴は、明確化および簡潔化のために、スケールが誇張されているか、または概略的な形態で示されていることがある。
【図面の簡単な説明】
【００１１】
【図１】本開示の一態様による、スニーカーの正面斜視図である。
【図２】スニーカーの正面斜視分解図である。
【図３】スニーカーのミッドソールの正面斜視分解図である。
【図４】発泡レジリン材料の２つの試料の正面斜視図である。
【図５Ａ】固体レジリン材料の積層穿孔構造体の分解斜視図である。
【図５Ｂ】固体レジリン材料の積層穿孔構造体の上面立面図である。
【図６】固体レジリン材料の積層穿孔構造体のさらなる実施例の上面立面図である。
【図７Ａ】固体レジリン材料の積層穿孔構造体のさらなる実施例の分解斜視図である。
【図７Ｂ】固体レジリン材料の積層穿孔構造体のさらなる実施例の上面立面図である。
【図８】本開示の別の態様による、スニーカーの正面斜視図である。
【図９】スニーカーの正面斜視分解図である。
【図１０】スニーカーの底面斜視図である。
【図１１】本開示の一態様による、サンダルの正面斜視図である。
【図１２】本開示の一態様による、代替サンダルの正面斜視図である。
【図１３】本開示の別の態様による、スニーカーの正面斜視図である。
【図１４】スニーカーの正面斜視分解図である。
【図１５】スニーカーの一部の底面斜視図である。
【発明を実施するための形態】
【００１２】
本発明の様々な実施形態の詳細が、以下の説明に記載される。本発明の他の特徴、目的、および利点は、説明および図面から、ならびに特許請求の範囲から明らかになるであろう。
【００１３】
定義
別途定義されない限り、本明細書で使用されるすべての技術用語および科学用語は、本開示が関連する技術分野の当業者に一般に理解されるのと同じ意味を有する。
【００１４】
「１つの（ａ）」および「１つの（ａｎ）」および「その（ｔｈｅ）」という用語、ならびに本明細書で使用される同様の指示対象は、別様に本明細書に記載されるか、または文脈に明確に矛盾しない限り、単数形および複数形の両方を指す。
【００１５】
「約」、「およそ」、または「に類似する」という用語は、当業者によって決定される特定の値の許容誤差範囲内を意味し、許容誤差範囲は、値が測定または決定される方法、もしくは測定システムの限界に部分的に依存し得る。以下に記載されるすべての範囲および量が近似であり、本発明を限定することを意図しないことを理解されたい。範囲および数値が使用される場合、これらは、統計の範囲または測定誤差もしくは変動を含むように近似され得る。いくつかの実施形態では、例えば、測定値は、プラスまたはマイナス１０％であり得る。
【００１６】
アミノ酸は、それらの１文字コードまたはそれらの３文字コードによって言及され得る。１文字コード、アミノ酸名、および３文字コードは、次のとおりである。Ｇ−グリシン（Ｇｌｙ）、Ｐ−プロリン（Ｐｒｏ）、Ａ−アラニン（Ａｌａ）、Ｖ−バリン（Ｖａｌ）、Ｌ−ロイシン（Ｌｅｕ）、Ｉ−イソロイシン（ｌｉｅ）、Ｍ−メチオニン（Ｍｅｔ）、Ｃ−システイン（Ｃｙｓ）、Ｆ−フェニルアラニン（Ｐｈｅ）、Ｙ−チロシン（Ｔｙｒ）、Ｗ−トリプトファン（Ｔｒｐ）、Ｈ−ヒスチジン（Ｈｉｓ）、Ｋ−リジン（Ｌｙｓ）、Ｒ−アルギニン（Ａｒｇ）、Ｑ−グルタミン（Ｇｉｎ）、Ｎ−アスパラギン（Ａｓｎ）、Ｅ−グルタミン酸（Ｇｌｕ）、Ｄ−アスパラギン酸（Ａｓｐ）、Ｓ−セリン（Ｓｅｒ）、Ｔ−スレオニン（Ｔｈｒ）。
【００１７】
「含む（ｉｎｃｌｕｄｉｎｇ）」、「含む（ｉｎｃｌｕｄｅｓ）」、「有する（ｈａｖｉｎｇ）」、「有する（ｈａｓ）」、「有する（ｗｉｔｈ）」という用語、またはそれらの変形は、「含む（ｃｏｍｐｒｉｓｉｎｇ）」という用語と同様に包括的であることが意図される。
【００１８】
本明細書で使用される場合、「微生物（ｍｉｃｒｏｂｅ）」という用語は、微生物（ｍｉｃｒｏｏｒｇａｎｉｓｍ）を指し、単細胞生物を指す。本明細書で使用される場合、この用語は、すべての細菌、すべての古細菌、単細胞原生生物、単細胞動物、単細胞植物、単細胞真菌、単細胞藻類、すべての原生動物、およびすべてのクロミスタを含む。
【００１９】
本明細書で使用される場合、「天然」という用語は、天然の変更されていない状態で自然界にみられるものを指す。
【００２０】
「任意選択の」または「任意選択で」という用語は、その特徴もしくは構造が存在しても存在しなくてもよいこと、または事象もしくは状況が生じても生じなくてもよいこと、ならびに、その記載が、特定の特徴もしくは構造が存在する場合およびその特徴もしくは構造が存在しない場合、またはその事象もしくは状況が生じる場合およびその事象もしくは状況が生じない場合を含むことを意味する。
【００２１】
本明細書で使用される場合、「分泌された画分」という用語は、細胞によって産生される全レジリンと比較した、細胞から分泌される組換えレジリンの画分を指す。
【００２２】
本明細書で使用される場合、「分泌シグナル」という用語は、ポリペプチドと融合されたときに、そのポリペプチドの細胞からの分泌を媒介する短いペプチドを指す。
【００２３】
本明細書で使用される場合、「分泌型レジリンコード配列」という用語は、本明細書で提供されるようなレジリンをコードするヌクレオチド配列であって、そのＮ末端で分泌シグナルに融合され、任意選択でそのＣ末端でタグペプチドまたはポリペプチドに融合されている、ヌクレオチド配列を指す。
【００２４】
ポリペプチド（例えば、レジリン）に関して本明細書で使用される場合、「組換え」という用語は、組換え宿主細胞内で産生されるポリペプチド、または組換え核酸から合成されるポリペプチドを指す。
【００２５】
本明細書で使用される場合、「組換え宿主細胞」という用語は、組換え核酸を含む宿主細胞を指す。
【００２６】
本明細書中で使用される場合、「組換え核酸」という用語は、その天然に存在する環境から取り出された核酸、または天然に見出されたときにその核酸に隣接もしくは近接する核酸の全部もしくは一部と関連しない核酸、または天然には連結されていない核酸と機能的に連結された核酸、または天然には存在しない核酸、または天然にはその核酸に見出されない修飾（例えば、人工的に、例えば、ヒトの介入によって導入された挿入、欠失、もしくは点変）を含有する核酸、または異種部位において染色体に組み込まれた核酸を指す。この用語は、クローニングされたＤＮＡ単離物、および化学合成されたヌクレオチド類似体を含む核酸を含む。
【００２７】
本明細書で使用される場合、「ベクター」という用語は、連結されている別の核酸を輸送することができる核酸分子を指す。ベクターの１つのタイプは「プラスミド」であり、これは、一般に、追加のＤＮＡセグメントがライゲートされ得る環状の二本鎖ＤＮＡループを指すが、ポリメラーゼ連鎖反応（ＰＣＲ）による増幅から、または制限酵素による環状プラスミドの処理から生じるものなどの線状の二本鎖分子も含む。他のベクターとしては、バクテリオファージ、コスミド、細菌人工染色体（ＢＡＣ）、および酵母人工染色体（ＹＡＣ）が挙げられる。別のタイプのベクターは、追加のＤＮＡセグメントがウイルスゲノム内にライゲートされ得るウイルスベクターである。あるベクターは、それらが導入された細胞において自律的複製することができる（例えば、細胞において機能する複製起点を有するベクター）。他のベクターは、細胞への導入時に、細胞のゲノムに組み込まれ得、それによって、細胞ゲノムと共に複製される。
【００２８】
アミノ酸または核酸配列に関して本明細書で使用される場合、「反復」という用語は、ポリヌクレオチドまたはポリペプチド（例えば、連結配列）中に２回以上存在するサブ配列を指す。ポリヌクレオチドまたはポリペプチドは、介在配列なしで反復配列の直接反復を有し得るか、または介在配列を有する反復配列の非連続反復を有し得る。アミノ酸または核酸配列に関して本明細書で使用される場合、「準反復」という用語は、ポリヌクレオチドまたはポリペプチドにわたって不正確に反復される（すなわち、準反復サブ配列の一部が準反復間で可変である）サブ配列である。反復するポリペプチドおよびＤＮＡ分子（またはポリペプチドもしくはＤＮＡ分子の一部）は、反復サブ配列（すなわち、正確な反復）または準反復サブ配列（すなわち、不正確な反復）のいずれかで構成され得る。
【００２９】
本明細書で使用される場合、「天然レジリン」という用語は、昆虫によって産生されたエラストマーポリペプチドまたはエラストマータンパク質を指す。天然レジリンの非限定的な例のＧｅｎＢａｎｋアクセッション番号は、以下のＮＣＢＩ配列番号を含む。ＸＰ  ００２０３４１７９（セイシェルショウジョウバエ）、ＮＰ  ９９５８６０（キイロショウジョウバエ）、ＮＰ  ６１１１５７（キイロショウジョウバエ）、Ｑ９Ｖ７Ｕ０（キイロショウジョウバエ）、ＡＡＳ６４８２９、ＡＡＦ５７９５３（キイロショウジョウバエ）、ＥＧＩ５７８０５、ＡＥＱ４９４３８、ＸＰ００３３９９６７５、ＡＥＱ４９４３４、ＡＥＱ４９４３７、ＸＰ  ０１２０５８３３３、ＸＰ  ００６５６３１６５、ＸＰ  ０１１１８４１５７、ＸＰ  ００１８４３１４５、ＸＰ  ０１５０１１７３７、ＸＰ  ００８２０９０９７、ＸＰ  ００１６０５１３７、ＸＰ  ００２４２８６３７、ＸＰ  ０１１１６５９３３、ＮＰ  ００１１８２３２９、ＸＰ  ０１４２２０２９１、およびＡＤＭ２６７１７。
【００３０】
本明細書で使用される場合、「修飾」という用語は、機能的特性が、天然タンパク質または天然ポリペプチドの特性の１０％以内に保存されている、天然タンパク質またはポリペプチド配列と組成が異なるタンパク質またはポリペプチド配列を指す。いくつかの実施形態では、修飾タンパク質またはポリペプチドと天然タンパク質またはポリペプチドとの間の違いは、一次配列（例えば、１つ以上のアミノ酸が除去、挿入、または置換されている）または翻訳後修飾（例えば、グリコシル化、リン酸化）にあり得る。アミノ酸欠失は、タンパク質からの１つ以上のアミノ酸の除去を指す。アミノ酸挿入は、１つ以上のアミノ酸残基が、タンパク質またはポリペプチドに導入されることを指す。アミノ酸挿入には、単一または複数のアミノ酸のＮ末端および／またはＣ末端における融合、ならびに配列内挿入が含まれ得る。アミノ酸置換としては、非保存的置換および保存的置換が挙げられ、保存的アミノ酸置換の表は、当該技術分野において周知である（例えば、Ｃｒｅｉｇｈｔｏｎ  （１９８４）  Ｐｒｏｔｅｉｎｓ．  Ｗ．Ｈ．  Ｆｒｅｅｍａｎ  ａｎｄ  Ｃｏｍｐａｎｙ  （Ｅｄｓ）参照）。いくつかの実施形態では、修飾タンパク質またはポリペプチドと天然タンパク質またはポリペプチドとのアミノ酸またはヌクレオチド配列の同一性は、アミノ酸またはヌクレオチド塩基の少なくとも６０％、少なくとも６５％、少なくとも７０％、少なくとも７５％、少なくとも８０％、少なくとも８５％、少なくとも９０％、少なくとも９５％、または少なくとも９８％である。
【００３１】
本明細書で使用される場合、「短縮型」という用語は、天然タンパク質またはポリペプチドよりも短い長さのタンパク質またはポリペプチド配列を指す。いくつかの実施形態では、短縮型タンパク質またはポリペプチドは、天然タンパク質またはポリペプチドの長さの１０％超、または２０％超、または３０％超、または４０％超、または５０％超、または６０％超、または７０％超、または８０％超、または９０％超であり得る。
【００３２】
本明細書で使用される「相同体」または「実質的類似性」という用語は、ポリペプチド、核酸またはその断片に言及する場合、適切なアミノ酸またはヌクレオチドの挿入または欠失によって、別のアミノ酸もしく核酸（またはその相補鎖）と最適に整列化されたときに、前述のようなＦＡＳＴＡ、ＢＬＡＳＴ、またはＧａｐのような配列同一性の任意の周知のアルゴリズムによって測定されたときに、アミノ酸またはヌクレオチド塩基の少なくとも６０％、少なくとも６５％、少なくとも７０％、少なくとも７５％、少なくとも８０％、少なくとも８５％、少なくとも９０％、少なくとも９５％、または少なくとも９８％において、アミノ酸またはヌクレオチド配列の同一性が存在することを示す。
【００３３】
本明細書で使用される場合、「レジリン」という用語は、架橋してエラストマーを形成し得るタンパク質もしくはポリペプチドを指し、このタンパク質もしくはポリペプチドは、天然レジリン、修飾された天然レジリン、または短縮された天然レジリンである。本発明のレジリンは、好ましくは、組換えレジリンである。いくつかの実施形態では、組換えレジリンは、宿主細胞から異種発現および分泌された、（例えば、昆虫から単離された）レジリンまたはレジリン断片をコードする天然のまたは修飾された（例えば、短縮または連結された）ヌクレオチド配列を含む。好ましい実施形態では、分泌型組換えレジリンタンパク質は、宿主細胞の細胞外溶液から収集される。
【００３４】
本明細書で使用される場合、「エラストマー」という用語は、粘弾性および典型的には弱い分子間力（分子間の共有結合性架橋が存在する場合、それを除く）を有するポリマーを指す。粘弾性は、変形を受けたときに粘性特性および弾性特性の両方を示し、したがって、時間依存性ひずみを示す材料の特性である。弾性は、秩序固体中の結晶面に沿った結合伸縮と関連付けられ、粘性は、非晶質材料内の原子または分子の拡散の結果である。したがって、粘弾性であるエラストマーは、一般に、他の材料と比較して、低いヤング率および高い破壊ひずみを有する。材料の粘性成分のため、粘弾性材料は、荷重が印加された後に除去されると、エネルギーを放散する。この現象は、粘弾性材料の応力−ひずみ曲線におけるヒステリシスとして観察される。荷重が印加されるときには、特定の応力−ひずみ曲線があり、荷重が除去されると、除荷時の応力−ひずみ曲線は、印加中の応力−ひずみ曲線とは異なる。放散されるエネルギーは、印加曲線と除荷曲線との間の面積である。
【００３５】
本明細書で使用される場合、「非水」という用語は、水ではない１つ以上の化合物を主に含む溶媒を指す。これには、溶媒として存在する水の割合の全体的な減少をもたらす、溶媒との溶媒交換プロセスに供された組成物、すなわち、水が、溶媒としての非水分子に置き換えられた組成物が含まれる。いくつかの実施形態では、非水溶媒は、５０％未満の水を含む溶媒である。架橋レジリン組成物のための溶媒に関して本明細書で使用される極性非水溶媒は、レジリンを溶解し得る任意の非水溶媒を指す。
【００３６】
本明細書で使用される場合、「連結」という用語は（連結する、連結している、連結されたなど、そのすべての形態において）、一般に、２つの構成要素を互いに直接的または間接的に接合することを意味する。かかる接合は、本質的に静止していてもよく、または本質的に可動であってもよい。かかる接合は、２つの構成要素と、互いに単一の単体ボディーとして統合される任意の追加の中間部材とを用いて、もしくは２つの構成要素を用いて達成される（例えば、アッパーは、アウトソールに直接、またはそれらの間に位置付けられたミッドソールを介して連結され得る）。かかる接合は、別段の記載がない限り、本質的に永久的であってもよく、本質的に取り外し可能または解除可能であってもよい。
【００３７】
本明細書における値の範囲の列挙は、本明細書に別段の記載がない限り、範囲内に含まれる各個別の値を個別に参照する簡略法として機能することのみを意図しており、各個別の値は、本明細書に個別に列挙されるかのように本明細書に組み込まれる。
【００３８】
図面を参照するとき、反対に明確に指定されている場合を除き、描写される物品が様々な代替の配向を取り得ることを理解されたい。添付の図面に示され、以下の明細書に記載される特定の物品、構成要素、およびプロセスは、添付の特許請求の範囲に定義される概念の単なる例示であることも理解されたい。したがって、特許請求の範囲で別途明示的に記載されない限り、本明細書に開示される実施形態に関連する特定の寸法および他の物理的特性は、限定的なものとみなされるべきではない。様々な実施形態の詳細が、以下の説明に記載される。他の特徴、目的、および利点は、説明から明らかになるであろう。本明細書で別途定義されない限り、使用される科学用語および技術用語は、当業者に一般的に理解される意味を有するものとする。さらに、文脈によって別段に要求されない限り、単数形の用語は複数形の用語を含み、複数形の用語は単数形を含むものとする。「１つの（ａ）」および「１つの（ａｎ）」という用語は、文脈がそうでないことを示さない限り、複数の言及を含む。一般に、本明細書に記載される生化学、酵素学、分子細胞生物学、微生物学、遺伝学、ならびにタンパク質および核酸化学およびハイブリダイゼーションと関連して使用される専門用語は、当該技術分野で周知であり、一般的に使用されているものである。
【００３９】
本明細書に記載されたものと類似または同等の方法および材料も使用可能であり、当業者には明らかであろうが、例示的な方法および材料が以下に記載される。本明細書で言及されるすべての刊行物、および他の参考文献は、それらの全体が参照により組み込まれる。矛盾がある場合、定義を含めて、本明細書が優先する。材料、方法、および例は単なる例示であり、限定することを意図するものではない。
【００４０】
図１に例示される実施形態を参照すると、参照番号１０は、一般に、履物物品、具体的にはスニーカーの形態のものを指定する。スニーカー１０は、アッパー１２およびアッパー１２に固定されたミッドソール１４を含む。ミッドソール１４は、架橋組換えレジリン固体および極性非水溶媒を含むレジリン材料の少なくとも１つの部分を含む。
【００４１】
組換えレジリン材料および製造方法
本明細書に提供されるのは、組換えレジリンを含む一般的な組成物の概要、および、別段の記載がない限り、以下に記載されるものを含む、組換えレジリンを使用し得る様々な最終製品の間で共通であり得るそれらの製造のための方法である。これらの組成物および方法は、一般に、上記の’１９７出願に記載されているものと同様である。この点に関して、本開示を進める、組成物および方法の様々な態様に関する実施例および詳細が、本明細書に記載される。
【００４２】
レジリンは、石油系エラストマーと比較して、多くの特有の性質を有する。
最も顕著なことに、少なくともその多くの自然発生的用途において、レジリンは、変形に入力されたエネルギーがほとんど熱として失われない、極めて高い弾性効率（すなわち、弾力性）を有する。レジリンの他の望ましい特性は、例えば、レジリンの圧縮弾性率、引張弾性率、せん断弾性率、硬度、反発性、および圧縮永久ひずみに関する。さらに、レジリンは、タンパク質であり、したがって、生分解され得るため、石油系ポリマーよりも環境に優しい。また、レジリンは生体適合性であり、したがって、ヒトまたは動物との接触を伴う用途で使用され得る。最後に、組換えレジリンの機械的性質は、多くの特定用途のために設計されたエラストマーを製造するために、タンパク質配列、タンパク質構造、分子間架橋の量、および処理変数を変えることを通じて調整され得る。
【００４３】
様々な機械的性質を有する様々な架橋レジリン組成物、およびそれらの製造方法が本明細書に記載されている。本明細書にはまた、大型バッチで実行され得、以前の方法と比較して、架橋反応から残された不純物による劣化がほとんどないかあるいは全くない結果をもたらす、レジリン組成物を架橋して、様々な例示的な架橋レジリン固体を形成する方法も提供される。いくつかの実施例では、架橋反応は、レジリンを過硫酸アンモニウムなどの過硫酸塩に暴露することを含む。過硫酸塩によって触媒される架橋反応を開始するために、熱が加えられ得る。いくつかの実施例では、得られた組換えレジリン組成物が、以下に考察され、図面に示される様々な実施例で考察される特定の形状または形態を有するように、架橋は容器または金型内で発生する。
【００４４】
本明細書に提供される架橋レジリン固体組成物はまた、以下に考察されるように、履物の例を含む特定の用途での使用に好適であると判断される弾性率、硬度、最大弾性圧縮負荷、弾力性、材料寿命／疲労などに関して選択された機械的性質を提供する、極性非水溶媒を含む架橋レジリン組成物を含む。いくつかの実施形態では、この組成物は、レジリン組成物との溶媒交換を実行して、水性溶媒を非水溶媒に置き換えることによって作製される。他の用途では、溶媒交換は、架橋溶液または溶媒を、架橋溶液によっては実現されない可能性のある、劣化に対する耐性を含む、最終製品に寄与する特性のために選択される溶媒に置き換えるために行われ得る。架橋レジリンとの溶媒交換が可能な溶媒としては、自身の非架橋形態内にレジリンを溶解させる溶媒が挙げられる。
【００４５】
いくつかの実施例では、非水溶媒は、不揮発性かつ水溶性または極性である。いくつかの実施形態では、溶媒の分子量は、約１００以下である。さらなる実施例では、極性非水溶媒は、プロピレングリコール、グリセロール、エチレングリコール、４００〜１，０００，０００の様々な分子量のポリエチレングリコールなどの、水と混合されるか、またはニート溶液として使用される不揮発性水混和性溶媒を含む。別の実施例では、極性非水溶媒は、Ｂ）１−エチル−３−メチルイミダゾリウムアセテートおよび１−ブチル−３−メチルイミダゾリウムブロミドなどのニートな、または水と混合された（７０：３０のＩＬ：水〜３０：７０のＩＬ：水）溶液としてのイオン性液体を含み得る。特に、１：１で水と混合されると、１−エチル−３−メチルイミダゾリウムアセテートが、２０重量％でレジリンを溶解するだけでなく、水と混合されると、架橋反応がこの溶媒中でも起こり得る。この溶液は、イオン性液体の吸湿性のために、経時的に脱水しない。他の極性非水溶媒を有するレジリン材料の実施例が可能であり、その追加の実施例が、’１９７出願に与えられている。
【００４６】
レジリン組成物
天然レジリンの例は、コンセンサスアミノ酸配列ＹＧＸＰ（式中、Ｘはアミノ酸である）を含む複数の反復単位を含むＮ末端Ａドメイン（「Ａリピート」）と、キチン結合タイプＲＲ−２（Ｃ）ドメインと、コンセンサスアミノ酸配列ＵＹＺＸＺ（式中、Ｕはグリシンまたはセリンであり、Ｚはセリン、グリシン、アルギニン、またはプロリンであり、Ｘは任意のアミノ酸である）を含む複数の反復単位を含むＣ末端Ｂドメイン（「Ｂリピート」）と、を含み得る。すべての天然に存在するレジリンがＡ、Ｃ、およびＢドメインを有するわけではない。様々な昆虫によって産生される天然レジリンは通常、Ａおよび／またはＢドメイン内に不正確な反復（すなわち、準反復）を有し、準反復間に何らかのアミノ酸変異を有する。本開示による組換えレジリンの様々な実施例は、同様に、上記の組み込まれた’１９７出願においてより詳細に記載されるアミノ酸および残基のモチーフの様々なコンセンサス配列内に１つ以上のＡリピートおよび１つ以上のＢリピートを含み得る。さらに、組換えレジリンのいくつかの実施例は、１つ以上のＡリピート、１つ以上のＢリピート、および／または１つ以上のＣドメインを含む。さらなる実施例では、組換えレジリンは以下を含む、すなわち、１つ以上のＡ反復または１つ以上のＢ反復であるが両方ではない、１つ以上のＡ反復であるがＢ反復またはＣドメインではない、１つ以上のＢ反復であるがＡ反復またはＣドメインではない。組換えレジリンがＣドメインを含む実施例では、Ｃドメインは、ＡリピートまたはＢリピートのＮ末端側もしくはＣ末端側のいずれか、またはＡリピートとＢリオイートとの間に位置し得る。組換えレジリンのいくつかの実施例は、ＡリピートまたはＢリピートのＮ末端側に位置し得る、アミノ酸を含有する追加の配列をさらに含み得る。
【００４７】
いくつかの実施例では、組換えレジリンは、非天然環境で発現された完全長天然レジリンである。いくつかの実施形態では、組換えレジリンは、天然レジリンの短縮バージョンを含む。いくつかの実施形態では、短縮型天然レジリンは、少なくとも１つのＡリピートを含む。いくつかの実施形態では、短縮型天然レジリンは、少なくとも１つのＢリピートを含む。完全長および短縮型の天然レジリンの非限定的な実施例が、上述の’１９７出願に提供されている。いくつかの実施例では、組換えレジリンは、非天然の様式で架橋（例えば、より少ないまたはより多い架橋、異なるアミノ酸残基を介した架橋）された完全長または短縮型の天然レジリンである。実施例のいくつかでは、組換えレジリンは、様々な程度に短縮された修飾完全長レジリンまたは天然レジリンである。
【００４８】
いくつかの実施例では、修飾レジリンは、修飾レジリンが、完全長または短縮型天然レジリンとは１つ以上の異なる位置、および／または異なる量、および／または異なるタイプの翻訳後修飾を有するように、翻訳後修飾された（例えば、グリコシル化された、リン酸化された）アミノ酸残基において、完全長または短縮型天然レジリンとは異なる。いくつかの実施形態では、修飾レジリンは、修飾レジリンが、完全長または短縮型天然レジリンよりも１つ以上の異なる位置、および／または異なる量、および／または異なるタイプの架橋に関与するアミノ酸を有するように、架橋に関与するアミノ酸残基において、完全長または短縮型天然レジリンとは異なる。いくつかのかかる実施形態では、修飾レジリンは、１つ以上の追加の、もしくはより少ないチロシン残基、１つ以上の追加の、もしくはより少ないリジン残基、および／または１つ以上の追加の、もしくはより少ないシステイン残基を含む点で、完全長または短縮型天然レジリンとは異なる。
【００４９】
いくつかの実施例では、組換えレジリンは、連結された天然もしくは短縮型天然レジリンまたは連結された修飾レジリンを含む。いくつかの実施例では、連結された天然もしくは短縮型天然レジリンまたは連結された修飾レジリンは、少なくとも２個のＡリピート（例えば、２個、３個、４個、５個、６個、７個、８個、９個、１０個、またはそれ以上）を含む。いくつかの実施形態では、連結された短縮型天然レジリンまたは連結された修飾レジリンは、少なくとも２個のＢリピート（例えば、２個、３個、４個、５個、６個、７個、８個、９個、１０個、またはそれ以上）を含む。
【００５０】
架橋
いくつかの実施形態では、組換えレジリンは、特定の組換えレジリン組成物を得るために、様々な方法に従って架橋され得る。架橋後に得られる固体の所望の形状を達成するために、架橋剤を有する所望の溶媒中の組換えレジリンが、金型に充填され得る。結果得られる組換えレジリン固体の実施例が、図１〜１５にあり、以下にさらに考察される。
【００５１】
様々な実施例では、架橋は、レジリン内にジ−およびトリチロシン架橋を引き起こしてレジリン固体を形成するために、チロシン残基を介して達成され得る。他の実施例では、架橋は、リジン残基を介して達成され得る。いくつかの実施例では、架橋は、システイン残基を介して達成され得る。いくつかの実施例では、架橋は、トランスグルタミナーゼまたはポリ（エチレングリコール）（ＰＥＧ）を使用し得る。他の実施例では、組換えレジリンは、（例えば、西洋ワサビペルオキシダーゼを使用して）酵素架橋を介して架橋され得る。本方法は、レジリンの大型溶液を効率的に架橋し得る一方、得られる架橋生成物は、架橋レジリン固体中に共有結合的に組み込まれた活性酵素を含む。この活性酵素は、得られたレジリン固体中に残されると、レジリンのタンパク質骨格の分解を引き起こし得るラジカル鎖反応をもたらす可能性がある。他の実施例では、組換えレジリンは、光化学架橋を介して架橋され得るが、かかる架橋は、金型全体で光活性化が必要とされる反応には効率的ではない可能性がある。
【００５２】
分解を防止し、エネルギー吸収の量および形態が重要である特定の用途に好ましいいくつかの機械的性質を有する固体物質を作製し得る追加の架橋化学の例が、’１９７出願に開示されている。いくつかのかかる実施例では、組換えレジリンは、（様々な濃度で）過硫酸アンモニウムを含む溶媒、および熱の適用（例えば、約８０℃の温度で約２．５時間インキュベーション、この出願には、加熱およびインキュベーション温度の他の例が提供されている）を介して架橋され得る。いくつかの実施例では、他の過硫酸塩が使用され得る。
【００５３】
溶媒交換レジリン固体
架橋レジリンは、水性溶媒中で形成され得、エネルギー吸収および剛性が所望される特定の用途にはあまり好適でない低い硬度および弾性率を有する組成物をもたらす。いくつかの実施例では、水性溶媒を極性非水溶媒に置き換えて所望の材料特性を提供するために、架橋レジリン組成物に対して溶媒交換が行われ得る。上述のように、極性非水溶媒は、プロピレングリコール、グリセロール、エチレングリコール、４００〜１，０００，０００の様々な分子量のポリエチレングリコールなどの、水と混合されるか、またはニート溶液として使用される不揮発性水混和性溶媒を含み得る。別の実施例では、極性非水溶媒は、１−エチル−３−メチルイミダゾリウムアセテートおよび１−ブチル−３−メチルイミダゾリウムブロミドなどの、ニート溶液としての、または水と混合（７０：３０のＩＬ：水〜３０：７０のＩＬ：水）されたイオン性液体を含み得る。上述のように、１：１で水と混合されると、１−エチル−３−メチルイミダゾリウムアセテートが、２０重量％でレジリンを溶解するだけでなく、水と混合されると、架橋反応が、この溶媒内でも起こり得る。この溶液は、イオン性液体の吸湿性および低蒸気圧のために、経時的に脱水しない。本明細書に記載されるように、弾性率、硬度、最大弾性圧縮負荷、弾力性、および材料寿命／疲労を含む架橋レジリン組成物の材料特性は、溶媒交換を使用して調整され得る。架橋レジリンと溶媒交換を行うことが可能な溶媒としては、自身の非架橋形態内にレジリンを溶解させる溶媒が挙げられる。さらに、以下でさらに考察されるように、低蒸気圧溶媒と水との交換は、レジリンがエラストマー性を維持するために一定レベルの水和に依存するため、レジリン材料がエラストマー性を維持する持続時間を増大させる。水性溶媒は比較的短い期間で蒸発し、その結果、レジリンが硬質固体になる。極性非水溶媒は、蒸発に対してより耐性があり、結果生じるレジリン材料に及ぼす影響が限定される。
【００５４】
いくつかの実施例では、レジリンの水性溶媒を極性非水溶媒に置き換えるための溶媒交換は、熱の存在下で、例えば、約６０℃の温度で行われ得る。いくつかの実施形態では、溶媒交換プロセスは、レジリン固体に対する交換溶媒の体積の少なくとも１倍、少なくとも２倍、少なくとも５倍、少なくとも１０倍、または少なくとも２０倍を含有する溶液中で行われる。いくつかの実施形態では、溶媒交換は、少なくとも１時間、少なくとも２時間、少なくとも４時間、少なくとも８時間、少なくとも１６時間、少なくとも２４時間、または少なくとも４８時間にわたって行われる。いくつかの実施例では、グリセロール、プロピレングリコール、エチレングリコール、またはＤＭＳＯが、架橋レジリン固体組成物用の交換溶媒として使用される。
【００５５】
いくつかの実施例では、交換溶媒の選択および使用される濃度は、溶媒設計から、剛性、耐摩耗性などの所望の調整可能な機械的性質を達成するように選択され得る。これは、所望の用途（例えば、靴のアウター、ゴルフボールなど）に応じて選択され得る。さらに、上記溶媒交換プロセスによって、および非水溶媒中で形成される架橋レジリン組成物の実施例は、水系架橋レジリン固体と比較して、室温で長期間にわたって安定であり得る。さらに、水系レジリン固体は、非水溶媒系レジリン固体と比較して、より低い材料強度を呈する可能性がある。さらに、本明細書で考察される組換えレジリン組成物は、水性溶媒中の架橋組換えレジリンよりも大きい弾性率を有し得る。
【００５６】
いくつかの実装例では、本明細書に記載の架橋レジリン組成物は、５０以上、４０以上、３０以上、２０以上、１０以上、１０〜５０、４０、３０、もしくは２０、２０〜５０、４０、もしくは３０、３０〜５０、もしくは４０、または４０〜５０の（ＡＳＴＭ  Ｄ２２４０に従って測定され得る）ショアＯＯ硬度を有し得る。さらなる実施例では、組換えレジリン組成物は、（ＡＳＴＭ  Ｄ２２４０に従ってショアＯＯデュロメータを使用して測定された）少なくとも１０の硬度、または（ＡＳＴＭ  Ｄ２２４０に従ってショアＯＯデュロメータを使用して測定された）約１０〜約５０の硬度を有し得る。
【００５７】
さらなる実施例では、本明細書に記載の組換えレジリン組成物は、（ＡＳＴＭ  Ｄ７１２１によって測定された）約４０％〜約６０％の反発弾性率を示し得る。さらなる実施例では、本明細書に記載の組換えレジリン組成物は、（ＡＳＴＭ  Ｄ５７５によって測定された）約６ｐｓｉ〜約８ｐｓｉの２５％ひずみにおける圧縮応力を示し得る。さらなる実施例では、本明細書に記載の組換えレジリン組成物は、（ズウィック圧縮試験によって測定された）２ｋＮ未満の圧縮力で弾性−塑性遷移を受けることがない。
【００５８】
弾力性、圧縮弾性率、引張弾性率、せん断弾性率、破断までの伸度、最大引張強度、硬度、剛性、および反発性など、上記に従って達成された様々な特定のレジリン組成物の固体材料特性は、使用される溶媒、および溶媒交換がどのように行われるかに基づいて、調整され得る。レジリン固体中のレジリン濃度、および全レジリンの一部としての完全長レジリンの量も、架橋レジリン固体組成物の材料特性に影響を与えるように調整され得る。様々な実施例では、本明細書に記載されるように、水系レジリン組成物（すなわち、水性溶媒中の架橋レジリン組成物）を極性非水系レジリン組成物（すなわち、極性非水溶媒中の架橋レジリン組成物）に置き換えるための溶媒交換は、同様の弾力性および同様の弾性を有するより堅い材料をもたらし得る。
【００５９】
発泡レジリン固体
いくつかの実施形態では、組換えレジリン組成物は、発泡材料である。いくつかの実施形態では、組換えレジリン発泡体を調製する方法は、架橋組換えレジリン固体組成物を水性溶媒中に提供することと、この水性溶媒を極性非水溶媒と交換することと、１つ以上の気泡を架橋組換えレジリン固体組成物に導入することと、を含む。当技術分野で既知の気泡を導入する任意の方法が、ここで使用され得る。例えば、気泡を導入する方法としては、ボルテキシング、ミキシング、酵母の添加、および化学反応が挙げられるが、これらに限定されない。いくつかの実施形態では、１つ以上の気泡の導入は、架橋組換えレジリン固体組成物が提供されると同時に起こり得る。いくつかの実施形態では、１つ以上の気泡の導入は、架橋組換えレジリン固体組成物が提供された後に起こり得る。
【００６０】
発泡剤は通常、２つの方法のうちの１つでポリマー発泡体を作製するために、ポリマー材料中に導入される。一方の技術によれば、化学発泡剤がポリマーと混合される。化学発泡剤は、通常、ポリマーが溶融している条件下で、ポリマー材料中で化学反応を受け、ガスの形成を引き起こす。化学発泡剤は、一般に、特定の温度で分解し、窒素、二酸化炭素、または一酸化炭素などのガスを放出する低分子量有機化合物である。
【００６１】
例示的な化学発泡剤としては、重炭酸ナトリウム、重炭酸カリウム、アンモニウム、アゾジカルボンアミド、イソシアネート、ヒドラジン、イソプロパノール、５−フェニルテトラゾール、トリアゾール、４，４’オキシビス（ベンゼンスルホニルヒドラジド）（ＯＢＳＨ）、トリヒドラジントリアジン（ＴＨＴ）、リン酸水素、酒石酸、クエン酸、およびトルエンスルホニルセミカルバジド（ＴＳＳ）が挙げられるが、これらに限定されない。
【００６２】
いくつかの実施形態では、発泡剤、増粘剤、および／または硬化剤が、組換えレジリン固体に添加される。例示的な発泡剤としては、キサンタンガム、ドデシル硫酸ナトリウム、ラウリル硫酸アンモニウム、ウシ血清アルブミンが挙げられるが、これらに限定されない。例示的な増粘剤としては、ヒュームドシリカおよびキサンタンガムが挙げられるが、これらに限定されない。例示的な硬化剤としては、脂肪族ポリアミン、脂肪族ポリアミド、芳香族ポリアミン硬化剤、無水物硬化剤、三フッ化ホウ素硬化剤、および硬化剤（ジシアンジアミド）が挙げられるが、これらに限定されない。
【００６３】
別の技術によれば、物理的発泡剤、すなわち、周囲条件下でガスである流体が、溶融ポリマーストリーム内に注入されて混合物を形成する。混合物が圧力低下を受け、ポリマー中で発泡剤を膨張させ、気泡（セル）を形成させる。いくつかの実施形態では、必要な圧力は、約５００ｐｓｉ〜約２０００ｐｓｉ、例えば、約６００ｐｓｉ〜約１０００ｐｓｉ、約７００ｐｓｉ〜約１５００ｐｓｉ、および約８００ｐｓｉ〜約２０００ｐｓｉである。いくつかの実施形態では、必要な圧力は、約５００ｐｓｉである。
【００６４】
例示的な物理的発泡剤としては、クロロフルオロカーボン（ＣＦＣ）、溶解窒素、Ｎ２、ＣＨ４、Ｈ２、Ｃ０２、Ａｒ、ペンタン、イソペンタン、ヘキサン、メチレンジクロリド、およびジクロロテトラフルオロエタンが挙げられるが、これらに限定されない。
【００６５】
機械的性質
本開示によって導出され得るレジリン組成物のさらなる実施例は、架橋レジリンを含む組成物と比較して、異なる特性を有し得る。いくつかの実施例では、本明細書に提供される組成物は、様々な発泡体などを含む合成弾性またはエラストマー材料と比較して、同様の特性を有し得る。かかる特性の非限定的な例としては、弾力性、圧縮弾性率、引張弾性率、せん断弾性率、硬度、反発性、および圧縮永久ひずみが挙げられる。特定の機械的性質を有する組成物を得るために変更され得るパラメータとしては、例えば、組換えレジリンの長さおよび／または配列、組換えレジリンの翻訳後修飾の程度および／または種類、組換えレジリンの架橋の程度および／または種類、ならびに架橋レジリン組成物の溶媒の性質が挙げられる。
【００６６】
最大引張強度、圧縮弾性率、引張弾性率、せん断弾性率、破断までの伸度、および弾力性などの機械的性質は、エラストマー試料に対して応力−ひずみ測定を行う多くの異なるタイプの引張および圧縮システムを使用して測定され得る。これらの特性を試験するための様々な可能なプロセスおよび方法、ならびに本開示に従って導出され得るレジリン化合物の様々な値が、’１９７出願に記載されている。
【００６７】
本明細書に提供される組成物は、特に航空宇宙、自動車、スポーツ機器、防振、履物、および衣類における用途を含むが、これらに限定されない多くの用途を有する。これらのカテゴリからのいくつかの用途が、非限定的な例として列挙されている。望ましい弾性効率により、レジリンは、機械的エネルギーを貯蔵および回収するためのエネルギー貯蔵デバイス（例えば、ゴムバンド）として使用され得る。自動車用サスペンションシステムは、高速でバンプを乗り越え、およびポットホールを通過する際に道路上でタイヤの接触をより多く維持するために、レジリンブッシュを適用することによって改善され得る。さらに、異なって調整された機械的性質を有するレジリンには、ゴルフボールのコア、テニスラケットのグリップ、ゴルフクラブのグリップ、テーブルテニスのパドルを含む、多くのスポーツ機器用途がある。
【００６８】
特に関心の高い用途が、本明細書に提供されるレジリン組成物の特有の特性に起因した、履物である。インソールまたはミッドソールとして、レジリンは、フットストライクを緩衝することと、そのフットストライクからのエネルギーのより多くを前へ進む運動量として回復させることと、によって、靴の快適さおよび生物効率を向上し得る。ミッドソールとして、レジリンは、ミッドソール全体を構成するか、または別の材料（例えば、耐擦傷性もしくは耐摩耗性材料、またはトラクション用に調整された材料）内に、その特性を補完するように封入され得る。レジリンミッドソールはまた、以下でさらに考察されるように、強化された性能（例えば、より柔らかいヒールストライクエリアおよびよりしっかりとしたアーチサポート）を提供するために協調して機能する、異なって調整された機械的性質を有する複数のレジリン材料を含有し得る。
【００６９】
ベクター、宿主細胞、および発酵
’１９７出願でさらに開示されているように、開示されたベクターを含む組換え宿主細胞は内で使用され得、上述の様々な配列によるものを含む、レジリンタンパク質を生成するための発酵。いくつかの実施例では、提供されるベクターは、そのＮ末端で分泌シグナルに、およびに任意選択でそのＣ末端でタグペプチドまたはポリペプチドに融合したレジリンポリペプチドをコードする分泌型レジリンコード配列を含む。いくつかの実施例では、ベクターは、特定の宿主細胞内での発現のためにコドン最適化された分泌型レジリンコード配列を含む。
【００７０】
’１９７出願でさらに考察されるように、好適な分泌シグナルは、本明細書で提供される組換え宿主細胞内でポリペプチドの分泌を媒介する分泌シグナルである。分泌型レジリンコード配列によってコードされたレジリンは、タグペプチドまたはタグポリペプチドにさらに融合され得る。いくつかの実施例では、ベクターは、単一の分泌型レジリンコード配列を含む一方、他の実施例では、ベクターは、２つ以上（例えば、３つ、４つ、または５つ）の分泌型レジリンコード配列を含む。分泌型レジリンコード配列は、同一であり得る。あるいは、分泌型レジリンコード配列のうちの少なくとも２つは、同一ではない。分泌型レジリンコード配列のうちの少なくとも２つが同一でない場合、この少なくとも２つの分泌型レジリンコード配列は、それらがコードするレジリンにおいて、および／または分泌シグナルおよび／または任意のタグペプチドもしくはタグポリペプチドにおいて、互いに異なり得る。
【００７１】
いくつかの実施例では、ベクターは、分泌型レジリンコード配列の発現を駆動するように、分泌型レジリンコード配列に作動可能に連結されているプロモータを含む。さらなる実施例では、ベクターは、分泌型レジリンコード配列の転写の終結をもたらすように、分泌型レジリンコード配列に作動可能に連結されているターミネータを含む。ベクターが２つ以上のレジリンコード配列を含む実施例では、この２つ以上のレジリンコード配列は、同一のプロモータおよび／またはターミネータに、もしくは２つ以上の異なるプロモータおよび／またはターミネータに、作動可能に連結され得る。
【００７２】
提供されるベクターは、組換え宿主細胞内でのベクターの増殖に好適な要素をさらに含み得る。かかる要素の非限定的な例としては、細菌の複製起点および選択マーカー（例えば、抗生物質耐性遺伝子、栄養要求性マーカー）が挙げられる。細菌の複製起点および選択マーカーは、当該技術分野で既知である。いくつかの実施形態では、選択マーカーは、薬物耐性マーカーである。薬物耐性メーカーは、細胞が、そうでなければ細胞を殺すであろう外因的に添加された薬物を解毒することを可能にする。
【００７３】
本開示のベクターは、宿主細胞のゲノム中の特定の位置への分泌型レジリンコード配列の組み込みを導く標的配列をさらに含み得る。かかる標的配列の非限定的な例としては、宿主細胞のゲノム中に存在するヌクレオチド配列と同一であるヌクレオチド配列が挙げられる。
【００７４】
組み換え宿主細胞であり、記載のベクターを含み得る。いくつかの実施例では、ベクターは、例えば、相同組換えまたは標的組み込みを介して、組換え宿主細胞のゲノム（例えば、染色体）内に安定して組み込まれる。他の実施例では、ベクターは、組換え宿主細胞のゲノム内に安定的に組み込まれておらず、むしろ染色体外である。組換え宿主細胞は、哺乳動物、植物、藻類、真菌、または微生物起源であり得る。「組換え宿主細胞」という用語は、特定の対象細胞だけでなく、かかる細胞の子孫を指すことを意図することを理解されたい。突然変異または環境の影響により、特定の改変が次の世代で発生する可能性があるため、かかる子孫は、実際には、親細胞と同一ではない可能性があるが、本明細書で使用される「組換え宿主細胞」という用語の範囲内に含まれる。いくつかの実施例では、組換え宿主細胞は、本明細書に提供される組換えレジリンの産生を改善する遺伝子組み換えを含み得る。
【００７５】
組換え宿主細胞は、好適な起源をベクターで形質転換することによって生成される。かかる形質転換のために、ベクターは環化されるか、または線形であり得る。ベクターを含む組換え宿主細胞形質転換体は、例えば、細胞の成長を支持する、もしくは細胞の成長に抗する選択を可能にするベクターによってコードされる薬物耐性マーカーもしくは栄養要求性マーカーを発現することによって、または他の手段（例えば、ベクターに含まれる発光ペプチドの検出、個々の組換え宿主細胞コロニーの分子分析、例えば、制限酵素マッピング、ＰＣＲ増幅、または単離された染色体外ベクターもしくは染色体組み込み部位の配列分析によって）によって、容易に同定され得る。いくつかの実施例では、本明細書に提供される組換え宿主細胞は、本明細書に提供される組換えレジリンの高力価を生成し得る。
【００７６】
組換えレジリンの産生および分泌は、組換え宿主細胞に含まれる分泌型レジリンコード配列のコピー数および／または組換え宿主細胞に含まれる分泌型レジリンコード配列の転写速度によって影響され得る。いくつかの実施例では、組換え宿主細胞は、単一の分泌型レジリンコード配列を含む。他の実施例では、組換え宿主細胞は、２つ以上（例えば、３つ、４つ、５つ、またはそれ以上）の分泌型レジリンコード配列を含む。いくつかの実施例では、組換え宿主細胞は、強力なプロモータに作動可能に連結され得る分泌型レジリンコード配列を含む。
【００７７】
発酵は、組換え宿主細胞と、組換え宿主細胞を成長させるのに好適な培養培地を含む。発酵は、細胞生存および／または成長、ならびに組換えレジリンの分泌のために組換え宿主細胞に必要なる栄養素を提供する培養培地内で組換え宿主細胞を培養することによって得られる。かかる培養培地は通常、過剰な炭素源を含有する。好適な炭素源の非限定的な例としては、単糖類、二糖類、多糖類、およびそれらの組み合わせが挙げられる。好適な単糖類の非限定的な例としては、グルコース、ガラクトース、マンノース、フルクトース、リボース、キシロース、アラビノース、リボース、およびこれらの組み合わせが挙げられる。好適な二糖類の非限定的な例としては、スクロース、ラクトース、マルトース、トレハロース、セロビオース、およびこれらの組み合わせが挙げられる。好適な多糖類の非限定的な例としては、ラフィノース、デンプン、グリコーゲン、グリカン、セルロース、キチン、およびこれらの組み合わせが挙げられる。結果として生じる発酵は、様々な量の組換えレジリンを含み得る。
【００７８】
組換えレジリンを製造する方法
本明細書に記載される組換えレジリンは、様々な方法に従って製造され得る。かかる方法は、一般に、別段の記載がない限り、当該技術分野において周知であり、’１９７出願全体にわたって引用および考察される様々な一般的およびより具体的な参考文献に記載されるような、従来の方法に従って実行される。いくつかの実施形態では、宿主細胞からレジリンを細胞外に分泌するための方法が利用され得、本方法は、分泌型レジリンコード配列を含むベクターを構築することと、このベクターを宿主細胞に形質転換することと、次いで、組換え宿主細胞を培養して、レジリンを細胞外に分泌することと、を含み得る。次に、分泌されたレジリンが精製され得、次いで、精製されたレジリンが架橋されて、エラストマーを形成し得る。いくつかの実施例では、本方法は、本明細書に提供されるベクターで細胞を形質転換して、本明細書に提供される組換え宿主細胞を得るステップを含み得る。ベクターで細胞を形質転換するための方法は、当該技術分野において周知である。
【００７９】
本方法は、発酵を得るのに好適な条件下で、培養培地中で組換え宿主細胞を培養するステップをさらに含み得る。いくつかの実施例では、条件および培養培地は、組換え宿主細胞から培養培地への組換えタンパク質の分泌を促進するのに好適である。これらの方法で使用するための好適な培養培地は、好適な培養条件と同様に、当該技術分野で既知である。
【００８０】
精製は、発酵から分泌されたタンパク質を精製するための当該技術分野で既知の様々な方法によって起こり得る。かかる方法における一般的なステップの様々な例としては、遠心分離（細胞を除去するため）、続いて沈殿物または他の好適なコスモトロープ（例えば、硫酸アンモニウム）を使用したタンパク質の沈殿が挙げられる。次いで、沈殿タンパク質が、遠心分離によって上清から分離され、溶媒（例えば、リン酸緩衝生理食塩水［「ＰＢＳ」］）中に再懸濁され得る。懸濁したタンパク質を透析して、溶解した塩を除去することができる。さらに、透析されたタンパク質が加熱されて他のタンパク質に変性し得、変性したタンパク質が、遠心分離によって取り出され得る。任意選択で、精製された組換えレジリンが、コアセルベートされ得る。発酵から分泌型組換えタンパク質を精製する方法は、尿素またはグアニジンチオシアネートなどの既知のカオトロープを用いた全細胞ブロスまたは細胞ペレット中のタンパク質の可溶化と併せて、様々な遠心分離ステップを含み得、その実施例が、’１９７出願においてより詳細に考察されている。かかる方法およびステップ、ならびに他の精製方法は、当該技術分野で既知であり、本明細書に記載されるように、レジリンを精製するために使用または適合され得る。１つの例示的な方法のさらなる詳細が、Ｋｉｍ，  Ｍ．、Ｅｌｖｉｎ，  Ｃ．、Ｂｒｏｗｎｌｅｅ，  Ａ．  ＆  Ｌｙｏｎｓ，  Ｒ．のＨｉｇｈ  ｙｉｅｌｄ  ｅｘｐｒｅｓｓｉｏｎ  ｏｆ  ｒｅｃｏｍｂｉｎａｎｔ  ｐｒｏ−ｒｅｓｉｌｉｎ：    Ｌａｃｔｏｓｅ−ｉｎｄｕｃｅｄ  ｆｅｒｍｅｎｔａｔｉｏｎ  ｉｎ  Ｅ．  ｃｏｌｉ  ａｎｄ  ｆａｃｉｌｅ  ｐｕｒｉｆｉｃａｔｉｏｎ．    Ｐｒｏｔｅｉｎ  Ｅｘｐｒ．    Ｐｕｒｉｆ．    ５２，  ２３０−２３６（２００７）に記載されている。既知の方法の様々な適合および組み合わせが、当業者の知識に従って、大規模にレジリンを精製するために行われ得る。架橋のための特定の溶液および溶媒、ならびにそれらの様々な特定の組み合わせの例が、上記および’１９７出願において考察されている。
【００８１】
レジリン材料を使用した例示的な製品の概要
いくつかの実施形態では、例えば、必要に応じて、印加された力からのエネルギーを吸収するためなど、改善された物理的性質を有する組成物を提供するために、本明細書に記載の架橋レジリン組成物が使用され得る。いくつかの実施形態では、既存の製品中のゴムまたは他の合成エラストマーを置き換えるために、本明細書に記載の架橋レジリン組成物が使用され得る。特に、本明細書に提供される架橋レジリン組成物のうちのいくつかは、非弾性材料に遷移することなく、大きな力を吸収し得る。
【００８２】
いくつかの実施形態では、本明細書に提供される架橋レジリン組成物は、少なくともミッドソールの一部を含む、靴のアウター内のように使用され得る。いくつかの実施形態では、本明細書に提供される架橋レジリン組成物は、ゴルフボール、ソフトボールなどのコアの一部として使用され得る。他の実施形態では、本明細書に提供される架橋レジリン組成物は、例えば、ゴルフクラブまたはテニスラケットなどのスポーツ機器のハンドルまたはグリップ内に、自転車用グリップもしくはバイク用グリップとして、またはハンマー、ネイルガン、ジャックハンマー、およびエネルギーを吸収して戻すことが好ましい任意の他の工具などの、工具および工業的用途のグループとして、使用され得る。いくつかの実施形態では、本明細書に提供される架橋レジリン組成物は、例えば、スケートボードトラックまたはハードディスクドライブプラッタの振動減衰器などの、ブラッシングまたは減衰に使用され得る。いくつかの実施形態では、架橋レジリン組成物は、スケートボード、ローラーブレード、またはスクーターなどの車輪の材料として使用され得る。いくつかの実施形態では、本明細書に提供される架橋レジリン組成物は、ヘルメット、肘もしくは膝パッド、肩パッド、保護手袋、または安全帽などの保護具のパッドなどの安全および保護装置のために、または擦傷から皮膚を保護するための保護外層として、使用され得る。
【００８３】
いくつかの実施形態では、本明細書に提供される架橋レジリン組成物は、例えば、ブッシュもしくはショックアブソーバなどのサスペンション部品、または、シートボルスタおよびランバーサポートなどの車内緩衝材などの自動車部品に使用され得る。いくつかの実施形態では、本明細書に提供される架橋レジリン組成物は、タイヤおよびインナーチューブに使用され得る。いくつかの実施形態では、本明細書に提供される架橋レジリン組成物は、スーバーボール（ｓｕｂｅｒｂａｌｌｓ）に使用され得る。いくつかの実施形態では、本明細書に提供される架橋レジリン組成物は、靴のインソール、ミッドソール、およびアウトソールに使用され得る。いくつかの実施形態では、本明細書に提供される架橋レジリン組成物は、パッド入りマット内で使用され得る。いくつかの実施形態では、本明細書に提供される架橋レジリン組成物は、いくつかのタイプのガスケットまたはＯリングに使用され得る。いくつかの実施形態では、本明細書に提供される架橋レジリン組成物は、耐衝撃性を高めるために、プラスチック品目に加えられ得る。いくつかの実施形態では、本明細書に提供される架橋レジリン組成物は、電話またはタブレットのケースなどの保護ケースに使用され得る。いくつかの実施形態では、本明細書に提供される架橋レジリン組成物は、ゴムスタンプに使用され得る。いくつかの実施形態では、本明細書に提供される架橋レジリン組成物は、ローラーに使用され得る。いくつかの実施形態では、本明細書に提供される架橋レジリン組成物は、ゴムバンドに使用され得る。
【００８４】
いくつかの実施形態では、本明細書に提供される架橋レジリン組成物は、靴底、地階フローリング、音響室のための騒音防止、カーバンパー、クッションパッド、ドアマット、ヨガマット、ドラムパッド、ウィンドワイパー、カータイヤ、消防ホース、電気配線絶縁、ゴムバンド、ラバーダック、弾性グローブ、調理器具、レインブーツ、歯固めおもちゃ、自転車タイヤ、時計、ジャー、ガスケット、ヘアゴム、フリップフロップ、電話ケース、メディシンボール、スーパーボール、水または粉塵からの汚染を防止するための電子機器用のシール、冷蔵庫または冷凍庫のドアシール、空気の部屋への流入または部屋からの流出を防止するためのシール、トランポリン、おしゃぶり、ウィンドウシール、ハロウィンマスク、ガーデンホース、卓球ラケット、コンベアベルト、ダクト、スタンプ、またはバルーンに使用され得る。
【００８５】
様々な実施例（上記に具体的に考察されたもの、および上記の説明に基づいて明らかであり得る、または導出され得るものを含む）において、上記の発酵、精製、架橋、および溶媒交換ステップが、一般的に様々なエラストマーに類似するレジリン系材料を生成するように導出または適合されることを理解されたい。その目的のために、かかる処理ステップが、様々なタイプの、または様々な既知の特性もしくは属性を有する様々なエラストマーのものと同様の特性もしくは性質（本明細書でより詳細に説明されるような、触覚的、視覚的、および物理的なものを含む）を有する特定のレジリン系材料を製造するために、特に適用され得る。このように、レジリン系材料は、通常、主にエラストマーからなるか、さもなければエラストマーを特徴とするか、もしくは含む様々な製品に、もしくは様々な形態に製造または加工され得る原材料を製造するために、本明細書に記載のプロセスおよび変形例に従って、および様々な組み合わせで、発酵され、精製され、架橋され、溶媒交換され、または様々な後処理ステップに供され得る。特定の形態および組成において、このレジリン系材料は、エラストマーからなる、またはエラストマーを含む同様な製品に対する消費者、小売業者、または製造業者の期待を満たすか、または超える製品または物品をもたらし得る。このように、上記の説明に従って、またはそれに照らして製造され得る様々なタイプのレジリン材料からなる、レジリン材料を使用した、またはレジリン材料を組み込んだかかる製品は、従来のエラストマーで可能な便益を超える便益を、本明細書に記載のレジリン材料を皮革に代えて用いることによって実現され得る生態学的、環境的、および人道的利益に加えて、消費者および製造業者に提供し得る。
【００８６】
レジリン組成物を含む履物
前述の説明によれば、一実施例では、本明細書に記載されるレジリン材料は、様々なタイプの石油系エラストマー（例えば、酢酸エチルビニル（「ＥＶＡ」））の代替を含む、エラストマー材料で形成され得る、または通常形成される、（本明細書で考察され、本明細書の記載に基づいて理解されるであろう様々なタイプの履物の中）履物の様々な部分のうちのいずれかを含む、様々なタイプおよび形態の履物に組み込まれ得る。
様々な形態において、本明細書に記載のレジリン材料は、多くのタイプの靴で、靴の「アウター」のすべてまたは一部、ならびに靴のアッパーの様々な部分に、またはいくつかのタイプの履物で、アッパー全体に使用され得る。かかる事例では、本明細書に記載されるレジリン組成物の特定の実装例が、適切な特性を有する材料を導出するために使用され得、かかるレジリン材料が、特定の履物の部分または構成要素に従って、所望の形態に加工または製造された状態で、その様々な非限定的な例が本明細書で考察される、履物物品の様々なエラストマー部分に使用され得る。
【００８７】
図１に例示される実施形態を参照すると、参照番号１０は、一般的に靴、具体的には、スニーカーの形態の靴を指定する。本明細書で考察されるように、「スニーカー」という用語は、履物のタイプに関して使用される場合、その特定のスタイル上の実装、および一般に受け入れられるフレームワーク内の特定の構造に関するものを含む、多くの実用的な変形が可能なスタイルおよび構造を意味する。さらに、スニーカーは、様々なタイプの活動または使用のために設計および構築され得、様々なタイプのスニーカーが、それらのスニーカーを様々な範囲の特定範囲の活動および使用に適したものにする、様々な範囲のスタイル上または機能上の汎用性を示す。
【００８８】
この点に関して、図１に例示される靴１０は、「アスレチック」スニーカーとして特徴付けられ得るが、描写された履物のスタイルを説明するために「スニーカー」という用語に関連して「アスレチック」という用語を使用することは、かかる履物が、任意の特定のタイプの運動活動のために、または任意の運動競技のために厳密に使用されるか、さもなければ使用可能であることを暗示または要求することでは全くない。一例では、履物物品は、運動活動のために使用されるか、または運動活動を意図しているかどうかにかかわらず、かかる履物を包含するように、単に運動用履物のスタイルまたは構造のものであるか、またはそれを連想させるものであり得る（例えば、以下に記載されるように、アスレチックスニーカーまたは運動用履物の他の変形としての、またはそれらに類似する「ライフスタイル」、「アスレジャー」、またはファッションフットウェアスタイル）。さらに、図面の参照を含めて、本明細書になされる説明は、説明され図示される履物に関する単なる例示であり、スタイルまたはフィットのために、および／または本明細書に記載された原理および構造に基づいて様々な目的または条件に好適な履物を作製するために、本明細書に記載された履物に対して変形がなされ得ること。さらに、構造および製造技術が、特定のスタイルの履物（例えば、アスレチックスニーカー）に関して本明細書で考察されることがあるが、１つのタイプの履物に関して考察されるかかる構造および製造技術は、他のタイプの履物（例えば、ハイキングブーツ、サンダル（スポーツサンダルを含む）、アスレジャー、ライフスタイルなど）に関して本明細書で考察される同等の構造および製造技術の許容可能な代替であり得る。
【００８９】
引き続き図１を参照すると、図示のスニーカー１０は、スニーカーの典型的な構造の例示であり、アッパー１２、ミッドソール１４、およびアウトソール１６を含み、アッパー１２は、着用者の足を受容するのに一般的に適した内部１８を画定し、アウトソール１６は、着用者の足の下の地面に接触するスニーカー１２の部分を形成する。この点に関して、描写されたスニーカー１０の構造は、一般的に他のタイプの履物の典型であり、組み合わせられたミッドソール１４およびアウトソール１６は、総称して履物の「アウター」と呼ばれる得、描写されたミッドソール１４およびアウトソール１６以外の様々な形態で使用され得ることに留意されたい。一実施例では、アウターは、以下でさらに考察されるように、別個のアウトソールに通常含まれる接地面の少なくとも一部がレジリン材料のミッドソール内に形成され得るように、許容される耐摩耗性を示すレジリン材料のミッドソールからなり得る。図１の実施例に示されるように、ミッドソール１４は、アッパー１２とアウトソール１６との間に位置付けられ、アウトソール１６によってなされる特に地面との衝突中に、足の裏のための支持および緩衝を提供する。
【００９０】
図２に見られるように、アッパー１２の内部１８は、一般に、その下部において、（以下でさらに考察されるように、特定の構築方法に応じて）アッパー１２が、アッパー１２の下側周縁２２の周りに、またはそれに隣接して固定されるラスティングボード２４によって囲まれる。ラスティングボード２４およびまたは周縁２２に隣接するアッパー１２の部分は、同様に、ラスティングボード２４がミッドソール１４の上に位置付けられた状態で、ミッドソール１４に固定される。インソール２４（図３）は、ラスティングボード２４の上の内部１８内に配置され得る。インソール２０は、ユーザーにさらなる快適さを提供するために、およびラスティングボード２４を周縁２２の周りに取り付けるために使用されたステッチを覆うために、少なくともある程度クッション性であり得る。一態様では、インソール２０はまた、本明細書に記載されるように、レジリン材料を含むか、または完全にレジリン材料からなり得、所望のエネルギー吸収および／または触覚的品質を示し得る。これは、インソール２０を完全にレジン材料から製造することによって、またはレジン材料がインソール２０のための緩衝層を提供するように、レジン緩衝層を布、皮革、菌糸体材料の薄い層などで覆うことによってなされ得る。さらに、インソール２０は、以下で考察される様々な実施例による、コーティングされたレジリン材料からなり得る。
【００９１】
図１および２に見られるように、現在説明されているスニーカー１０は、アッパー１２の様々な部分に対応するストック材料のいくつかの個々のセクションからアッパー１２が製造される「カットアンドソー」プロセスを使用して製造されるスニーカー、特にアッパー１２の例示である。特に、個々のセクションは、必要に応じて、アッパー１２の所望の最終形態によって決定される平坦な２次元形状にストック材料から切り出され、アッパー１２に所望の３次元形態を少なくとも部分的に与える様々な縫い目に沿って一緒に縫製される。かかる縫製は、縫い目に沿った様々な接着剤の使用によって増強され得、アッパー１２の内部１８の所望の形状に対応する靴型上で全体的または部分的に実施され得る。特に、ラスティングボード２４は、通常、描写されたアスレチックスニーカー１０および同様の履物の典型的な構造に関して、靴型上でアッパーに縫い付けられ、周縁２２を画定するアッパー１２の材料部分をラスティングボード２４と、隣接する縁と縁の縫い目で接合する特殊な機械を使用して、「ストロベル」ステッチを使用して完成される。結果得られる、組み立てられたアッパー１２とラスティングボード２４とを含む「ストロベルソック」が、次に、ミッドソール１４に固定され、この固定は、ほとんどの場合、接着剤などを使用して行われる。いくつかの形態の構造では、以下でさらに考察されるように、ラスティングボード２４とミッドソール１４との間の固定は、ブレイクステッチなどのステッチを使用するか、またはミッドソール１４に取り付けられた特徴と関連付けられたアッパー１２の特定の領域に沿ったステッチを使用して、増強または完了され得る。
【００９２】
理解され得るように、アッパー１２のピースおよびセクションは、一般に、アッパー１２の特定の領域に対応し得るが、スニーカー１０の所望のスタイル上の外観、ならびにアスレチックスニーカー１０の所望のフィット、柔軟性、および支持（これらは、アスレチックスニーカーの意図される使用によって影響を受け得るか、または決定され得る）に依存するそれらの特定の形状および配置に応じて変化し得る。図１および２の例示的な図では、アッパー１２の様々な部分は、つま先２６、およびつま先２６からアスレチックスニーカー１０のスロート３０まで上向きに延在するつま先革２８を含み得る。舌革３２は、つま先革２８からスロート３０に沿って上向きに延在し、対向するクォーター３４は、つま先２６から後方に延在して、アッパー２０のそれぞれの側面に沿って下側周縁２２の部分を画定し、かつスロート３０から離れて下方に延在する。ヒールカウンター３６は、着用者のかかとの周りで２つのクォーター３４ａ、３４ｂの間を接続するように、アッパーの後部の周りに延在する。さらに、内側および外側のカラー部分３８は、ヒールカウンター３６から上向き、かつそれぞれの内側および外側のクォーター３４から後方に延在して、アッパー１２のトップライン４０のそれぞれの部分を画定し得る。ヒールタブ４２は、ヒールカウンターの上に位置付けられ、それぞれのカラー３８の最後端間を接続して、トップライン４０の後部セクションを画定する。インナーライナー４４（図３）は、アッパー１２のすべてまたは一部を通じて延在して、アッパー１２の内部１８を画定し得、インナーライナー４４が沿って延在するアッパー１２の個々の外側部分に取り付けられ得る。
【００９３】
同様に、本描写されたミッドソール１４およびアウトソール１６を含むアウターは、様々な程度に互いに対して画定され得るか、または様々な特性によって定義され得るいくつかの異なる領域を含み得る。最も注目すべきことに、アウター（ミッドソール１４およびアウトソール１６）は、アウターが地面に対して支持する足の部分、およびかかる支持が達成される方法によって構築され、画定され得る。この点に関して、ミッドソール１４およびアウター１６の両方は、該当する場合、対応するヒール（または後足）５２部分、中足５４部分、および前足５６部分、ならびに内側５８部分および外側６０部分の観点から考察されることがある。様々な状況でかかる、部分の組み合わせを使用して、例えば、内側５８ヒール５２などを参照することによって、アウターの部分をより大きな、またはより小さな特異性で言及することができる。さらに、様々な領域内の様々な特定の部分が、特定の関連性を有し得、したがって、ヒールストライク６２、アーチ６４、中足骨頭領域６６（すなわち、母指球の下）、およびトゥスプリング６８を含む、特定の指定が与えられる。ミッドソール１４およびアウトソール１６の両方は、図示のスニーカー１０などの、履物物品の特定のタイプまたは特定の実装例の所望のフィット、緩衝性、安定性、トラクション、および美的品質を提供するために、ならびにスニーカー１０の任意の所望の重量特性を達成するために、これらの領域、サブ領域、または特定の領域の内部および間において、様々な材料、形状、構造などであり得、その様々な実施例が以下で考察される。
【００９４】
一般に、ミッドソール１４は、着用者の足（またはスニーカーなどのサイズ決めのための既知のスキームに従って、一連の着用者の足）の裏に解剖学的に対応するように構築され得る。かかる構築は、ヒール５２部分においてより大きな厚さ、かつ前足５６において比較的低い厚さを有するミッドソール１４を構築することを含み得、これにより、ヒール５２が、通常、前傾した足の姿勢でのストライド中に地面と最初に接触するときに、増大した材料の緩衝性がヒール５２のために提供され、そして、着用者の前足５６の下はあまり緩衝性を必要としないので、軽量化のために、前足の下には低減された材料が提供され得る。さらに、ヒールストライク６２部分は、かかる高衝撃領域においてさらに緩衝性を増大させるように、ならびに前足５６を地面に滑らかに接触させるために足の前転を促進するように、形成されるか、さもなければ構築され得る。同様に、トゥスプリング６８は、上向きであるか、さもなければランニングまたはウォーキング中などの着用者によるプッシュオフの労力を低減するように構築され得る。
【００９５】
中足５４内では、ミッドソール１４は、足が通常地面に接触しない領域の材料を除去することによって、軽量化を提供するように構築され得る。このように、ミッドソール１４は、少なくともミッドソールの内側５８で、ヒール５２および前足５６領域に対して上向きに延在するように構築され得る一方、一部の用途では、ミッドソール１４は、外側６０内で地面に近いままである。アウトソール１６は、内側５８の中足５４内の材料を除去することによって、または、図３に示されるように、アウトソール１６のどの部分も中足５４に沿って位置付けられていない状態で、別個のヒール部分と前足部分とに形成されることによってなどで、かかるミッドソール１４の構造に対応するように構築され得る。本明細書でさらに考察されるように、アウトソール１６は、異なる材料の組み込みによってなどで、ならびに上記で考察される様々な領域および領域に対応するアウトソール１６の他の部分内に、さらに構築され得る。ミッドソール１４は、足のかかとからつま先にかけての回転中、特にプッシュオフ中の筋肉の緊張を緩和するために、着用者のアーチの支持を提供するように、アーチ６４が上向きに延在するよう、中足５４内でさらに構築され得る。この点に関して、ミッドソール１４は、着用者のアーチ全体を通して完全に（すなわち、足の側部に沿って）上向きに延在しなくてよく、アッパー１２およびインソール２０（および／または特定のインサート）の一部が、ミッドソール１４から上方および内側に延在する足のアーチのための追加の支持を提供する。
【００９６】
図３の分解図に示されるように、ミッドソール１４は、上述の構造の実装例を達成するために、上述のレジリン組成物のうちの選択されたものを使用して、レジリン材料のいくつかの異なるピースから製造され得る。例示の実施例では、下部ミッドソール１４ａは、ヒール５２、中足部５４、および前足部５６を通ってなど、スニーカー１０の全長を延長し得る。中間ミッドソール１４ｂは、同様に、下部ミッドソール１４ａ全体にわたって延在し得、下部ミッドソール１４ａと対照的に、緩衝性または外観に関して異なる特性を提供し得る。組み合わされた下部ミッドソール１４ａおよび中間ミッドソール１４ｂは、前足６６のために、少なくとも所望の緩衝および位置決めを提供し得る。ヒールウェッジ１４ｃは、中間ミッドソール１４ｂの上に位置付けられ得、一般に、ミッドソール１４のヒール５２部分を通って延在し得る。この点に関して、ヒールウェッジ１４ｃは、中足５４部分または前足５６部分内の薄い縁部まで先細りにされて、中間ミッドソール１４ｂへのスムーズな遷移をもたらし得る。さらに、ヒールウェッジ１４ｃは、中足５６の少なくとも内側５８部分に沿って上向きに延在するように構築されて、アーチ６４の少なくとも一部のための所望の支持を提供し得る。この点に関して、ヒールウェッジ１４ｃは、アーチ６４の位置決め、ならびに足の一般的な非対称性に対応するために、内側５８に沿ってさらに中足５６内に延在するように非対称であり得る。
【００９７】
理解され得るように、図１〜３に描写されたミッドソール１４の構造は、「レトロ」スタイルのスニーカー１０と呼ばれ得るものと類似しており、ミッドソール１４は、ＥＶＡなどのバルクポリマー発泡体の大型シートが、下部ミッドソール１４ａ、中間ミッドソール１４ｂ、およびヒールウェッジ１４ｃの所望の形状に切断され、次いで好適な接着剤を用いて一緒にセメントで固定される「カットアンドバフ」プロセスによって構築される。結果得られたアセンブリの露出した縁部、ならびにトゥスプリングおよびヒールキック領域が、次に、適切な機械上で研磨材を用いて「バフ加工」され、所望の最終形状の一貫した外縁を形成する。このようにして、ミッドソール１４の別個のピース１４ａ、１４ｂ、１４ｃが、所望の形状プロファイルおよび緩衝特性を達成するために、積層構造を利用しながら、まとまったユニットとして現れる。
【００９８】
本記載のレジン材料は、描写されたレトロなスタイルのミッドソールを達成するために、様々な実装例で使用され得る。一実施例では、レジリン材料は、特に上述の架橋および溶媒交換ステップによって、下部ミッドソール１４ａ、中間ミッドソール１４ｂ、およびヒールウェッジ１４ｃの所望の最大厚さに対応するシートに形成され得る（場合によっては、下部ミッドソール１４ａおよびヒールウェッジ１４ｃは、同じストックシートであってもよいことに留意されたい）。さらに、靴のミッドソール１４の１つまたはすべての部分に様々な発泡体（例えば、ＥＶＡ発泡体）を使用することが通常であるため、本ミッドソール１４のために使用されるレジリン材料（またはミッドソール１４の様々な部分１４ａ、１４ｂ、１４ｃに異なる材料が使用される実施例におけるレジリン材料のうちの少なくとも１つ）は、上記で一般的に論じられるように、発泡レジリン材料であり得る。所望の下部ミッドソール１４ａおよび中間ミッドソール１４ｂは、（サイズ、スタイル、および全体的な所望の構成に応じて）ミッドソール１４の所望のプロファイルに切断され得、ヒールウェッジ１４ｃは、所望のプロファイル（すなわち、ヒール領域５２内の下部および中間ミッドソール１４ａ、１４ｂのプロファイルにマッチした）および角度の付いたウェッジ形状の両方に切断され得る。
【００９９】
代替的に、個々のピース１４ａ、１４ｂ、１４ｃは、実際のプロセスから無駄な材料なしにカットアンドバフされたミッドソールの外観が達成されるように、追加の切断または成形を要しないように、上記の形状に直接成形され得る。一実施例では、かかる成形は、上述のように、ミッドソールのピース１４ａ、１４ｂ、１４ｃの所望の形状に対応するキャビティを有する金型を提供することと、かかるキャビティに、上述の精製および変性された組換えレジリン組成物を、レジリンタンパク質が金型内で架橋するように、上述の様々なタイプの架橋溶液と共に充填することと、によって達成され得る。この点に関して、架橋レジリン材料の塊は、一般に、金型のキャビティによって導出される形状を保持するであろう。様々な非水溶媒のうちの１つが、レジリン材料塊内に元々存在する溶媒と交換されて、ミッドソールのピース１４ａ、１４ｂ、１４ｃのための所望の組成物が達成され得る。溶媒交換プロセスは、成形レジリン材料のピース（例えば、１４ａ、１４ｂ、１４ｃ）のいくらかの収縮をもたらし得、この収縮は、交換前のレジリン材料体積の１０％〜４０％の範囲であり得、一実施形態では、約２５％であり得ることに留意されたい。この点に関して、成形ステップは、対応する金型キャビティのサイズおよび構成を適切に調整することによってなどで、決定または予測された収縮のレベルを評価するために実施され得る。
【０１００】
ミッドソール１４の上述の製造プロセスのいずれかの様々な実装例では、ミッドソール１４への全体的な組み込みに望ましいと判定される異なる特性を有する異なるミッドソールのピース１４ａ、１４ｂ、１４ｃを達成するために、異なる組換えレジリン、または異なる組換えレジリン化合物の異なる混合物、ならびに異なる架橋溶液および異なる非水溶媒が使用され得る。ある点において、下部ミッドソール１４ａの組成物は、所望のレベルのエネルギーリターンおよび／または弾力性を提供するように選択され得る一方、ヒールウェッジ１４ｃおよび／または中間ミッドソール１４ｂは、所望のレベルの緩衝性を提供するように選択され得る。さらにまたはあるいは、発泡レジリンの特定の特性は、ミッドソール１４の様々な部分１４ａ、１４ｂ、１４ｃおよび／またはミッドソール１４全体に有利な追加の特性を達成するように、特別に導出または制御され得る。一態様では、発泡レジリン材料を導出するための気泡の導入は、材料の比重を減少させ得、したがって、材料の全体量を効果的に低減することによってミッドソール１４の重量を低減するために、ミッドソール１４の他の要件または所望の特性に従って使用され得る。さらに、レジリン材料のマトリックス全体にわたって分散される気泡を導入することは、単なる比重の低減を超えて、固体全体の材料特性を変化させ得る。一態様では、気泡の存在は、２段階圧縮デュロメータを示す発泡固体により、圧縮荷重の印加に対するミッドソール１４の応答を変化させ得る。この点に関して、発泡固体レジリン材料は、気泡が荷重下で崩壊するときの第１の圧縮デュロメータ応答を示し得、かかる応答は、空気が空隙から、および発泡固体全体から出る速度によって決まる（上述の気泡導入のステップに起因する連続気泡の場合）。第２の応答は、すべてまたはかなりの数のセルが崩壊すると示され、塊は、より固体になり、空隙が存在しない材料自体の応答により匹敵する、増加したデュロメータを示す。
【０１０１】
様々な実施例では、気泡を導入するための異なる方法、ならびに異なる種類および量の添加剤、特定の架橋プロセスまたは薬剤などの使用は、様々なセルサイズを有する発泡体、したがって、結果得られる発泡レジリン固体の異なる特性をもたらし得る。一実施例では、増粘剤としてのヒュームドシリカ、および化学発泡剤としての重炭酸ナトリウムは、架橋前にレジリンに添加され得る。これらの添加剤は、導入プロセス中の気泡の均一な分布を促進し、完成した発泡レジリン固体中のより均一なセル分布をもたらし得る。ヒュームドシリカおよび／または重炭酸ナトリウムの量を変更することは、レジリン材料内の平均気泡サイズの１つの制御モードを可能にし得、かかる気泡の均一な分布を促進し得る。
【０１０２】
一実施形態では、ミッドソール１４は、精製された組換えレジリン材料をＰＢＳ中に約７．４のｐＨで溶解させることによって調製される固体レジリン発泡体の少なくとも１つの部分（部分１４ａ、１４ｂ、および１４ｃを含む）を含み得る。重炭酸ナトリウムが、化学発泡剤としてレジリン溶液に添加され得、この添加は、上記で考察されたように、気泡のサイズおよび分布を制御するために、様々な量の増粘剤としてのヒュームドシリカと組み合わせて行われ得る。様々な実施例では、６ｍｇ／ｍＬ〜２０ｍｇ／ｍＬの重炭酸ナトリウム（または０．２重量％〜２重量％）が、レジリン溶液に添加され得る。一般に、重炭酸ナトリウムは、重炭酸ナトリウムがゲル化を阻害することを防止するために、約３３ｍｇ／ｍＬの最大量で添加され得る。４重量％〜１０重量％の範囲の量のヒュームドシリカ（または他の増粘剤）のさらなる添加は、一般に、均等に分布した気泡を有するレジリン固体をもたらし得る（すなわち、以下に考察されるように、さらなる成分の添加を含む後続処理ステップ後に）。特定の実装例では、４重量％〜５重量％を含む比較的少量のヒュームドシリカの添加は、結果得られるレジリン材料内の約０．２ｍｍ〜２ｍｍの範囲の比較的大きな気泡をもたらす。ヒュームドシリカを５重量％を超える量（最大約１０重量％の量を含む）で添加すると、０．０５ｍｍ〜０．２ｍｍの範囲の気泡を含む、比較的小さな気泡（および増大した全体密度）を有する発泡レジリンがもたらされ得る。
【０１０３】
１００ｍＭ〜２２５ｍＭの濃度の過硫酸アンモニウムの溶液が、精製および増粘されたレジリンに添加され得る。キサンタンガムを、過硫酸アンモニウム溶液と組み合わせて使用して、増粘剤を上回って粘度をさらに増加させ、溶液内の気泡の捕捉をさらに援助することができる。様々な具体的な実装例では、過硫酸アンモニウムは、約１０重量％〜２０重量％の量、より具体的には、１３重量％〜１６重量％の量で添加され得る。かかる実装例では、キサンタンガムは、１％〜２％の量で添加され得る。架橋触媒は、発泡剤の添加の前または後に添加され得、熱または光のうちの１つによって活性化されるように選択され得る。一実施例では、白色光によって活性化されるルテニウム（ＩＩ）は、１０重量％〜２０重量％の量で使用され得る（他の触媒は、上述の実施例に従って、代替として使用され得る）。触媒および発泡剤を添加した後、溶液がボルテックスされて、レジリン材料内で気泡が発生することを可能にし得る。一実施例では、ボルテキシングは、約８０°Ｆの温度で３．５時間にわたって実施され得る。溶液がボルテックスされた後、溶液が、適切に（例えば、熱または光を使用して）架橋され得、一実施例でプロピレングリコールを使用することを含む上述のように、溶媒交換プロセスに供され得る。それぞれレジリンマトリックスＭ１およびＭ２内に分散した連続気泡Ｃ１およびＣ２、すなわち、比較的より小さいサイズおよび比較的より大きいサイズ、を有する発泡レジリン材料固体Ｓ１およびＳ２の実施例を図４に示す。
【０１０４】
追加または代替の実装例では、レジリンを架橋しながら、シリンジポンプを使用して溶解窒素を、レジリン材料内の気泡の主要なソース、または、前述のように、薬剤を使用して生成される気泡の補足として、導入することができる。一実装例では、（例えば、２２５または５５０ｍＭのいずれかの）過硫酸アンモニウム溶液が、ＰＢＳ中の（例えば、約２７重量％のレジリンの）レジリンの溶液に添加され得る。次いで、結果得られた溶液が、遠心分離され（例えば、約７２００ｒｅｆで約５分間）、シリンジポンプに添加され得る。次いで、ポンプが、窒素ガスでパージされ（例えば、約３分間）、続いて密封され得る。次いで、ポンプが、５００ｐｓｉまたは１６００ｐｓｉのいずれかに設定され、加熱され得る（例えば、約８３℃で約２時間〜約６時間）。圧力を解放した後、レジリンが、追加の間隔にわたって加熱され得る（例えば、約８３℃で約１時間〜約２時間）。これらの圧力での架橋は、おそらく溶解酸素の量の増加に起因して、大気圧での架橋よりも遅い速度で進行し得ることに留意されたい。上述のように、増粘剤の添加は、かかるプロセスを介して均一な発泡体をさらに可能にし得る。様々な発泡レジリン材料はまた、ゴルフボール、ソフトボールなどのコア、ハンドル、またはグリップ内に、例えば、ゴルフクラブまたはテニスラケットなどのスポーツ機器用に、自転車用グリップまたはバイク用グリップとして、またはハンマー、ネイルガン、ジャックハンマーなどの工具および工業的用途のグループとして、を含む、上述の追加の製品内に使用され得る。さらなる実施形態では、本明細書に提供される発泡レジリン材料は、ヘルメット、肘もしくは膝パッド、肩パッド、保護手袋、または安全帽などの保護具のパッドなどの安全および保護装置内で使用され得る。
【０１０５】
次いで、様々なサイズおよび対応する密度のセルを有する発泡レジリン材料をもたらすものを含む、上述のプロセスのいずれかによって導出されるミッドソール１４の別個のピース１４ａ、１４ｂ、１４ｃが、本レジリン材料との接着が、場合によっては、アセトンまたは同様の材料などのプライマー材料の事前適用によって増強される、適切な接着剤を使用して一緒に積層され得る。代替的に、架橋溶液の層が、レジリン材料のミッドソールのピース１４ａ、１４ｂ、１４ｃなどのピース間に適用され、次いで、これらのピースが互いに接触した状態に保持される、溶媒交換の前の追加の架橋ステップを使用して、本レジリン材料の複数のピースを一緒に固定することが可能であり得る。（特定の架橋溶液に応じて）熱およびまたは光を加えることは、これらのピース間の接触領域に沿ったタンパク質の所望の架橋を達成するのを助け得る。かかる架橋の後、ピース１４ａ、１４ｂ、１４ｃは一緒に接合され、溶媒交換ステップが実行され得る。
【０１０６】
上記の成形プロセスのさらなる変形例では、精製および変性された異なる組換えレジリン組成物を単一の金型内の、本実施例に例示されたピース１４ａ、１４ｂ、１４ｃを含むミッドソール１４の異なる部分に対応する層に添加すること、および単一の架橋溶液を層状の材料に適用して、複数の異なるタイプもしくは層内のレジリン材料またはその中の他の部分を有する単一のミッドソール１４を得ること、が可能であり得、このミッドソール１４が、次に、溶媒交換に供されて、例示の層を含む、異なる領域において異なる特性を有するミッドソール１４を得ることができる。以下に考察される異なるミッドソール１４タイプに関連して、材料の他の変形を得るために、このようなプロセスが使用され得る。
【０１０７】
いくつかの実施例では、描写された層状構造は、上述の説明による、異なる構成および対応する特性を有する層１４ａ、１４ｂ、１４ｃを含み得る。特に、異なる層１４ａ、１４ｂ、１４ｃは、異なるセルサイズおよび／または密度を有する発泡レジリン材料からなり得る。一実施例では、最も外側の層１４ａは、保護およびエネルギーリターンのために構成されたより高い密度であり得、少なくとも中間層１４ｂは、緩衝性のためのより低い密度を有する。発泡および非発泡レジリン材料の様々な組み合わせを含む他の配置は、ミッドソール１４の所望の特性に従って実施され得る。理解され得るように、上述の説明による発泡レジリン材料は、インソール２０（図３）のすべてまたは一部、および（カラー３８および舌革３２内を含む）アッパー１２の様々なパッドなどにも使用され得る。
【０１０８】
追加の実施例では、発泡レジリン材料の一般的な効果（減少した比重、２段階のデュロメータ応答など）は、それらを積層または接着する前に、固体レジリン材料層から材料を除去することによって、達成され得る。一実施例では、いくつかのシート（３つの描写された層１４ａ、１４ｂ、１４ｃより多くのものを含む）は、約１ｍｍ〜５ｍｍの間の１つの例示的な厚さを含む、様々な厚さで作製され得る。これらのシートを様々なパターンに切断し、様々な層間でのパターンの不一致を伴って材料を除去して、積層後の発泡材料中のセルの分布を模擬することができる。様々な実施例では、シートは、ダイ、ウォータージェット、レーザーなどを使用して、在庫のパターンまたはミッドソール１４の所望の形状のいずれかに切断され得る。後者の例では、パターンは、ミッドソールのサイズまたは構成に従って変化させ、大きさを変えることができ、そうしたことは、穴がミッドソール１４の縁と交差しないことを確実にするため、および／または様々な領域において様々な密度特性を有するミッドソール１４を達成するために行われ得る。さらに、固体層は、アウトソール１６との接着のためを含む、ミッドソール１４の閉じた滑らかな外面を提供するための最外層として提供され得る。これらの層は、所望の構成に配置された後に、一緒に接着され得るか、または再架橋され得る。さらに、これらの層は、それらが、異なる特性を有する描写された層１４ａ、１４ｂ、１４ｃなど、異なる全体的な層内に配置され得るように、サブ層であり得る。
【０１０９】
層状構造の一実施例が図５Ａおよび５Ｂに示されており、３つのサブ層１４ａ１、１４ａ２、および１４ａ３は、それらの中に孔または穿孔９６を有して示されている。図５Ａに示されるように、最も外側のサブ層１４ａ１および１４ａ３は、中央のサブ層１４ａ２の穿孔９６からオフセットされた穿孔９６を有する。図５Ｂに示されるように、サブ層１４ａ１、１４ａ２、１４ａ３が積み重ねられると、外側のサブ層１４ａ１および１４ａ３の穿孔９６は、中央のサブ層１４ａ２の穿孔９６からオフセットされた様式で互いに整列する。描写されたパターンは、追加のサブ層内で繰り返されて、所望の厚さの層１４ａなどのミッドソールの層を提供し得る。さらなる実施例では、ミッドソール１４全体は、かかる構造のものであり得る。図６に示されるように、穿孔は、ミッドソールの領域間などで、サイズを変化させ得る。一実装例では、比較的より小さい穿孔９６ａは、例えば、ミッドソール１４のアーチ領域６４内に位置付けられ得る、ミッドソール１４のより密度の高い部分を提供するように位置付けられ得る。比較的より大きな穿孔９６ｂは、例えば、ミッドソール１４のヒールストライクエリア６２に位置付けられ得る、ミッドソール１４の比較的より柔らかい部分を提供するように位置付けられ得る。既知のミッドソールの構造および本明細書で提供される追加の実施例に従って、他の実施例および配置が可能である。図７Ａおよび７Ｂに示されるさらなる実施例では、円または標準穿孔以外の様々な幾何学的形状の孔が使用され得る。かかる形状は、不規則または均一であり得、および／またはミッドソール１４の異なる領域で変化し得、いくつかの実装例では、一緒に積層されたとき（図７Ｂ）の層１４ａ１、１４ａ２、１４ａ３の間の開口９８の様々な配置（図７Ａ）に基づいて、いわゆるマクロ構造をもたらすように導出され得る。かかる構造は、負荷中に、または負荷された（すなわち、Ｘ、Ｙ、またはＺ軸のうちの１つの方向に）ときに特定の部分が、別の方向に（すなわち、Ｘ、Ｙ、またはＺ軸に沿って）収縮し得るか、さもなければ負荷に応答してデュロメータを増加させ得るように応力を受けたときに、負荷中の非対称または逆のポアソン比を含む、負荷中の非対称特性を呈し得る。かかる特性は、いくつかの実装例では、特定のミッドソール１４および／またはその特定の領域のニーズに合わせて調整され得る。
【０１１０】
図３に関して続けると、ミッドソール１４の上記の層状構造はまた、ミッドソール１４内への内部シャンク７０の組み込みを提供し得る。一般に、描写された実質的に平坦な「クレジットカード」シャンク７０などのシャンクは、中足５４であって、着用者の足がある程度の（すなわち、ヒール５２よりも高い）柔軟性を示し、その結果、多くの潜在的な着用者が、ランニング中または横方向に急に変化するときなど、中足５４内の繰り返しの負荷および除荷を通じて、足の足底筋肉および隣接する軟組織内の緊張または疲労を経験する、中足５４を通じて、構造剛性をミッドソール１４に提供するのに役立つ。この点に関して、シャンク７０によって提供される剛性は、ミッドソール１４の屈曲を、足の関節が最も柔軟である前足５６内に局在化させる一方、インソール２０を、中足領域５４を通して着用者の足とのより一貫した接触に維持し、筋肉の緊張を低減し、アーチ６４内の足のための増大した支持を提供する。例示の実施例では、シャンク７０は、様々なプラスチック、炭素繊維強化ポリマー（「ＣＦＲＰ」）、Ｋｅｖｌａｒ（登録商標）強化ポリマー、鋼（バネ鋼など）などの高剛性および高弾性変形を有する、（リブが付けられるか、さもなければ全体的に平坦な特性を維持しながら剛性を増加させるように形成され得る）一般的に平坦な材料のピースからなる。かかるシャンク７０は、図示されるように、下部ミッドソール１４ａと中間ミッドソール１４ｂとの間を含む、ミッドソール１４の層１４ａ、１４ｂ、１４ｃの間に積層され得る。さらに示されるように、シャンク７０は、切断されたレジリンシートの追加処理（例えば、研磨または機械加工）によって、または上述の成形プロセス中に、下部ミッドソール１４ａ内に形成されたキャビティ７２に挿入され得る。
【０１１１】
上述の様々な実施例のいずれかに従って製造された上述のミッドソール１４、および図１〜３のミッドソールの説明および描写に基づいて理解されるであろうさらなる様々な変形は、典型的な発泡構造のミッドソール１４に関連してかかる目的のために使用される様々なセメントまたは接着剤を使用することなどで、アウトソール１６と接着され得る。いくつかの実施例では、（少なくともアウトソール１６が存在する領域における）ミッドソール１４の表面は、選択されたセメントまたは接着剤を適用する前に、ミッドソール１４のレジリン材料の特定の組成に応じて、接着を向上するためにプライマー材料で処理され得る。溶媒系接着剤（セメントとも称される）は、ミッドソール１４をアッパー１２に固定することを含む、かかる目的のために使用されており、一般に、比較的低コストかつ迅速な固定時間および高い作業性を有するものとして受け入れられている。かかる溶媒系接着剤およびセメントは、それらが、アウトソール１６をミッドソール１４に固定するため、およびミッドソール１４をアッパー１２に固定するため、ならびにレジリン材料の異なるピースで形成されたミッドソール１４の様々な部分を一緒に取り付けるためなどでエラストマーと共に使用され得るのと同じ方法で、現在レジリン材料のスニーカー１０のパーツまたは部分と共に使用され得る。より具体的には、アウトソール１６をミッドソール１４に固定するために、またはアッパー１２およびラスティングボード２４の両方の後部とミッドソール１４との間に固定されるヒールスタビライザー６２を含む、追加の要素をアッパー１２に固定するために、かかる接着剤が使用され得る。
【０１１２】
場合によっては、紫外線（「ＵＶ」）硬化接着剤または紫外線活性化接着剤を使用して、溶媒系接着剤の全部または一部を置き換えることができる。かかるＵＶ硬化接着剤またはＵＶ活性化接着剤は、アクリル系セメントまたは変性エポキシ材料を含み得る。いずれの場合も、この化合物は、ＵＶ光に曝露されると化学反応を受け、その反応で副生成物の放出を引き起こす光開始剤を含む。これらの副生成物は、残りの化合物と相互作用して、化合物の硬化を引き起こすか、または硬化をもたらす反応を開始する。光開始剤の組み込み、光開始剤に対する依存性は、セメントまたは接着剤が、適用からの短い期間内ではなく、「オンデマンド」（例えば、アクリルセメント中の空気への曝露、またはエポキシの場合、混合）で硬化することを可能にする。これにより、アッパー１２および／またはミッドソール１４の様々な部分を接着剤でコーティングすることが可能になり得、各かかるピースは、所望の他のピースまたは要素との固定の準備ができたときに、活性化される。様々な熱活性化接着剤が、同様の方法で使用され得る。一般に、かかる接着剤は、特定の閾値温度を超える熱の適用時に凝固させられるか、または（例えば、エポキシの場合）硬化のための触媒として熱を使用し得る。一実施例では、熱活性化接着剤は、必要に応じて、組み立てられたスニーカー１０で適用され、その後、接着剤の凝固を開始または促進させるために熱トンネルを通されて、完成した構成要素または製品をもたらす。いくつかの用途では、接着剤は、熱活性化接着剤を凝固させるために熱が加えられる前に、ピースまたは構成要素が縫製なしに組み立てられ得るように、初期状態で比較的より低レベルの接着を示し得る。
【０１１３】
さらに、溶媒は、揮発性有機化合物（「ＶＯＣ」）または他の（可燃性であり得る）汚染化学物質を含むことが多いため、水系接着剤およびセメントが、溶媒系化合物の代替として機能するように開発されている。
一実施例では、例えば、ポリウレタン接着剤は、接着剤の凝固には化合物から水が蒸発することが必要なので、一次「溶媒」として水を有し得る。したがって、加熱を使用して、接着剤の凝固を加速するか、または引き起こさせることができる。さらに、固定される材料の予熱も、凝固プロセスを加速させるのに役立ち得る。水系接着剤は、本スニーカー１０の製造を含む、靴の製造での使用に水系接着剤を有利にする特定の特性を提供し得る。水系接着剤は、材料の低減された剛性を示し得、十分に噴霧可能でありながら、凝固前に材料内への吸収を防止する比較的高い粘度で作製され得る。したがって、上記と同じ方法で、水系接着剤は、要素をアッパー１２に固定するために、またはアッパー１２およびラスティングボード２４をミッドソール１４で固定するために使用され得る。
【０１１４】
また上述のように、アウトソール１６は、密度、耐摩耗性、接着性などを含む望ましい特性のために選択されたゴム（様々な合成ゴムなどを含む）の１つ以上の部分から形成され得る。いくつかの実装例では、アウトソール１６はまた、ゴム（合成ゴムを含む）に所望され得るものと同様の所望の密度および耐摩耗性を達成するために、上述のプロセスの選択された変形例に従って製造され得るレジリン材料からなり得る。かかる実施例では、アウトソール１６は、上述のように、スニーカー１０の意図される使用に基づいて変化し得る所望の接地パターンを達成するために、レジリン材料で成形され得る。上述のように、アウトソール１６は、ミッドソール１４の外表面７４全体の上に適用され得る（すなわち、表面は地面に接近する）。図１〜３の例示の変形例では、アウトソール１６は、地面との接触がなされる、および／またはグリップもしくは耐久性が所望される領域においてミッドソール１４に固定され得る（様々な特性を含む）アウトソール材料のいくつかのピースを備え得る。
【０１１５】
図１および２に戻ると、反対側のアウトソール１６、ミッドソール１４が、アッパー１２に固定され得る。上述のように、かかる接着はまた、その一方または両方が、セメントもしくは接着剤の適用前に、プライマーなどで前処理され得るアッパー１２およびミッドソールとの所望の接着を達成するように選択されたセメントもしくは接着剤を使用して達成され得る。例示されるように、本実施例のアッパー１２は、ミッドソール１４が、主にラスティングボード２４、ならびに（上述の、アッパー１２の様々な部分の周りに画定される）アッパー１２の露出部分の周囲２２の隣接部分に接着されるように、ストロベル構造をしている。示されるように、ヒールスタビライザー７４は、ヒール５２の周囲に沿って、ミッドソール１４とアッパー１２との間に組み立てられ得、ヒールスタビライザー７４の部分は、ミッドソール１４およびヒールカウンター３６の隣接部分に沿ってそれぞれ上方および下方に延在する。ヒールスタビライザー７４は、着用者のかかとの周りの領域に構造および保護を追加し得、ミッドソール１４とびアッパー１２との間の領域の両方で、ならびにスタビライザー７４によって接触される領域におけるそれらの側面に沿って、アッパー１２およびミッドソール１４の両方とセメントで接着されることによって、ヒール５２の周りのミッドソール１４とアッパー１２との間の接着性を改善し得る。いくつかの実装例では、完成したミッドソール１４は、ミッドソール１４を封入するため、および／またはさもなければ露出したレジリン材料を含み得るミッドソール１４の部分に望ましい視覚的または触覚的品質を提供するために、ポリウレタン、Ｂａｒｇｅ（登録商標）セメントなど、またはトウモロコシ系プロラミンタンパク質ゼインなどの様々なトウモロコシまたはタンパク質系の材料を含む仕上げ材の層でコーティングされ得る。この点に関して、コーティングはまた、追加のプライマーが必要とされないように、接着剤またはセメントによって接着性を向上し得る。一般に、好適なコーティングまたは仕上げ材は、コーティングの剥離またはき裂を防止するために、それらが適用されるレジリン材料のものと同等の弾性特性を有する。
【０１１６】
図８〜１０を参照すると、よりパフォーマンス指向の履物に使用するために以前に開発されたスタイル上の特性および組み立て特性を組み込んだライフスタイルスニーカー１１０の変形が示されている。一態様では、スニーカー１１０に関連して使用されるアッパーは、単一のピース、すなわち「シームレス」アッパー、またはその変形であり得る。かかるアッパーは、様々なタイプの「テクニカル」テキスタイル材料を含む、様々な織りまたは編みテキスタイル材料であり得る。かかるテキスタイル材料は、様々な天然または合成繊維からなり得、様々な３Ｄ編みプロセスを使用して、アッパー１１２の一般的な形状に形成され得る。あるいは、アッパー１１２は、図１〜３に示されるものと同様の非シームレス構造を含む、天然または合成皮革で作製され得る。
【０１１７】
スニーカー１１０は、成形されたエラストマー発泡体を組み込んだものと同様な、または類似する構造のレジリン材料からなるか、またはレジン材料を含むアウターを含み得る。かかるアウターは、ＥＶＡ、またはＥＶＡなどを含む様々な複合材料などの発泡材料からなるミッドソールを含み得、発泡材料は、未硬化状態で金型に注入され、金型内で硬化して、上述の形態などの、従来のカットアンドバフのミッドソールで可能であるよりもより有機的または非晶質な形態を含み得る、所望の形状を達成し得る。同様に、ＥＶＡなどの熱可塑性発泡体をストックの形態に切断し、熱下で圧縮成形して、同様の効果を達成することができる。いくつかの用途では、成形されたミッドソールは、互いに相互係合するように切断された発泡体の異なるピースを単一の金型内で圧縮成形することによってか、または異なる発泡体を金型内に同時に（例えば、デュアルショット射出成形）もしくは順次（インサート成形）注入することによって達成される、組成、密度などで、いくつかの異なる発泡材料を含み得る。図３に関連して上記考察されたものと同様の方法で、本レジリン材料は、上述の同時または順次成形プロセスのいずれかと同様のプロセスにおいて、複数の材料で成形されて、上記で一般的に考察され、かつ追加の実施例で以下に考察されるように、弾力性、緩衝性、耐摩耗性などを含む、様々な目的のための異なる特性の複数の材料を有する成形レジリンミッドソール１１４を達成し得る。様々な実装例では、例示のミッドソール１１４は、材料の所望の特性を達成するように、上記の説明に従って構成され得る、上記の発泡レジリン材料の変形例のいずれかによる発泡レジリン材料からなり得る。
【０１１８】
例示の成形レジリンミッドソール１１４は、体型に合わせたフットベッド１７６を含み得る。さらに、成形によって提供されるミッドソール１１４の形状の変形は、ヒールストライクエリア１６２、ならびにトゥスプリング１６８の両方の形状の調整を可能にして、様々な目的に好適なミッドソール１１４を作製することを可能にし得る。本実施例では、ミッドソール１１４は、比較的薄く、約１／８インチ〜１／２インチの間で上向きに延在し、ヒールカウンター１３６およびつま先２５に沿ってなど、ヒール１５２および前足１５６に隣接するアッパー１１２の部分に沿って追加の保護またはトラクションを提供する、ミッドソール１１４のそれぞれの部分によって画定されるヒールラップ１７８およびトウラップ１８０の両方を含むように示されている。さらに、ヒールラップ１７８およびトウラップ１８０の存在により、比較的大きな応力を受けることが多い領域において、ミッドソール１１４とアッパー１１２との間の接着のための追加の領域が提供され得る。
【０１１９】
図１０にも示されるように、ミッドソール１１４は、その外側部分（すなわち、アッパー１１２と反対側の接地側）に沿って様々な成形された特徴を含み得る。さらに、スニーカー１１０のアウターは、ミッドソール１１４が、かかる領域に追加のアウトソール１１６材料が存在しない状態での少なくともいくつかの使用シナリオ中、ミッドソール１１４の部分に沿って地面に接触するように構成され得る。このように、ミッドソール１１４は、アウトソール１１６の一部によって覆われていないミッドソール１１４の領域内に、様々な形態のトレッド１８４または他のトラクション生成特徴を有して構成され得る。図１０の特定の実施例では、ミッドソール１１４は、その上に追加のアウトソール材料を伴わずに示されており、アウター全体は、アウトソールがミッドソール１１４上に効果的に画定されるように、ミッドソールの接地部分全体に沿って分散されたトレッド１８４を含むミッドソール１１４で構成されている。使用可能な様式でかかる構成を達成するために、ミッドソール１１４は、（スニーカー１１０が意図された特定の目的のために許容されるレベルの緩衝性および／または反発性を維持しながら）耐摩耗性のために、少なくともその外側部分に沿って、および／または（示された一般的な形態か、または様々な性能およびスタイル上の考慮のために選択される一般的な形態の変形であり得る）トレッド１８４を画定する部分に沿って、最適化された特定のレジリン材料からなり得る。非限定的な一実施例では、かかる材料は、架橋前に、好適な特性を有するヒュームドシリカ、または別の凝集体、もしくは繊維を、最大約２０重量％の量で、精製されたレジリン材料に添加することによって達成され得る。レジリン材料へのヒュームドシリカの添加は、架橋後、（以下に考察されるように）より高い耐摩耗性およびより高いデュロメータを有する材料をもたらす。一実施例では、結果得られた材料は、ミッドソール１１４の一部（例えば、接地部分か、さもなければアウトソールを含むであろう領域内）のみに使用され得、ミッドソール１１４の残りの部分は、緩衝性のより高い（すなわち、ヒュームドシリカを有しないか、またはヒュームドシリカが少ない）レジリン材料で形成される。かかる構造は、一実施例では、ミッドソール１１４の異なる部分を別々に形成し、材料を一緒に接着または架橋することによって達成され得る。別の実施例では、以下でさらに考察されるように、デュアルショットまたはインサート成形構造が使用され得る。さらなる実施例では、ミッドソール１１４は、金型が、精製されたレジリンで部分的に充填され得、次いで、このレジリンが十分に架橋されて第１の材料を導出し得る、「機能性傾斜」構造であり得る。次いで、金型が、第１の材料の架橋よりも低い程度の追加の架橋を伴って、完全に充填され得る。結果得られる複合材料は、架橋の程度が異なるそれぞれの領域に、２つの異なる特性を示し得る。特に、このプロセスは、上述の凝集材料を用いて、または用いずに実行され得る。別の実施例では、同じまたは異なる組成の固体レジリン材料が、上述のコーティングのいずれかを含む耐摩耗性コーティングで被覆され得る。
【０１２０】
上述のミッドソール１４の実装例と同様に、図８〜１０に示されたミッドソール１１４は、ミッドソール１１４に剛性および支持を提供するシャンク１７０（図９）を、上述の方法で組み込み得る。ミッドソール１１４は、その中にシャンク１７０を確実に受容するためのいくつかの方法のうちの１つに適合され得る。例示の実施例では、ミッドソール１１４は、上述のシャンク７０の変形例と同様の構造であり得るシャンク１７０の上に成形され得る。このように、ミッドソール１１４を形成するために使用される金型は、架橋前に、精製されたレジリンタンパク質を添加する前に、シャンク１７０を金型内に保持するように適合され得、この保持は、金型内の宙吊り位置でシャンク１７０を支持し得るサポートを金型内に含むことによって達成され得る。様々な実施例では、ポストが、金型と統合され得、成形されたミッドソール１１４からのポストの除去によってプリセットされた任意の穴が、より精製および変性されたレジリンタンパク質の添加によってなどで、追加のレジリン材料で充填され得、充填されたれた追加のレジリン材料は、かかる穴の充填後に架橋され得る。別の実施例では、かかる穴は、レジリン材料からなる前もって製造されたプラグで充填され得るか、またはシャンク１７０は、成形中にポストがミッドソール１１４と一体化するように、レジリン材料または他の適合性のある発泡体を使用して、前もって製造されたインサート上に支持され得る。別の実施例では、シャンク１７０は、ミッドソール１１４内のキャビティ内に接着され得、シャンク１７０上に接着され得るレジリン材料シートまたは他の発泡体のインサートによって覆われ得る。別の実施例では、シャンク１７０は、以下にさらに記載されるのと同様の方法で、ミッドソール１１４と共にインサート成形され得るか、またはミッドソール１１４の外面に沿ってミッドソール１１４の外側に接着され得る。
【０１２１】
別個のアウトソールの代わりにミッドソール１１４に沿ったトレッド１８４の形成によってなどで、本構造のミッドソール１１４は、ライフスタイルスニーカー１１０の形態のスニーカーの本実施形態に好適であり得ることが理解されよう。特に、スニーカー１１０の接地部分、したがって主要トラクション源のための現在説明されている成形レジリン材料の使用は、ウォーキングおよびスタンディングを含む日常の使用に十分適したレベルのグリップを有するスニーカー１１０をもたらし得、中級の軽いランニングまたはジョギングに必要な十分なグリップを提供する一方、ミッドソール１１４によって提供される究極的な量のグリップは、横方向の急な変化が必要とされる（テニスなど）滑らかな表面上で行われる運動活動（バスケットボールなど）、または追加の足元の保護が所望され得る他の活動（トレイルランニングなど）での使用には十分ではない可能性がある。しかしながら、ミッドソール１１４の潜在的に低減されたグリップはオフセットであり得るが、ミッドソール１１４が全体的にスニーカー１１０に付与する向上した柔軟性および軽量による快適さにおいてゲインであり得る。同様に、柔軟性および軽量におけるかかるゲインは、ランニングおよびジョギングを含む特定の運動活動にも有利であり得るため、本実施形態のものと同様のミッドソール１１４を有するスニーカー１１０の変形が、ランニングスニーカーとしての使用に適合され得る。かかる変更は、少なくともヒール１５２領域に、向上した弾力性または反発性を有するレジリン材料を使用すること、またはヒールストライク１６２およびトゥスプリング１６８領域内などの高衝撃領域内にアウトソール材料の小さなセグメントを組み込むことによって、含み得る。一実施例では、ミッドソール１１４の外側部分（例えば、最も下側の接地部分および目に見える側壁）は、所望の耐摩耗性およびトラクションを提供すると共に、任意の外側特徴に十分な支持を提供するために、固体レジリン材料からなり得る一方、ミッドソール１１４は、発泡レジリン材料のコアを有し得る。かかる構造を達成するために、ミッドソール１１４は、一緒に接着または架橋されて単一のミッドソール１１４にされ得る、別個の内側部分および外側部分に形成され得る。
【０１２２】
図１１および１２に示されるように、上述の一般的な構成のミッドソール２１４、３１４は、サンダル２１０、３１９のアウターとしての使用に適合され得る。図１１に示される実施例では、サンダル２１０は、フリップフロップの一般的な形態であり、ミッドソール２１４は、図８〜１０に示されるものと同様の様式に構成され、サンダル２１０のアウター全体は、上述の発泡レジリン材料からなるなどの、上述のミッドソール１１４と同様の成形レジリンミッドソール２１４を備える。このように、ミッドソール２１４は、ミッドソール１１４のものと同様のレジリン材料で作製されて、サンダル２１０の他の固有の特徴または所望の特性のための可能性のある調整を伴って、所望の耐摩耗性を提供し得る。示されるように、ミッドソール２１４は、顕著なアーチ２６４を伴うなど、体型に合わせたフットベッド２７６を有して成形され得る。さらに、ミッドソール２１４は、ストラップ２８８が、他のタイプのフリップフロップスタイルのサンダルと同様の様式で通って付着し得る穴２８６を有して成形され得る。
【０１２３】
様々な実施例では、穴２８６は、ストラップ２８８の円板状またはＴ字形の頭部が、スナップフィットまたは圧入の様式で穴２８８の一部内に受容され得るように、および／または接着剤などによる恒久的な固定を可能にするように構成され得る。上記でも考察されたように、ミッドソール２１４は、アウトソールがミッドソール２１４上に適用されないように、または上記でも考察されたように、アウトソール材料の小さな部分のみがミッドソール２１４の特定の領域内に適用されるように、
サンダル２１０の所望のトラクションおよびスタイル上の考慮のために導出されるパターンで、図１０に示されるものと同様に、トレッドを有して成形され得る。描写されたストラップ２８８は、例示に過ぎず、スタイルおよびフィットのために異なって構成され得る。ストラップ２８８は、熱可塑性エラストマーなどの様々なプラスチック、ゴム、皮革（または菌糸体材料などの皮革の代替物）、テキスタイル（織タイプおよび様々な不織タイプの両方）、または成形または裁断されたレジリン材料を含む、任意の数の材料またはそれらの組み合わせからなり得る。
【０１２４】
代替の実施形態では、図１１に示されるものと同様のフリップフロップタイプのサンダルは、上述のように、スニーカー１０と関連して使用されるミッドソール１４と同様の積層形態で、レジリン材料のカットシートストックから作製され得る。かかる実施形態では、ストラップ２８８の端部は、穴２８６がミッドソール２１４を通って途中までしか延在しない状態で、層間に埋め込まれ得る。
【０１２５】
サンダル３１０のさらなる実施形態が図１２に示されており、サンダル３１０は、内側３５８から外側３６０まで、ミッドソール３１４の側壁３９０に沿って固定された単一ストラップ型アッパー３１２を有するスライドの形態である。さらに示されるように、サンダル３１０は、（全体または部分的に発泡レジリン材料を含む）レジリン材料のミッドソール３１４と、サンダル３１０の接地面を画定する、ミッドソール３１４に接着された別個のアウトソール３１６と、を含み得る。ミッドソール３１４は、図１１に関して上述したのと同様の様式で成形され得、他の構成が可能であるが、例示のように、図１１のフットベッド２７６と比較して追加の輪郭を示し得る、体型に合わせたフットベッド３７６を画定し得る。
【０１２６】
図１２にも示されるように、アッパー３１２は、ミッドソール３１４およびアウトソール３１６のそれぞれの部分の間に延在し得、これにより、接着剤などによって達成され得る、アッパー３１２のミッドソール３１４およびアウトソール３１６への取り付けのための追加の表面積が提供され得る。一実施例では、アッパー３１２は、ミッドソール３１４の下全体に延在して、ミッドソール３１４の内側３５８と外側３６０側とを接続し得、それによってアッパー３１２を、組み立てられたアウターにさらに固定する。このおよび同様の構造では、ミッドソール３１４は、その下に延在するアッパー３１２の任意の部分を収容するような方法で成形され得る。描写されたアッパー３１２は、バックルまたは他の調整機構を有する１つ以上のストラップを組み込むことによってなどで、本開示と整合性のあるいくつかの既知の代替形態を取り得、着用者のかかとの周りに延在する追加のストラップなど、および／または着用者のつま先の上の全体的もしくは部分的なエンクロージャ（すなわち、下駄）を含み得る。これらの構成のいずれかにおいて、アッパー３１２は、熱可塑性エラストマーなどの様々なプラスチック、ゴム、皮革（または菌糸体材料などの皮革の代替物）、テキスタイル（織タイプおよび様々な不織タイプの両方）、または成形または裁断されたレジリン材料を含む、任意の数の材料またはそれらの組み合わせから作製され得る。
【０１２７】
図１３〜１５を参照すると、アスレチックスニーカーに組み込まれた、図８〜１０に関して上述したものと一般に同様の成形レジリンミッドソール４１４を組み込んだスニーカー４１０のさらなる実施例が示されている。かかる実施形態では、アッパー４１２は、様々な理解された技術に従って、および様々な既知の特徴を組み込むことによって、異なる運動活動またはそれらの組み合わせに好適なスニーカー４１０（およびその変形）を作製するための様々な性能に基づく基準を満たすように構成され得る。本実施形態によるスニーカー４１０は、重量を低減し、柔軟性を高めるための縫い目の一般的な低減によって、ならびに足の保持および安定性を向上するのに役立つように、クォーター４３４に沿って補強材４９２を組み込むことによってなどで、そのように構成され得る。同様に、ミッドソール４１４は、図１〜１０に関して上述したライフスタイルスニーカー１０および１１０のためのミッドソール１４および１１４の実装例で優先され得る全体的な緩衝性および快適さを超える、様々なタイプの運動活動に所望される様々な性能特性を提供するように構成され得る。
【０１２８】
一実例では、スニーカー４１０は、足の保持を促進し、不快感を誘発することなくタイトなフィットを可能にする特定の特徴を有する軽量アッパー４１２を提供することによって、ランニングに適合され得る。かかる構成では、ミッドソール４１４は、（上述のように、アウター４１６によって覆われるミッドソール４１４の量の低減を可能にすることによってなどで）軽量化のために構成され得る。さらに、ミッドソール４１４は、疲労を低減するのに十分な程度の緩衝性を提供するように構成され得るが、かかるエネルギーの放散ではなく、リターンを促進する可能性がある。本明細書に記載のレジン材料の様々な組成物は、上述の溶媒交換ステップのために使用されるレジン組成物および架橋材材料、ならびに非水溶媒の特定の選択によってなどで、かかるエネルギーリターンを提供するように使用され得る。さらに、様々な材料を架橋前にレジリン材料に添加して、複合材料を導出することができる。
【０１２９】
一実施例では、かかる添加剤は、ミッドソール４１４のために使用される全材料（レジリンタンパク質を含む）の約２重量％〜約２０重量％を示すヒュームドシリカを含み得る。一実施形態では、レジリンミッドソールは、総重量で約１０％のヒュームドシリカを組み込み得る。このおよび他の凝集添加剤は、ミッドソール４１４の全体的な堅さ／剛性を増大し得、同様に、ミッドソール４１４材料の弾性率を増大し得る。さらなる実施例では、異なる領域で異なる特定のレジリン材料組成物からなるミッドソール４１４は、様々な活性への適合性をさらに助長し得る。一実施例では、比較的高密度のレジリン材料４１４ａは、残りのミッドソールを貫く材料４１４ｂと比較して、特にランニング中のオーバープロネーションの管理において安定性制御を提供するために、外側４６０を含む、内側４５８に沿ってヒール４５２および中足４５４領域に使用され得る。先の発泡ミッドソールに関連して使用されるかかる構造の他の実施例が、様々なレジリン材料組成物を使用して同様に導出され得る。さらに、レジリン材料は、様々な領域（ヒールストライク４６２の上、および前足４５６の中足骨頭領域４６６など）における緩衝性を促進するために、様々なエラストマーのものを含む様々な非レジリンインサート４９４上に成形され得る。いくつかの変形例では、かかるインサート４９４は、ミッドソール４１４によって提供される適切な保護を有するインサート４９４のために、より柔らかいエラストマーまたは様々な液体さえ使用され得るように、ミッドソール４１４内の内部ポケット内にあり得る。様々な他のタイプのアスレチックスニーカーは、同様に、テニス、バスケットボールなどを含む、かかる活動に所望される特性を提供するように構成されたレジリン材料のミッドソールを組み込み得る。
【０１３０】
上述のように、ミッドソール４１４のために使用されるレジリン材料は、上述の様々な実施例および構成に従った発泡レジリン材料または積層穿孔構造体であり得る。このように、ミッドソール４１４ａおよび４１４ｂの様々な部分は、セルサイズなどを含む、発泡体の変形例によって達成される異なる特性（例えば密度）を有する発泡レジリン材料からなり得る。さらなる実施例では、ミッドソール４１４は、例えば、その所望の特性のための様々な構成に従って、レジリン材料（すなわち、固体レジリン材料）のビーズを製造することによって達成され得る独立気泡発泡体構造のものであり得る。レジリンビーズは、ミッドソール４１４用の金型内に配置されて再架橋され、ビーズを一緒に接合してミッドソール４１４の全体形状にし得る。この配置では、ビーズは、ビーズが金型内に配置されたときに、空隙がビーズ間に存在し、ビーズが、空隙によってセルを囲むように十分な相互接触を達成するように、一般的に球形の様々なサイズのものであり得る。このように、異なるサイズのビーズが複合構造体内で一緒に使用され、所望の独立気泡構成を提供し得る。さらに、異なる配置の異なるビーズが、ミッドソール４１４の様々な領域（図１４に示された、領域４１４ａおよび４１４ｂを含む）で使用されて、独立気泡レジリン発泡材料の異なる特性を提供し得る。
【０１３１】
図１５にさらに示されるように、ミッドソール４１４は、ミッドソール４１４の外面の一部に沿って延在し、アウトソール４１６の下にあるミッドソール４１４の部分に固定される成形外部シャンク４７０を組み込み得る。シャンク４７０のかかる実装例は、射出成形ポリマー（すなわち、様々なプラスチック）、炭素繊維強化ポリマー、またはＫｅｖｌａｒ強化ポリマーからなり得、所望の性能およびスタイル上の特性を達成する様々な形状のものであり得る。図示のように、シャンク４７０は、ミッドソール４１４とは別個に製造され得、接着剤などを使用してミッドソール４１４に固定され得、その後、アウトソール４１６が、シャンク４７０の上を含む、ミッドソール４１４に組み立てられる。別の実施例では、ミッドソール４１４は、所望のレジリンタンパク質の添加およびその架橋の前に、ミッドソール金型内にシャンク４７０を位置付けることによって、シャンク４７０の上に成形され得る。例示のミッドソール４１４およびその理解された変形例による様々な実装例では、ミッドソール１１４は、必要に応じて、柔軟性の増加した局所領域を提供するための様々なフレックスノッチ４８２を含み得る。
【０１３２】
レジリン材料は、上記の原理の適用に基づいて、さらなるタイプの履物に組み込まれ得る。上述のように、靴のインソール（例えば、インソール２０）は、（レジリン材料の潜在的な生体適合性により）最上面を含め、本レジリン材料で作製され得る。かかるンソールは、インサートまたはスクリムの上にレジリン材料を成形して、インソールの強度およびその裂けに対する耐性などを向上させることによってなどで、補強を組み込み得る。プリセットレジリン材料の変形例からなるインソールは、ドレスシューズ、作業靴、ブーツなど、ほぼあらゆるタイプの履物に使用され得る。さらに、成形レジリン材料のインサートは、既存のタイプのミッドソールに類似するか、さもなければ同様の様々なタイプのミッドソール内に組み込まれ得る。かかる一実施例では、緩衝のために最適化されたレジリン材料の成形インサートが、レジリンインサートを中に隠す様式で受容するための内部キャビティを有する一般的に伝統的な皮革などのミッドソールを製造することによってなどで、ドレスシューズのミッドソールの中に組み込まれ得る。同様のインサートが、発泡材料の運動用ミッドソールを含む、他のタイプのミッドソール内に同様に組み込まれ得る。さらに、成形レジリン材料は、上述のライフスタイルスニーカー１１０のアウターとしてのミッドソール１１４の使用と同様の様式で、ドレスシューズのアウターとして使用され得る。さらに、本明細書で考察されるタイプのレジリン材料は、靴の舌革３０およびカラー３８領域、またはパッドが中に組み込まれる他の領域内を含む、様々なタイプの靴の他のどこかに使用される様々な発泡体を置き換えるために使用され得る。
【０１３３】
上述のように、アッパーの上述した部分の形状および構成は、あくまでも例示であり、異なる外観、ならびに異なるフィットおよび性能特性（柔軟性、支持、重量など）を達成するために変更され得る。
【０１３４】
いくつかの点で、一般にエラストマーに匹敵するレジリンの特性は、エラストマー製のスニーカーのミッドソールの組み立てに使用されるものと同一または同等のパラメータおよび装置を用いる上記の技術を使用して上記の組み立てを完了することを可能にし得、同様の外観、および確立した技術および既存の機械を使用する効率性をもたらす。この点に関して、レジリン材料は、一般に、熱可塑性でないので、いくつかの典型的なエラストマーとは異なる様式で成形が実行される。しかしながら、レジリン材料は、本明細書に開示される履物の製造に有用であり得る、エラストマーで使用される他の処理および製造技術に適している可能性がある。
【０１３５】
レジリン材料を使用する上記の技術および製造方法はまた、エラストマーから部分かかる履物を作製するために使用される技術と一般に同様の技術を使用することによって、上記の様々なタイプ（スリッパ、サンダル、モカシン、ボートシューズ）を含む他のタイプの履物を製造するために使用され得、一方、レジリン材料の多くの追加の特性を活用して、上記の原理および変形例に従って、かかる履物およびその構造にさらなる利点を提供し得ることを理解されたい。このように、様々なスタイルのドレスシューズ、ブーツなどのミッドソールも、本レジリン材料で作製され得る。一用途では、レジリン材料は、特定のスタイルのブーツ（例えば、デザートブーツ）およびドレスシューズで使用される「クレープソール」に類似するように導出および加工され得る。他の同様の用途も可能である。
【０１３６】
記載のデバイスおよび他の構成要素の構造は、任意の特定の材料に限定されないことが、当業者によって理解されるであろう。本明細書に開示されるデバイスの他の例示的な実施形態は、本明細書に別段の記載がない限り、多種多様な材料から形成され得る。
【０１３７】
また、上記の実施例に示されるような、物品の要素の構造および配置は、単なる例示に過ぎないことに留意することも重要である。本革新の少数の実施形態のみが本開示で詳細に説明されているが、本開示を再検討する当業者は、列挙された発明特定事項の新規の教示および利点から著しく逸脱することなく、多くの修正が可能（例えば、様々な要素のサイズ、寸法、構造、形状および割合、パラメータの値、取り付け配置、材料の使用、色、向きなど）であることを容易に認識するであろう。例えば、一体的に形成されているように示された要素が、複数の部品で構築されてもよいか、または複数の部品として示されている要素が、一体的に形成されてもよく、インターフェースの操作が、逆にされるか、さもなければ変化されてもよく、システムの構造および／または部材またはコネクタまたは他の要素の長さまたは幅が、変化されてもよく、要素間に提供される調整位置の性質または数が、変化されてもよい。したがって、かかる修正はすべて、本革新の範囲内に含まれることが意図される。他の置換、修正、変更、および省略が、本革新の趣旨から逸脱することなく、望ましいおよび他の例示的な実施形態の設計、動作条件、および配置においてなされ得る。
【０１３８】
任意の記載されたプロセス、または記載されたプロセスの任意のステップが、他の開示されたプロセスまたはステップと組み合わされて、本考案の範囲内の構造を形成し得ることが理解されるであろう本明細書に開示された例示的な構造およびプロセスは、説明目的のためであり、限定するものと解釈されるべきではない。
【０１３９】
変形および修正が、本考案の概念から逸脱することなく、前述の構造および方法に対してなされ得ることも理解されるべきであり、さらに、このような概念は、以下の特許請求の範囲がそれらの言葉で別段に明確に述べない限り、これらの特許請求の範囲によって包含されることが意図されることを理解すべきである。
【０１４０】
上記の説明は、例示された実施形態のみのものと見なされる。当業者およびデバイスを製造または使用する者にとって、デバイスの修正はどうしても発生するものである。したがって、図面に示され、上述された実施例は単なる例示を目的としたものであり、物品の範囲を限定することを意図するものでなく、物品の範囲は、均等論を含む特許法の原理に従って解釈されるよう、以下の特許請求の範囲によって定義される。
【図１】
2021531107.tif 000003
【図２】
2021531107.tif 000004
【図３】
2021531107.tif 000005
【図４】
2021531107.tif 000006
【図５Ａ】
2021531107.tif 000007
【図５Ｂ】
2021531107.tif 000008
【図６】
2021531107.tif 000009
【図７Ａ】
2021531107.tif 000010
【図７Ｂ】
2021531107.tif 000011
【図８】
2021531107.tif 000012
【図９】
2021531107.tif 000013
【図１０】
2021531107.tif 000014
【図１１】
2021531107.tif 000015
【図１２】
2021531107.tif 000016
【図１３】
2021531107.tif 000017
【図１４】
2021531107.tif 000018
【図１５】
2021531107.tif 000019
【手続補正書】
【提出日】令和3年3月16日(2021.3.16)
【手続補正１】
【補正対象書類名】明細書
【補正対象項目名】全文
【補正方法】変更
【補正の内容】
【発明の詳細な説明】
【技術分野】
【０００１】
本開示は、一般に、架橋組換えレジリンおよび極性非水溶媒を含む固体レジリン材料を少なくとも部分的に使用して製造された履物に関する。
【背景技術】
【０００２】
弾性効率、圧縮弾性率、引張弾性率、せん断弾性率、硬度、反発性、および圧縮永久ひずみに関するその潜在的特性に起因して、材料の生成におけるレジリンへの関心が高まっている。レジリンは、石油系エラストマーと比較して、多くの特有の特性を有する。特に、レジリンはタンパク質であるので生分解され得、そのため、石油系ポリマーよりも環境に優しい。また、レジリンは生体適合性であり、したがって、ヒトまたは動物との接触を伴う用途で使用され得る。最後に、組換えレジリンの機械的性質は、多くの特定用途のために設計されたエラストマーを製造するために、タンパク質配列、タンパク質構造、分子間架橋の量、および処理変数を変えることを通じて調整され得る。
【０００３】
石油系エラストマーの代替として特別に処理された固体レジリン材料の有用性が、固体レジリン材料を、かかるエラストマーから作製されるか、またはかかるエラストマーを組み込んだ商品および物品での使用に特に好適にしている。一用途では、様々なタイプのスニーカーを含む履物は、異なるエラストマーを様々な方法で組み込む。所望の機械的性質を有し、大規模で効率的な生産に好適なレジリン組成物およびその作製方法が、同時継続中の同一出願人による米国仮特許出願第６２／７００，１９７号に開示され、参照によりその開示全体が本明細書に組み込まれる。必要とされるのは、エラストマーから作製されている、または作製され得る履物の様々な部分に適した固体レジリン材料、ならびに履物のかかる部分の構成、およびレジリンの固有の特性を利用するそれらの製造方法である。
【発明の概要】
【課題を解決するための手段】
【０００４】
本開示の少なくとも１つの態様では、履物物品は、アッパーおよびアッパーと連結されたミッドソールを含む。ミッドソールは、架橋組換えレジリンおよび極性非水溶媒を含む固体レジリン材料の少なくとも１つの部分を含む。
【０００５】
様々な実施形態では、固体レジリン材料は、石油系エラストマーの物理的性質に類似する少なくとも１つの物理的性質を画定するエラストマーであり得る。一実施例では、石油系エラストマーは、酢酸エチルビニル発泡体であり得る。
【０００６】
追加のまたは代替の実施形態では、ミッドソールは、少なくとも１つの露出した接地面を画定し得る。この少なくとも１つの露出した接地面は、ミッドソールのヒール領域または前足領域のうちの１つ内にあり得、アウトソールによってさらに被覆されないことがある。
【０００７】
様々な実施形態では、履物物品は、スニーカーであり得、ラスティングボードをさらに含み、アッパーは、ラスティングボードに固定されて、ラスティングボードと共に内部の足受容キャビティを画定し、ミッドソールは、ラスティングボードと反対側のアッパーと連結される。さらなる実施形態では、履物物品は、サンダルであり得、アッパーは、１つ以上のストラップを含み得、少なくとも１つの開放領域を画定する。
【０００８】
少なくとも別の態様では、履物物品を作製するための方法は、架橋溶液を有する金型内に、精製された組換えレジリン組成物を配置することと、組換えレジリン組成物を架橋溶液中でインキュベートして固体レジリン材料を生成することと、固体レジリン材料の少なくとも１つの部分を含むミッドソールを製造することと、ミッドソールをアッパーと組み立てることと、を含む。様々な実施形態では、本方法は、ミッドソールを製造する前に、固体レジリン材料を溶媒交換プロセスに供して、架橋溶液を実質的に除去し、固体レジリン材料を、架橋組換えレジリンおよび極性非水溶媒を含む固体レジリン材料として構成することをさらに含み得る。
【０００９】
少なくとも別の態様では、履物物品のためのインソールは、架橋組換えレジリンと、極性非水溶媒と、を含み、インソールの少なくとも１つの部分を画定する固体レジリン材料を含む。一実施形態では、固体レジリン材料を含むインソールのこの部分は、露出した足支持面を含み得る。さらにまたはあるいは、固体レジリン材料を含むインソールのこの部分は、インソールの全体的な形状を画定し得る。
【００１０】
本装置のこれらおよび他の特徴、利点、および目的は、以下の明細書、特許請求の範囲、および添付の図面を検討して、当業者によってさらに理解および認識されるであろう。
前述の概要、ならびに本発明の以下の詳細な説明は、添付の図面と併せて読むと、より良く理解されるであろう。例証目的で、本開示の特定の態様が、図面に示されている。しかしながら、本開示は、示される正確な配置および手段に限定されないことを理解されたい。図面は、必ずしも縮尺通りではない。本発明の特定の特徴は、明確化および簡潔化のために、スケールが誇張されているか、または概略的な形態で示されていることがある。
【図面の簡単な説明】
【００１１】
【図１】本開示の一態様による、スニーカーの正面斜視図である。
【図２】スニーカーの正面斜視分解図である。
【図３】スニーカーのミッドソールの正面斜視分解図である。
【図４】発泡レジリン材料の２つの試料の正面斜視図である。
【図５Ａ】固体レジリン材料の積層穿孔構造体の分解斜視図である。
【図５Ｂ】固体レジリン材料の積層穿孔構造体の上面立面図である。
【図６】固体レジリン材料の積層穿孔構造体のさらなる実施例の上面立面図である。
【図７Ａ】固体レジリン材料の積層穿孔構造体のさらなる実施例の分解斜視図である。
【図７Ｂ】固体レジリン材料の積層穿孔構造体のさらなる実施例の上面立面図である。
【図８】本開示の別の態様による、スニーカーの正面斜視図である。
【図９】スニーカーの正面斜視分解図である。
【図１０】スニーカーの底面斜視図である。
【図１１】本開示の一態様による、サンダルの正面斜視図である。
【図１２】本開示の一態様による、代替サンダルの正面斜視図である。
【図１３】本開示の別の態様による、スニーカーの正面斜視図である。
【図１４】スニーカーの正面斜視分解図である。
【図１５】スニーカーの一部の底面斜視図である。
【発明を実施するための形態】
【００１２】
本発明の様々な実施形態の詳細が、以下の説明に記載される。本発明の他の特徴、目的、および利点は、説明および図面から、ならびに特許請求の範囲から明らかになるであろう。
【００１３】
定義
別途定義されない限り、本明細書で使用されるすべての技術用語および科学用語は、本開示が関連する技術分野の当業者に一般に理解されるのと同じ意味を有する。
【００１４】
「１つの（ａ）」および「１つの（ａｎ）」および「その（ｔｈｅ）」という用語、ならびに本明細書で使用される同様の指示対象は、別様に本明細書に記載されるか、または文脈に明確に矛盾しない限り、単数形および複数形の両方を指す。
【００１５】
「約」、「およそ」、または「に類似する」という用語は、当業者によって決定される特定の値の許容誤差範囲内を意味し、許容誤差範囲は、値が測定または決定される方法、もしくは測定システムの限界に部分的に依存し得る。以下に記載されるすべての範囲および量が近似であり、本発明を限定することを意図しないことを理解されたい。範囲および数値が使用される場合、これらは、統計の範囲または測定誤差もしくは変動を含むように近似され得る。いくつかの実施形態では、例えば、測定値は、プラスまたはマイナス１０％であり得る。
【００１６】
アミノ酸は、それらの１文字コードまたはそれらの３文字コードによって言及され得る。１文字コード、アミノ酸名、および３文字コードは、次のとおりである。Ｇ−グリシン（Ｇｌｙ）、Ｐ−プロリン（Ｐｒｏ）、Ａ−アラニン（Ａｌａ）、Ｖ−バリン（Ｖａｌ）、Ｌ−ロイシン（Ｌｅｕ）、Ｉ−イソロイシン（ｌｉｅ）、Ｍ−メチオニン（Ｍｅｔ）、Ｃ−システイン（Ｃｙｓ）、Ｆ−フェニルアラニン（Ｐｈｅ）、Ｙ−チロシン（Ｔｙｒ）、Ｗ−トリプトファン（Ｔｒｐ）、Ｈ−ヒスチジン（Ｈｉｓ）、Ｋ−リジン（Ｌｙｓ）、Ｒ−アルギニン（Ａｒｇ）、Ｑ−グルタミン（Ｇｉｎ）、Ｎ−アスパラギン（Ａｓｎ）、Ｅ−グルタミン酸（Ｇｌｕ）、Ｄ−アスパラギン酸（Ａｓｐ）、Ｓ−セリン（Ｓｅｒ）、Ｔ−スレオニン（Ｔｈｒ）。
【００１７】
「含む（ｉｎｃｌｕｄｉｎｇ）」、「含む（ｉｎｃｌｕｄｅｓ）」、「有する（ｈａｖｉｎｇ）」、「有する（ｈａｓ）」、「有する（ｗｉｔｈ）」という用語、またはそれらの変形は、「含む（ｃｏｍｐｒｉｓｉｎｇ）」という用語と同様に包括的であることが意図される。
【００１８】
本明細書で使用される場合、「微生物（ｍｉｃｒｏｂｅ）」という用語は、微生物（ｍｉｃｒｏｏｒｇａｎｉｓｍ）を指し、単細胞生物を指す。本明細書で使用される場合、この用語は、すべての細菌、すべての古細菌、単細胞原生生物、単細胞動物、単細胞植物、単細胞真菌、単細胞藻類、すべての原生動物、およびすべてのクロミスタを含む。
【００１９】
本明細書で使用される場合、「天然」という用語は、天然の変更されていない状態で自然界にみられるものを指す。
【００２０】
「任意選択の」または「任意選択で」という用語は、その特徴もしくは構造が存在しても存在しなくてもよいこと、または事象もしくは状況が生じても生じなくてもよいこと、ならびに、その記載が、特定の特徴もしくは構造が存在する場合およびその特徴もしくは構造が存在しない場合、またはその事象もしくは状況が生じる場合およびその事象もしくは状況が生じない場合を含むことを意味する。
【００２１】
本明細書で使用される場合、「分泌された画分」という用語は、細胞によって産生される全レジリンと比較した、細胞から分泌される組換えレジリンの画分を指す。
【００２２】
本明細書で使用される場合、「分泌シグナル」という用語は、ポリペプチドと融合されたときに、そのポリペプチドの細胞からの分泌を媒介する短いペプチドを指す。
【００２３】
本明細書で使用される場合、「分泌型レジリンコード配列」という用語は、本明細書で提供されるようなレジリンをコードするヌクレオチド配列であって、そのＮ末端で分泌シグナルに融合され、任意選択でそのＣ末端でタグペプチドまたはポリペプチドに融合されている、ヌクレオチド配列を指す。
【００２４】
ポリペプチド（例えば、レジリン）に関して本明細書で使用される場合、「組換え」という用語は、組換え宿主細胞内で産生されるポリペプチド、または組換え核酸から合成されるポリペプチドを指す。
【００２５】
本明細書で使用される場合、「組換え宿主細胞」という用語は、組換え核酸を含む宿主細胞を指す。
【００２６】
本明細書中で使用される場合、「組換え核酸」という用語は、その天然に存在する環境から取り出された核酸、または天然に見出されたときにその核酸に隣接もしくは近接する核酸の全部もしくは一部と関連しない核酸、または天然には連結されていない核酸と機能的に連結された核酸、または天然には存在しない核酸、または天然にはその核酸に見出されない修飾（例えば、人工的に、例えば、ヒトの介入によって導入された挿入、欠失、もしくは点変）を含有する核酸、または異種部位において染色体に組み込まれた核酸を指す。この用語は、クローニングされたＤＮＡ単離物、および化学合成されたヌクレオチド類似体を含む核酸を含む。
【００２７】
本明細書で使用される場合、「ベクター」という用語は、連結されている別の核酸を輸送することができる核酸分子を指す。ベクターの１つのタイプは「プラスミド」であり、これは、一般に、追加のＤＮＡセグメントがライゲートされ得る環状の二本鎖ＤＮＡループを指すが、ポリメラーゼ連鎖反応（ＰＣＲ）による増幅から、または制限酵素による環状プラスミドの処理から生じるものなどの線状の二本鎖分子も含む。他のベクターとしては、バクテリオファージ、コスミド、細菌人工染色体（ＢＡＣ）、および酵母人工染色体（ＹＡＣ）が挙げられる。別のタイプのベクターは、追加のＤＮＡセグメントがウイルスゲノム内にライゲートされ得るウイルスベクターである。あるベクターは、それらが導入された細胞において自律的複製することができる（例えば、細胞において機能する複製起点を有するベクター）。他のベクターは、細胞への導入時に、細胞のゲノムに組み込まれ得、それによって、細胞ゲノムと共に複製される。
【００２８】
アミノ酸または核酸配列に関して本明細書で使用される場合、「反復」という用語は、ポリヌクレオチドまたはポリペプチド（例えば、連結配列）中に２回以上存在するサブ配列を指す。ポリヌクレオチドまたはポリペプチドは、介在配列なしで反復配列の直接反復を有し得るか、または介在配列を有する反復配列の非連続反復を有し得る。アミノ酸または核酸配列に関して本明細書で使用される場合、「準反復」という用語は、ポリヌクレオチドまたはポリペプチドにわたって不正確に反復される（すなわち、準反復サブ配列の一部が準反復間で可変である）サブ配列である。反復するポリペプチドおよびＤＮＡ分子（またはポリペプチドもしくはＤＮＡ分子の一部）は、反復サブ配列（すなわち、正確な反復）または準反復サブ配列（すなわち、不正確な反復）のいずれかで構成され得る。
【００２９】
本明細書で使用される場合、「天然レジリン」という用語は、昆虫によって産生されたエラストマーポリペプチドまたはエラストマータンパク質を指す。天然レジリンの非限定的な例のＧｅｎＢａｎｋアクセッション番号は、以下のＮＣＢＩ配列番号を含む。ＸＰ  ００２０３４１７９（セイシェルショウジョウバエ）、ＮＰ  ９９５８６０（キイロショウジョウバエ）、ＮＰ  ６１１１５７（キイロショウジョウバエ）、Ｑ９Ｖ７Ｕ０（キイロショウジョウバエ）、ＡＡＳ６４８２９、ＡＡＦ５７９５３（キイロショウジョウバエ）、ＥＧＩ５７８０５、ＡＥＱ４９４３８、ＸＰ００３３９９６７５、ＡＥＱ４９４３４、ＡＥＱ４９４３７、ＸＰ  ０１２０５８３３３、ＸＰ  ００６５６３１６５、ＸＰ  ０１１１８４１５７、ＸＰ  ００１８４３１４５、ＸＰ  ０１５０１１７３７、ＸＰ  ００８２０９０９７、ＸＰ  ００１６０５１３７、ＸＰ  ００２４２８６３７、ＸＰ  ０１１１６５９３３、ＮＰ  ００１１８２３２９、ＸＰ  ０１４２２０２９１、およびＡＤＭ２６７１７。
【００３０】
本明細書で使用される場合、「修飾」という用語は、機能的特性が、天然タンパク質または天然ポリペプチドの特性の１０％以内に保存されている、天然タンパク質またはポリペプチド配列と組成が異なるタンパク質またはポリペプチド配列を指す。いくつかの実施形態では、修飾タンパク質またはポリペプチドと天然タンパク質またはポリペプチドとの間の違いは、一次配列（例えば、１つ以上のアミノ酸が除去、挿入、または置換されている）または翻訳後修飾（例えば、グリコシル化、リン酸化）にあり得る。アミノ酸欠失は、タンパク質からの１つ以上のアミノ酸の除去を指す。アミノ酸挿入は、１つ以上のアミノ酸残基が、タンパク質またはポリペプチドに導入されることを指す。アミノ酸挿入には、単一または複数のアミノ酸のＮ末端および／またはＣ末端における融合、ならびに配列内挿入が含まれ得る。アミノ酸置換としては、非保存的置換および保存的置換が挙げられ、保存的アミノ酸置換の表は、当該技術分野において周知である（例えば、Ｃｒｅｉｇｈｔｏｎ  （１９８４）  Ｐｒｏｔｅｉｎｓ．  Ｗ．Ｈ．  Ｆｒｅｅｍａｎ  ａｎｄ  Ｃｏｍｐａｎｙ  （Ｅｄｓ）参照）。いくつかの実施形態では、修飾タンパク質またはポリペプチドと天然タンパク質またはポリペプチドとのアミノ酸またはヌクレオチド配列の同一性は、アミノ酸またはヌクレオチド塩基の少なくとも６０％、少なくとも６５％、少なくとも７０％、少なくとも７５％、少なくとも８０％、少なくとも８５％、少なくとも９０％、少なくとも９５％、または少なくとも９８％である。
【００３１】
本明細書で使用される場合、「短縮型」という用語は、天然タンパク質またはポリペプチドよりも短い長さのタンパク質またはポリペプチド配列を指す。いくつかの実施形態では、短縮型タンパク質またはポリペプチドは、天然タンパク質またはポリペプチドの長さの１０％超、または２０％超、または３０％超、または４０％超、または５０％超、または６０％超、または７０％超、または８０％超、または９０％超であり得る。
【００３２】
本明細書で使用される「相同体」または「実質的類似性」という用語は、ポリペプチド、核酸またはその断片に言及する場合、適切なアミノ酸またはヌクレオチドの挿入または欠失によって、別のアミノ酸もしく核酸（またはその相補鎖）と最適に整列化されたときに、前述のようなＦＡＳＴＡ、ＢＬＡＳＴ、またはＧａｐのような配列同一性の任意の周知のアルゴリズムによって測定されたときに、アミノ酸またはヌクレオチド塩基の少なくとも６０％、少なくとも６５％、少なくとも７０％、少なくとも７５％、少なくとも８０％、少なくとも８５％、少なくとも９０％、少なくとも９５％、または少なくとも９８％において、アミノ酸またはヌクレオチド配列の同一性が存在することを示す。
【００３３】
本明細書で使用される場合、「レジリン」という用語は、架橋してエラストマーを形成し得るタンパク質もしくはポリペプチドを指し、このタンパク質もしくはポリペプチドは、天然レジリン、修飾された天然レジリン、または短縮された天然レジリンである。本発明のレジリンは、好ましくは、組換えレジリンである。いくつかの実施形態では、組換えレジリンは、宿主細胞から異種発現および分泌された、（例えば、昆虫から単離された）レジリンまたはレジリン断片をコードする天然のまたは修飾された（例えば、短縮または連結された）ヌクレオチド配列を含む。好ましい実施形態では、分泌型組換えレジリンタンパク質は、宿主細胞の細胞外溶液から収集される。
【００３４】
本明細書で使用される場合、「エラストマー」という用語は、粘弾性および典型的には弱い分子間力（分子間の共有結合性架橋が存在する場合、それを除く）を有するポリマーを指す。粘弾性は、変形を受けたときに粘性特性および弾性特性の両方を示し、したがって、時間依存性ひずみを示す材料の特性である。弾性は、秩序固体中の結晶面に沿った結合伸縮と関連付けられ、粘性は、非晶質材料内の原子または分子の拡散の結果である。したがって、粘弾性であるエラストマーは、一般に、他の材料と比較して、低いヤング率および高い破壊ひずみを有する。材料の粘性成分のため、粘弾性材料は、荷重が印加された後に除去されると、エネルギーを放散する。この現象は、粘弾性材料の応力−ひずみ曲線におけるヒステリシスとして観察される。荷重が印加されるときには、特定の応力−ひずみ曲線があり、荷重が除去されると、除荷時の応力−ひずみ曲線は、印加中の応力−ひずみ曲線とは異なる。放散されるエネルギーは、印加曲線と除荷曲線との間の面積である。
【００３５】
本明細書で使用される場合、「非水」という用語は、水ではない１つ以上の化合物を主に含む溶媒を指す。これには、溶媒として存在する水の割合の全体的な減少をもたらす、溶媒との溶媒交換プロセスに供された組成物、すなわち、水が、溶媒としての非水分子に置き換えられた組成物が含まれる。いくつかの実施形態では、非水溶媒は、５０％未満の水を含む溶媒である。架橋レジリン組成物のための溶媒に関して本明細書で使用される極性非水溶媒は、レジリンを溶解し得る任意の非水溶媒を指す。
【００３６】
本明細書で使用される場合、「連結」という用語は（連結する、連結している、連結されたなど、そのすべての形態において）、一般に、２つの構成要素を互いに直接的または間接的に接合することを意味する。かかる接合は、本質的に静止していてもよく、または本質的に可動であってもよい。かかる接合は、２つの構成要素と、互いに単一の単体ボディーとして統合される任意の追加の中間部材とを用いて、もしくは２つの構成要素を用いて達成される（例えば、アッパーは、アウトソールに直接、またはそれらの間に位置付けられたミッドソールを介して連結され得る）。かかる接合は、別段の記載がない限り、本質的に永久的であってもよく、本質的に取り外し可能または解除可能であってもよい。
【００３７】
本明細書における値の範囲の列挙は、本明細書に別段の記載がない限り、範囲内に含まれる各個別の値を個別に参照する簡略法として機能することのみを意図しており、各個別の値は、本明細書に個別に列挙されるかのように本明細書に組み込まれる。
【００３８】
図面を参照するとき、反対に明確に指定されている場合を除き、描写される物品が様々な代替の配向を取り得ることを理解されたい。添付の図面に示され、以下の明細書に記載される特定の物品、構成要素、およびプロセスは、添付の特許請求の範囲に定義される概念の単なる例示であることも理解されたい。したがって、特許請求の範囲で別途明示的に記載されない限り、本明細書に開示される実施形態に関連する特定の寸法および他の物理的特性は、限定的なものとみなされるべきではない。様々な実施形態の詳細が、以下の説明に記載される。他の特徴、目的、および利点は、説明から明らかになるであろう。本明細書で別途定義されない限り、使用される科学用語および技術用語は、当業者に一般的に理解される意味を有するものとする。さらに、文脈によって別段に要求されない限り、単数形の用語は複数形の用語を含み、複数形の用語は単数形を含むものとする。「１つの（ａ）」および「１つの（ａｎ）」という用語は、文脈がそうでないことを示さない限り、複数の言及を含む。一般に、本明細書に記載される生化学、酵素学、分子細胞生物学、微生物学、遺伝学、ならびにタンパク質および核酸化学およびハイブリダイゼーションと関連して使用される専門用語は、当該技術分野で周知であり、一般的に使用されているものである。
【００３９】
本明細書に記載されたものと類似または同等の方法および材料も使用可能であり、当業者には明らかであろうが、例示的な方法および材料が以下に記載される。本明細書で言及されるすべての刊行物、および他の参考文献は、それらの全体が参照により組み込まれる。矛盾がある場合、定義を含めて、本明細書が優先する。材料、方法、および例は単なる例示であり、限定することを意図するものではない。
【００４０】
図１に例示される実施形態を参照すると、参照番号１０は、一般に、履物物品、具体的にはスニーカーの形態のものを指定する。スニーカー１０は、アッパー１２およびアッパー１２に固定されたミッドソール１４を含む。ミッドソール１４は、架橋組換えレジリン固体および極性非水溶媒を含むレジリン材料の少なくとも１つの部分を含む。
【００４１】
組換えレジリン材料および製造方法
本明細書に提供されるのは、組換えレジリンを含む一般的な組成物の概要、および、別段の記載がない限り、以下に記載されるものを含む、組換えレジリンを使用し得る様々な最終製品の間で共通であり得るそれらの製造のための方法である。これらの組成物および方法は、一般に、上記の’１９７出願に記載されているものと同様である。この点に関して、本開示を進める、組成物および方法の様々な態様に関する実施例および詳細が、本明細書に記載される。
【００４２】
レジリンは、石油系エラストマーと比較して、多くの特有の性質を有する。
最も顕著なことに、少なくともその多くの自然発生的用途において、レジリンは、変形に入力されたエネルギーがほとんど熱として失われない、極めて高い弾性効率（すなわち、弾力性）を有する。レジリンの他の望ましい特性は、例えば、レジリンの圧縮弾性率、引張弾性率、せん断弾性率、硬度、反発性、および圧縮永久ひずみに関する。さらに、レジリンは、タンパク質であり、したがって、生分解され得るため、石油系ポリマーよりも環境に優しい。また、レジリンは生体適合性であり、したがって、ヒトまたは動物との接触を伴う用途で使用され得る。最後に、組換えレジリンの機械的性質は、多くの特定用途のために設計されたエラストマーを製造するために、タンパク質配列、タンパク質構造、分子間架橋の量、および処理変数を変えることを通じて調整され得る。
【００４３】
様々な機械的性質を有する様々な架橋レジリン組成物、およびそれらの製造方法が本明細書に記載されている。本明細書にはまた、大型バッチで実行され得、以前の方法と比較して、架橋反応から残された不純物による劣化がほとんどないかあるいは全くない結果をもたらす、レジリン組成物を架橋して、様々な例示的な架橋レジリン固体を形成する方法も提供される。いくつかの実施例では、架橋反応は、レジリンを過硫酸アンモニウムなどの過硫酸塩に暴露することを含む。過硫酸塩によって触媒される架橋反応を開始するために、熱が加えられ得る。いくつかの実施例では、得られた組換えレジリン組成物が、以下に考察され、図面に示される様々な実施例で考察される特定の形状または形態を有するように、架橋は容器または金型内で発生する。
【００４４】
本明細書に提供される架橋レジリン固体組成物はまた、以下に考察されるように、履物の例を含む特定の用途での使用に好適であると判断される弾性率、硬度、最大弾性圧縮負荷、弾力性、材料寿命／疲労などに関して選択された機械的性質を提供する、極性非水溶媒を含む架橋レジリン組成物を含む。いくつかの実施形態では、この組成物は、レジリン組成物との溶媒交換を実行して、水性溶媒を非水溶媒に置き換えることによって作製される。他の用途では、溶媒交換は、架橋溶液または溶媒を、架橋溶液によっては実現されない可能性のある、劣化に対する耐性を含む、最終製品に寄与する特性のために選択される溶媒に置き換えるために行われ得る。架橋レジリンとの溶媒交換が可能な溶媒としては、自身の非架橋形態内にレジリンを溶解させる溶媒が挙げられる。
【００４５】
いくつかの実施例では、非水溶媒は、不揮発性かつ水溶性または極性である。いくつかの実施形態では、溶媒の分子量は、約１００以下である。さらなる実施例では、極性非水溶媒は、プロピレングリコール、グリセロール、エチレングリコール、４００〜１，０００，０００の様々な分子量のポリエチレングリコールなどの、水と混合されるか、またはニート溶液として使用される不揮発性水混和性溶媒を含む。別の実施例では、極性非水溶媒は、Ｂ）１−エチル−３−メチルイミダゾリウムアセテートおよび１−ブチル−３−メチルイミダゾリウムブロミドなどのニートな、または水と混合された（７０：３０のＩＬ：水〜３０：７０のＩＬ：水）溶液としてのイオン性液体を含み得る。特に、１：１で水と混合されると、１−エチル−３−メチルイミダゾリウムアセテートが、２０重量％でレジリンを溶解するだけでなく、水と混合されると、架橋反応がこの溶媒中でも起こり得る。この溶液は、イオン性液体の吸湿性のために、経時的に脱水しない。他の極性非水溶媒を有するレジリン材料の実施例が可能であり、その追加の実施例が、’１９７出願に与えられている。
【００４６】
レジリン組成物
天然レジリンの例は、コンセンサスアミノ酸配列ＹＧＸＰ（式中、Ｘはアミノ酸である）を含む複数の反復単位を含むＮ末端Ａドメイン（「Ａリピート」）と、キチン結合タイプＲＲ−２（Ｃ）ドメインと、コンセンサスアミノ酸配列ＵＹＺＸＺ（式中、Ｕはグリシンまたはセリンであり、Ｚはセリン、グリシン、アルギニン、またはプロリンであり、Ｘは任意のアミノ酸である）を含む複数の反復単位を含むＣ末端Ｂドメイン（「Ｂリピート」）と、を含み得る。すべての天然に存在するレジリンがＡ、Ｃ、およびＢドメインを有するわけではない。様々な昆虫によって産生される天然レジリンは通常、Ａおよび／またはＢドメイン内に不正確な反復（すなわち、準反復）を有し、準反復間に何らかのアミノ酸変異を有する。本開示による組換えレジリンの様々な実施例は、同様に、上記の組み込まれた’１９７出願においてより詳細に記載されるアミノ酸および残基のモチーフの様々なコンセンサス配列内に１つ以上のＡリピートおよび１つ以上のＢリピートを含み得る。さらに、組換えレジリンのいくつかの実施例は、１つ以上のＡリピート、１つ以上のＢリピート、および／または１つ以上のＣドメインを含む。さらなる実施例では、組換えレジリンは以下を含む、すなわち、１つ以上のＡ反復または１つ以上のＢ反復であるが両方ではない、１つ以上のＡ反復であるがＢ反復またはＣドメインではない、１つ以上のＢ反復であるがＡ反復またはＣドメインではない。組換えレジリンがＣドメインを含む実施例では、Ｃドメインは、ＡリピートまたはＢリピートのＮ末端側もしくはＣ末端側のいずれか、またはＡリピートとＢリオイートとの間に位置し得る。組換えレジリンのいくつかの実施例は、ＡリピートまたはＢリピートのＮ末端側に位置し得る、アミノ酸を含有する追加の配列をさらに含み得る。
【００４７】
いくつかの実施例では、組換えレジリンは、非天然環境で発現された完全長天然レジリンである。いくつかの実施形態では、組換えレジリンは、天然レジリンの短縮バージョンを含む。いくつかの実施形態では、短縮型天然レジリンは、少なくとも１つのＡリピートを含む。いくつかの実施形態では、短縮型天然レジリンは、少なくとも１つのＢリピートを含む。完全長および短縮型の天然レジリンの非限定的な実施例が、上述の’１９７出願に提供されている。いくつかの実施例では、組換えレジリンは、非天然の様式で架橋（例えば、より少ないまたはより多い架橋、異なるアミノ酸残基を介した架橋）された完全長または短縮型の天然レジリンである。実施例のいくつかでは、組換えレジリンは、様々な程度に短縮された修飾完全長レジリンまたは天然レジリンである。
【００４８】
いくつかの実施例では、修飾レジリンは、修飾レジリンが、完全長または短縮型天然レジリンとは１つ以上の異なる位置、および／または異なる量、および／または異なるタイプの翻訳後修飾を有するように、翻訳後修飾された（例えば、グリコシル化された、リン酸化された）アミノ酸残基において、完全長または短縮型天然レジリンとは異なる。いくつかの実施形態では、修飾レジリンは、修飾レジリンが、完全長または短縮型天然レジリンよりも１つ以上の異なる位置、および／または異なる量、および／または異なるタイプの架橋に関与するアミノ酸を有するように、架橋に関与するアミノ酸残基において、完全長または短縮型天然レジリンとは異なる。いくつかのかかる実施形態では、修飾レジリンは、１つ以上の追加の、もしくはより少ないチロシン残基、１つ以上の追加の、もしくはより少ないリジン残基、および／または１つ以上の追加の、もしくはより少ないシステイン残基を含む点で、完全長または短縮型天然レジリンとは異なる。
【００４９】
いくつかの実施例では、組換えレジリンは、連結された天然もしくは短縮型天然レジリンまたは連結された修飾レジリンを含む。いくつかの実施例では、連結された天然もしくは短縮型天然レジリンまたは連結された修飾レジリンは、少なくとも２個のＡリピート（例えば、２個、３個、４個、５個、６個、７個、８個、９個、１０個、またはそれ以上）を含む。いくつかの実施形態では、連結された短縮型天然レジリンまたは連結された修飾レジリンは、少なくとも２個のＢリピート（例えば、２個、３個、４個、５個、６個、７個、８個、９個、１０個、またはそれ以上）を含む。
【００５０】
架橋
いくつかの実施形態では、組換えレジリンは、特定の組換えレジリン組成物を得るために、様々な方法に従って架橋され得る。架橋後に得られる固体の所望の形状を達成するために、架橋剤を有する所望の溶媒中の組換えレジリンが、金型に充填され得る。結果得られる組換えレジリン固体の実施例が、図１〜１５にあり、以下にさらに考察される。
【００５１】
様々な実施例では、架橋は、レジリン内にジ−およびトリチロシン架橋を引き起こしてレジリン固体を形成するために、チロシン残基を介して達成され得る。他の実施例では、架橋は、リジン残基を介して達成され得る。いくつかの実施例では、架橋は、システイン残基を介して達成され得る。いくつかの実施例では、架橋は、トランスグルタミナーゼまたはポリ（エチレングリコール）（ＰＥＧ）を使用し得る。他の実施例では、組換えレジリンは、（例えば、西洋ワサビペルオキシダーゼを使用して）酵素架橋を介して架橋され得る。本方法は、レジリンの大型溶液を効率的に架橋し得る一方、得られる架橋生成物は、架橋レジリン固体中に共有結合的に組み込まれた活性酵素を含む。この活性酵素は、得られたレジリン固体中に残されると、レジリンのタンパク質骨格の分解を引き起こし得るラジカル鎖反応をもたらす可能性がある。他の実施例では、組換えレジリンは、光化学架橋を介して架橋され得るが、かかる架橋は、金型全体で光活性化が必要とされる反応には効率的ではない可能性がある。
【００５２】
分解を防止し、エネルギー吸収の量および形態が重要である特定の用途に好ましいいくつかの機械的性質を有する固体物質を作製し得る追加の架橋化学の例が、’１９７出願に開示されている。いくつかのかかる実施例では、組換えレジリンは、（様々な濃度で）過硫酸アンモニウムを含む溶媒、および熱の適用（例えば、約８０℃の温度で約２．５時間インキュベーション、この出願には、加熱およびインキュベーション温度の他の例が提供されている）を介して架橋され得る。いくつかの実施例では、他の過硫酸塩が使用され得る。
【００５３】
溶媒交換レジリン固体
架橋レジリンは、水性溶媒中で形成され得、エネルギー吸収および剛性が所望される特定の用途にはあまり好適でない低い硬度および弾性率を有する組成物をもたらす。いくつかの実施例では、水性溶媒を極性非水溶媒に置き換えて所望の材料特性を提供するために、架橋レジリン組成物に対して溶媒交換が行われ得る。上述のように、極性非水溶媒は、プロピレングリコール、グリセロール、エチレングリコール、４００〜１，０００，０００の様々な分子量のポリエチレングリコールなどの、水と混合されるか、またはニート溶液として使用される不揮発性水混和性溶媒を含み得る。別の実施例では、極性非水溶媒は、１−エチル−３−メチルイミダゾリウムアセテートおよび１−ブチル−３−メチルイミダゾリウムブロミドなどの、ニート溶液としての、または水と混合（７０：３０のＩＬ：水〜３０：７０のＩＬ：水）されたイオン性液体を含み得る。上述のように、１：１で水と混合されると、１−エチル−３−メチルイミダゾリウムアセテートが、２０重量％でレジリンを溶解するだけでなく、水と混合されると、架橋反応が、この溶媒内でも起こり得る。この溶液は、イオン性液体の吸湿性および低蒸気圧のために、経時的に脱水しない。本明細書に記載されるように、弾性率、硬度、最大弾性圧縮負荷、弾力性、および材料寿命／疲労を含む架橋レジリン組成物の材料特性は、溶媒交換を使用して調整され得る。架橋レジリンと溶媒交換を行うことが可能な溶媒としては、自身の非架橋形態内にレジリンを溶解させる溶媒が挙げられる。さらに、以下でさらに考察されるように、低蒸気圧溶媒と水との交換は、レジリンがエラストマー性を維持するために一定レベルの水和に依存するため、レジリン材料がエラストマー性を維持する持続時間を増大させる。水性溶媒は比較的短い期間で蒸発し、その結果、レジリンが硬質固体になる。極性非水溶媒は、蒸発に対してより耐性があり、結果生じるレジリン材料に及ぼす影響が限定される。
【００５４】
いくつかの実施例では、レジリンの水性溶媒を極性非水溶媒に置き換えるための溶媒交換は、熱の存在下で、例えば、約６０℃の温度で行われ得る。いくつかの実施形態では、溶媒交換プロセスは、レジリン固体に対する交換溶媒の体積の少なくとも１倍、少なくとも２倍、少なくとも５倍、少なくとも１０倍、または少なくとも２０倍を含有する溶液中で行われる。いくつかの実施形態では、溶媒交換は、少なくとも１時間、少なくとも２時間、少なくとも４時間、少なくとも８時間、少なくとも１６時間、少なくとも２４時間、または少なくとも４８時間にわたって行われる。いくつかの実施例では、グリセロール、プロピレングリコール、エチレングリコール、またはＤＭＳＯが、架橋レジリン固体組成物用の交換溶媒として使用される。
【００５５】
いくつかの実施例では、交換溶媒の選択および使用される濃度は、溶媒設計から、剛性、耐摩耗性などの所望の調整可能な機械的性質を達成するように選択され得る。これは、所望の用途（例えば、靴のアウター、ゴルフボールなど）に応じて選択され得る。さらに、上記溶媒交換プロセスによって、および非水溶媒中で形成される架橋レジリン組成物の実施例は、水系架橋レジリン固体と比較して、室温で長期間にわたって安定であり得る。さらに、水系レジリン固体は、非水溶媒系レジリン固体と比較して、より低い材料強度を呈する可能性がある。さらに、本明細書で考察される組換えレジリン組成物は、水性溶媒中の架橋組換えレジリンよりも大きい弾性率を有し得る。
【００５６】
いくつかの実装例では、本明細書に記載の架橋レジリン組成物は、５０以上、４０以上、３０以上、２０以上、１０以上、１０〜５０、４０、３０、もしくは２０、２０〜５０、４０、もしくは３０、３０〜５０、もしくは４０、または４０〜５０の（ＡＳＴＭ  Ｄ２２４０に従って測定され得る）ショアＯＯ硬度を有し得る。さらなる実施例では、組換えレジリン組成物は、（ＡＳＴＭ  Ｄ２２４０に従ってショアＯＯデュロメータを使用して測定された）少なくとも１０の硬度、または（ＡＳＴＭ  Ｄ２２４０に従ってショアＯＯデュロメータを使用して測定された）約１０〜約５０の硬度を有し得る。
【００５７】
さらなる実施例では、本明細書に記載の組換えレジリン組成物は、（ＡＳＴＭ  Ｄ７１２１によって測定された）約４０％〜約６０％の反発弾性率を示し得る。さらなる実施例では、本明細書に記載の組換えレジリン組成物は、（ＡＳＴＭ  Ｄ５７５によって測定された）約６ｐｓｉ〜約８ｐｓｉの２５％ひずみにおける圧縮応力を示し得る。さらなる実施例では、本明細書に記載の組換えレジリン組成物は、（ズウィック圧縮試験によって測定された）２ｋＮ未満の圧縮力で弾性−塑性遷移を受けることがない。
【００５８】
弾力性、圧縮弾性率、引張弾性率、せん断弾性率、破断までの伸度、最大引張強度、硬度、剛性、および反発性など、上記に従って達成された様々な特定のレジリン組成物の固体材料特性は、使用される溶媒、および溶媒交換がどのように行われるかに基づいて、調整され得る。レジリン固体中のレジリン濃度、および全レジリンの一部としての完全長レジリンの量も、架橋レジリン固体組成物の材料特性に影響を与えるように調整され得る。様々な実施例では、本明細書に記載されるように、水系レジリン組成物（すなわち、水性溶媒中の架橋レジリン組成物）を極性非水系レジリン組成物（すなわち、極性非水溶媒中の架橋レジリン組成物）に置き換えるための溶媒交換は、同様の弾力性および同様の弾性を有するより堅い材料をもたらし得る。
【００５９】
発泡レジリン固体
いくつかの実施形態では、組換えレジリン組成物は、発泡材料である。いくつかの実施形態では、組換えレジリン発泡体を調製する方法は、架橋組換えレジリン固体組成物を水性溶媒中に提供することと、この水性溶媒を極性非水溶媒と交換することと、１つ以上の気泡を架橋組換えレジリン固体組成物に導入することと、を含む。当技術分野で既知の気泡を導入する任意の方法が、ここで使用され得る。例えば、気泡を導入する方法としては、ボルテキシング、ミキシング、酵母の添加、および化学反応が挙げられるが、これらに限定されない。いくつかの実施形態では、１つ以上の気泡の導入は、架橋組換えレジリン固体組成物が提供されると同時に起こり得る。いくつかの実施形態では、１つ以上の気泡の導入は、架橋組換えレジリン固体組成物が提供された後に起こり得る。
【００６０】
発泡剤は通常、２つの方法のうちの１つでポリマー発泡体を作製するために、ポリマー材料中に導入される。一方の技術によれば、化学発泡剤がポリマーと混合される。化学発泡剤は、通常、ポリマーが溶融している条件下で、ポリマー材料中で化学反応を受け、ガスの形成を引き起こす。化学発泡剤は、一般に、特定の温度で分解し、窒素、二酸化炭素、または一酸化炭素などのガスを放出する低分子量有機化合物である。
【００６１】
例示的な化学発泡剤としては、重炭酸ナトリウム、重炭酸カリウム、アンモニウム、アゾジカルボンアミド、イソシアネート、ヒドラジン、イソプロパノール、５−フェニルテトラゾール、トリアゾール、４，４’オキシビス（ベンゼンスルホニルヒドラジド）（ＯＢＳＨ）、トリヒドラジントリアジン（ＴＨＴ）、リン酸水素、酒石酸、クエン酸、およびトルエンスルホニルセミカルバジド（ＴＳＳ）が挙げられるが、これらに限定されない。
【００６２】
いくつかの実施形態では、発泡剤、増粘剤、および／または硬化剤が、組換えレジリン固体に添加される。例示的な発泡剤としては、キサンタンガム、ドデシル硫酸ナトリウム、ラウリル硫酸アンモニウム、ウシ血清アルブミンが挙げられるが、これらに限定されない。例示的な増粘剤としては、ヒュームドシリカおよびキサンタンガムが挙げられるが、これらに限定されない。例示的な硬化剤としては、脂肪族ポリアミン、脂肪族ポリアミド、芳香族ポリアミン硬化剤、無水物硬化剤、三フッ化ホウ素硬化剤、および硬化剤（ジシアンジアミド）が挙げられるが、これらに限定されない。
【００６３】
別の技術によれば、物理的発泡剤、すなわち、周囲条件下でガスである流体が、溶融ポリマーストリーム内に注入されて混合物を形成する。混合物が圧力低下を受け、ポリマー中で発泡剤を膨張させ、気泡（セル）を形成させる。いくつかの実施形態では、必要な圧力は、約５００ｐｓｉ〜約２０００ｐｓｉ、例えば、約６００ｐｓｉ〜約１０００ｐｓｉ、約７００ｐｓｉ〜約１５００ｐｓｉ、および約８００ｐｓｉ〜約２０００ｐｓｉである。いくつかの実施形態では、必要な圧力は、約５００ｐｓｉである。
【００６４】
例示的な物理的発泡剤としては、クロロフルオロカーボン（ＣＦＣ）、溶解窒素、Ｎ２、ＣＨ４、Ｈ２、Ｃ０２、Ａｒ、ペンタン、イソペンタン、ヘキサン、メチレンジクロリド、およびジクロロテトラフルオロエタンが挙げられるが、これらに限定されない。
【００６５】
機械的性質
本開示によって導出され得るレジリン組成物のさらなる実施例は、架橋レジリンを含む組成物と比較して、異なる特性を有し得る。いくつかの実施例では、本明細書に提供される組成物は、様々な発泡体などを含む合成弾性またはエラストマー材料と比較して、同様の特性を有し得る。かかる特性の非限定的な例としては、弾力性、圧縮弾性率、引張弾性率、せん断弾性率、硬度、反発性、および圧縮永久ひずみが挙げられる。特定の機械的性質を有する組成物を得るために変更され得るパラメータとしては、例えば、組換えレジリンの長さおよび／または配列、組換えレジリンの翻訳後修飾の程度および／または種類、組換えレジリンの架橋の程度および／または種類、ならびに架橋レジリン組成物の溶媒の性質が挙げられる。
【００６６】
最大引張強度、圧縮弾性率、引張弾性率、せん断弾性率、破断までの伸度、および弾力性などの機械的性質は、エラストマー試料に対して応力−ひずみ測定を行う多くの異なるタイプの引張および圧縮システムを使用して測定され得る。これらの特性を試験するための様々な可能なプロセスおよび方法、ならびに本開示に従って導出され得るレジリン化合物の様々な値が、’１９７出願に記載されている。
【００６７】
本明細書に提供される組成物は、特に航空宇宙、自動車、スポーツ機器、防振、履物、および衣類における用途を含むが、これらに限定されない多くの用途を有する。これらのカテゴリからのいくつかの用途が、非限定的な例として列挙されている。望ましい弾性効率により、レジリンは、機械的エネルギーを貯蔵および回収するためのエネルギー貯蔵デバイス（例えば、ゴムバンド）として使用され得る。自動車用サスペンションシステムは、高速でバンプを乗り越え、およびポットホールを通過する際に道路上でタイヤの接触をより多く維持するために、レジリンブッシュを適用することによって改善され得る。さらに、異なって調整された機械的性質を有するレジリンには、ゴルフボールのコア、テニスラケットのグリップ、ゴルフクラブのグリップ、テーブルテニスのパドルを含む、多くのスポーツ機器用途がある。
【００６８】
特に関心の高い用途が、本明細書に提供されるレジリン組成物の特有の特性に起因した、履物である。インソールまたはミッドソールとして、レジリンは、フットストライクを緩衝することと、そのフットストライクからのエネルギーのより多くを前へ進む運動量として回復させることと、によって、靴の快適さおよび生物効率を向上し得る。ミッドソールとして、レジリンは、ミッドソール全体を構成するか、または別の材料（例えば、耐擦傷性もしくは耐摩耗性材料、またはトラクション用に調整された材料）内に、その特性を補完するように封入され得る。レジリンミッドソールはまた、以下でさらに考察されるように、強化された性能（例えば、より柔らかいヒールストライクエリアおよびよりしっかりとしたアーチサポート）を提供するために協調して機能する、異なって調整された機械的性質を有する複数のレジリン材料を含有し得る。
【００６９】
ベクター、宿主細胞、および発酵
’１９７出願でさらに開示されているように、開示されたベクターを含む組換え宿主細胞は、レジリンタンパク質を生成するための発酵に使用され得、上述の様々な配列によるものを含む。いくつかの実施例では、提供されるベクターは、そのＮ末端で分泌シグナルに、およびに任意選択でそのＣ末端でタグペプチドまたはポリペプチドに融合したレジリンポリペプチドをコードする分泌型レジリンコード配列を含む。いくつかの実施例では、ベクターは、特定の宿主細胞内での発現のためにコドン最適化された分泌型レジリンコード配列を含む。
【００７０】
’１９７出願でさらに考察されるように、好適な分泌シグナルは、本明細書で提供される組換え宿主細胞内でポリペプチドの分泌を媒介する分泌シグナルである。分泌型レジリンコード配列によってコードされたレジリンは、タグペプチドまたはタグポリペプチドにさらに融合され得る。いくつかの実施例では、ベクターは、単一の分泌型レジリンコード配列を含む一方、他の実施例では、ベクターは、２つ以上（例えば、３つ、４つ、または５つ）の分泌型レジリンコード配列を含む。分泌型レジリンコード配列は、同一であり得る。あるいは、分泌型レジリンコード配列のうちの少なくとも２つは、同一ではない。分泌型レジリンコード配列のうちの少なくとも２つが同一でない場合、この少なくとも２つの分泌型レジリンコード配列は、それらがコードするレジリンにおいて、および／または分泌シグナルおよび／または任意のタグペプチドもしくはタグポリペプチドにおいて、互いに異なり得る。
【００７１】
いくつかの実施例では、ベクターは、分泌型レジリンコード配列の発現を駆動するように、分泌型レジリンコード配列に作動可能に連結されているプロモータを含む。さらなる実施例では、ベクターは、分泌型レジリンコード配列の転写の終結をもたらすように、分泌型レジリンコード配列に作動可能に連結されているターミネータを含む。ベクターが２つ以上のレジリンコード配列を含む実施例では、この２つ以上のレジリンコード配列は、同一のプロモータおよび／またはターミネータに、もしくは２つ以上の異なるプロモータおよび／またはターミネータに、作動可能に連結され得る。
【００７２】
提供されるベクターは、組換え宿主細胞内でのベクターの増殖に好適な要素をさらに含み得る。かかる要素の非限定的な例としては、細菌の複製起点および選択マーカー（例えば、抗生物質耐性遺伝子、栄養要求性マーカー）が挙げられる。細菌の複製起点および選択マーカーは、当該技術分野で既知である。いくつかの実施形態では、選択マーカーは、薬物耐性マーカーである。薬物耐性マーカーは、細胞が、そうでなければ細胞を殺すであろう外因的に添加された薬物を解毒することを可能にする。
【００７３】
本開示のベクターは、宿主細胞のゲノム中の特定の位置への分泌型レジリンコード配列の組み込みを導く標的配列をさらに含み得る。かかる標的配列の非限定的な例としては、宿主細胞のゲノム中に存在するヌクレオチド配列と同一であるヌクレオチド配列が挙げられる。
【００７４】
組み換え宿主細胞は、記載のベクターを含み得る。いくつかの実施例では、ベクターは、例えば、相同組換えまたは標的組み込みを介して、組換え宿主細胞のゲノム（例えば、染色体）内に安定して組み込まれる。他の実施例では、ベクターは、組換え宿主細胞のゲノム内に安定的に組み込まれておらず、むしろ染色体外である。組換え宿主細胞は、哺乳動物、植物、藻類、真菌、または微生物起源であり得る。「組換え宿主細胞」という用語は、特定の対象細胞だけでなく、かかる細胞の子孫を指すことを意図することを理解されたい。突然変異または環境の影響により、特定の改変が次の世代で発生する可能性があるため、かかる子孫は、実際には、親細胞と同一ではない可能性があるが、本明細書で使用される「組換え宿主細胞」という用語の範囲内に含まれる。いくつかの実施例では、組換え宿主細胞は、本明細書に提供される組換えレジリンの産生を改善する遺伝子組み換えを含み得る。
【００７５】
組換え宿主細胞は、好適な起源をベクターで形質転換することによって生成される。かかる形質転換のために、ベクターは環化されるか、または線形であり得る。ベクターを含む組換え宿主細胞形質転換体は、例えば、細胞の成長を支持する、もしくは細胞の成長に抗する選択を可能にするベクターによってコードされる薬物耐性マーカーもしくは栄養要求性マーカーを発現することによって、または他の手段（例えば、ベクターに含まれる発光ペプチドの検出、個々の組換え宿主細胞コロニーの分子分析、例えば、制限酵素マッピング、ＰＣＲ増幅、または単離された染色体外ベクターもしくは染色体組み込み部位の配列分析によって）によって、容易に同定され得る。いくつかの実施例では、本明細書に提供される組換え宿主細胞は、本明細書に提供される組換えレジリンの高力価を生成し得る。
【００７６】
組換えレジリンの産生および分泌は、組換え宿主細胞に含まれる分泌型レジリンコード配列のコピー数および／または組換え宿主細胞に含まれる分泌型レジリンコード配列の転写速度によって影響され得る。いくつかの実施例では、組換え宿主細胞は、単一の分泌型レジリンコード配列を含む。他の実施例では、組換え宿主細胞は、２つ以上（例えば、３つ、４つ、５つ、またはそれ以上）の分泌型レジリンコード配列を含む。いくつかの実施例では、組換え宿主細胞は、強力なプロモータに作動可能に連結され得る分泌型レジリンコード配列を含む。
【００７７】
発酵は、組換え宿主細胞と、組換え宿主細胞を成長させるのに好適な培養培地を含む。発酵は、細胞生存および／または成長、ならびに組換えレジリンの分泌のために組換え宿主細胞に必要なる栄養素を提供する培養培地内で組換え宿主細胞を培養することによって得られる。かかる培養培地は通常、過剰な炭素源を含有する。好適な炭素源の非限定的な例としては、単糖類、二糖類、多糖類、およびそれらの組み合わせが挙げられる。好適な単糖類の非限定的な例としては、グルコース、ガラクトース、マンノース、フルクトース、リボース、キシロース、アラビノース、リボース、およびこれらの組み合わせが挙げられる。好適な二糖類の非限定的な例としては、スクロース、ラクトース、マルトース、トレハロース、セロビオース、およびこれらの組み合わせが挙げられる。好適な多糖類の非限定的な例としては、ラフィノース、デンプン、グリコーゲン、グリカン、セルロース、キチン、およびこれらの組み合わせが挙げられる。結果として生じる発酵は、様々な量の組換えレジリンを含み得る。
【００７８】
組換えレジリンを製造する方法
本明細書に記載される組換えレジリンは、様々な方法に従って製造され得る。かかる方法は、一般に、別段の記載がない限り、当該技術分野において周知であり、’１９７出願全体にわたって引用および考察される様々な一般的およびより具体的な参考文献に記載されるような、従来の方法に従って実行される。いくつかの実施形態では、宿主細胞からレジリンを細胞外に分泌するための方法が利用され得、本方法は、分泌型レジリンコード配列を含むベクターを構築することと、このベクターを宿主細胞に形質転換することと、次いで、組換え宿主細胞を培養して、レジリンを細胞外に分泌することと、を含み得る。次に、分泌されたレジリンが精製され得、次いで、精製されたレジリンが架橋されて、エラストマーを形成し得る。いくつかの実施例では、本方法は、本明細書に提供されるベクターで細胞を形質転換して、本明細書に提供される組換え宿主細胞を得るステップを含み得る。ベクターで細胞を形質転換するための方法は、当該技術分野において周知である。
【００７９】
本方法は、発酵を得るのに好適な条件下で、培養培地中で組換え宿主細胞を培養するステップをさらに含み得る。いくつかの実施例では、条件および培養培地は、組換え宿主細胞から培養培地への組換えタンパク質の分泌を促進するのに好適である。これらの方法で使用するための好適な培養培地は、好適な培養条件と同様に、当該技術分野で既知である。
【００８０】
精製は、発酵から分泌されたタンパク質を精製するための当該技術分野で既知の様々な方法によって起こり得る。かかる方法における一般的なステップの様々な例としては、遠心分離（細胞を除去するため）、続いて沈殿物または他の好適なコスモトロープ（例えば、硫酸アンモニウム）を使用したタンパク質の沈殿が挙げられる。次いで、沈殿タンパク質が、遠心分離によって上清から分離され、溶媒（例えば、リン酸緩衝生理食塩水［「ＰＢＳ」］）中に再懸濁され得る。懸濁したタンパク質を透析して、溶解した塩を除去することができる。さらに、透析されたタンパク質が加熱されて他のタンパク質に変性し得、変性したタンパク質が、遠心分離によって取り出され得る。任意選択で、精製された組換えレジリンが、コアセルベートされ得る。発酵から分泌型組換えタンパク質を精製する方法は、尿素またはグアニジンチオシアネートなどの既知のカオトロープを用いた全細胞ブロスまたは細胞ペレット中のタンパク質の可溶化と併せて、様々な遠心分離ステップを含み得、その実施例が、’１９７出願においてより詳細に考察されている。かかる方法およびステップ、ならびに他の精製方法は、当該技術分野で既知であり、本明細書に記載されるように、レジリンを精製するために使用または適合され得る。１つの例示的な方法のさらなる詳細が、Ｋｉｍ，  Ｍ．、Ｅｌｖｉｎ，  Ｃ．、Ｂｒｏｗｎｌｅｅ，  Ａ．  ＆  Ｌｙｏｎｓ，  Ｒ．のＨｉｇｈ  ｙｉｅｌｄ  ｅｘｐｒｅｓｓｉｏｎ  ｏｆ  ｒｅｃｏｍｂｉｎａｎｔ  ｐｒｏ−ｒｅｓｉｌｉｎ：    Ｌａｃｔｏｓｅ−ｉｎｄｕｃｅｄ  ｆｅｒｍｅｎｔａｔｉｏｎ  ｉｎ  Ｅ．  ｃｏｌｉ  ａｎｄ  ｆａｃｉｌｅ  ｐｕｒｉｆｉｃａｔｉｏｎ．    Ｐｒｏｔｅｉｎ  Ｅｘｐｒ．    Ｐｕｒｉｆ．    ５２，  ２３０−２３６（２００７）に記載されている。既知の方法の様々な適合および組み合わせが、当業者の知識に従って、大規模にレジリンを精製するために行われ得る。架橋のための特定の溶液および溶媒、ならびにそれらの様々な特定の組み合わせの例が、上記および’１９７出願において考察されている。
【００８１】
レジリン材料を使用した例示的な製品の概要
いくつかの実施形態では、例えば、必要に応じて、印加された力からのエネルギーを吸収するためなど、改善された物理的性質を有する組成物を提供するために、本明細書に記載の架橋レジリン組成物が使用され得る。いくつかの実施形態では、既存の製品中のゴムまたは他の合成エラストマーを置き換えるために、本明細書に記載の架橋レジリン組成物が使用され得る。特に、本明細書に提供される架橋レジリン組成物のうちのいくつかは、非弾性材料に遷移することなく、大きな力を吸収し得る。
【００８２】
いくつかの実施形態では、本明細書に提供される架橋レジリン組成物は、少なくともミッドソールの一部を含む、靴のアウターとして、使用され得る。いくつかの実施形態では、本明細書に提供される架橋レジリン組成物は、ゴルフボール、ソフトボールなどのコアの一部として使用され得る。他の実施形態では、本明細書に提供される架橋レジリン組成物は、例えば、ゴルフクラブまたはテニスラケットなどのスポーツ機器のハンドルまたはグリップ内に、自転車用グリップもしくはバイク用グリップとして、またはハンマー、ネイルガン、ジャックハンマー、およびエネルギーを吸収して戻すことが好ましい任意の他の工具などの、工具および工業的用途のグリップとして、使用され得る。いくつかの実施形態では、本明細書に提供される架橋レジリン組成物は、例えば、スケートボードトラックまたはハードディスクドライブプラッタの振動減衰器などの、ブラッシングまたは減衰に使用され得る。いくつかの実施形態では、架橋レジリン組成物は、スケートボード、ローラーブレード、またはスクーターなどの車輪の材料として使用され得る。いくつかの実施形態では、本明細書に提供される架橋レジリン組成物は、ヘルメット、肘もしくは膝パッド、肩パッド、保護手袋、または安全帽などの保護具のパッドなどの安全および保護装置のために、または擦傷から皮膚を保護するための保護外層として、使用され得る。
【００８３】
いくつかの実施形態では、本明細書に提供される架橋レジリン組成物は、例えば、ブッシュもしくはショックアブソーバなどのサスペンション部品、または、シートボルスタおよびランバーサポートなどの車内緩衝材などの自動車部品に使用され得る。いくつかの実施形態では、本明細書に提供される架橋レジリン組成物は、タイヤおよびインナーチューブに使用され得る。いくつかの実施形態では、本明細書に提供される架橋レジリン組成物は、スーバーボール（ｓｕｂｅｒｂａｌｌｓ）に使用され得る。いくつかの実施形態では、本明細書に提供される架橋レジリン組成物は、靴のインソール、ミッドソール、およびアウトソールに使用され得る。いくつかの実施形態では、本明細書に提供される架橋レジリン組成物は、パッド入りマット内で使用され得る。いくつかの実施形態では、本明細書に提供される架橋レジリン組成物は、いくつかのタイプのガスケットまたはＯリングに使用され得る。いくつかの実施形態では、本明細書に提供される架橋レジリン組成物は、耐衝撃性を高めるために、プラスチック品目に加えられ得る。いくつかの実施形態では、本明細書に提供される架橋レジリン組成物は、電話またはタブレットのケースなどの保護ケースに使用され得る。いくつかの実施形態では、本明細書に提供される架橋レジリン組成物は、ゴムスタンプに使用され得る。いくつかの実施形態では、本明細書に提供される架橋レジリン組成物は、ローラーに使用され得る。いくつかの実施形態では、本明細書に提供される架橋レジリン組成物は、ゴムバンドに使用され得る。
【００８４】
いくつかの実施形態では、本明細書に提供される架橋レジリン組成物は、靴底、地階フローリング、音響室のための騒音防止、カーバンパー、クッションパッド、ドアマット、ヨガマット、ドラムパッド、ウィンドワイパー、カータイヤ、消防ホース、電気配線絶縁、ゴムバンド、ラバーダック、弾性グローブ、調理器具、レインブーツ、歯固めおもちゃ、自転車タイヤ、時計、ジャー、ガスケット、ヘアゴム、フリップフロップ、電話ケース、メディシンボール、スーパーボール、水または粉塵からの汚染を防止するための電子機器用のシール、冷蔵庫または冷凍庫のドアシール、空気の部屋への流入または部屋からの流出を防止するためのシール、トランポリン、おしゃぶり、ウィンドウシール、ハロウィンマスク、ガーデンホース、卓球ラケット、コンベアベルト、ダクト、スタンプ、またはバルーンに使用され得る。
【００８５】
様々な実施例（上記に具体的に考察されたもの、および上記の説明に基づいて明らかであり得る、または導出され得るものを含む）において、上記の発酵、精製、架橋、および溶媒交換ステップが、一般的に様々なエラストマーに類似するレジリン系材料を生成するように導出または適合されることを理解されたい。その目的のために、かかる処理ステップが、様々なタイプの、または様々な既知の特性もしくは属性を有する様々なエラストマーのものと同様の特性もしくは性質（本明細書でより詳細に説明されるような、触覚的、視覚的、および物理的なものを含む）を有する特定のレジリン系材料を製造するために、特に適用され得る。このように、レジリン系材料は、通常、主にエラストマーからなるか、さもなければエラストマーを特徴とするか、もしくは含む様々な製品に、もしくは様々な形態に製造または加工され得る原材料を製造するために、本明細書に記載のプロセスおよび変形例に従って、および様々な組み合わせで、発酵され、精製され、架橋され、溶媒交換され、または様々な後処理ステップに供され得る。特定の形態および組成において、このレジリン系材料は、エラストマーからなる、またはエラストマーを含む同様な製品に対する消費者、小売業者、または製造業者の期待を満たすか、または超える製品または物品をもたらし得る。このように、上記の説明に従って、またはそれに照らして製造され得る様々なタイプのレジリン材料からなる、レジリン材料を使用した、またはレジリン材料を組み込んだかかる製品は、従来のエラストマーで可能な便益を超える便益を、本明細書に記載のレジリン材料を皮革に代えて用いることによって実現され得る生態学的、環境的、および人道的利益に加えて、消費者および製造業者に提供し得る。
【００８６】
レジリン組成物を含む履物
前述の説明によれば、一実施例では、本明細書に記載されるレジリン材料は、様々なタイプの石油系エラストマー（例えば、酢酸エチルビニル（「ＥＶＡ」））の代替を含む、エラストマー材料で形成され得る、または通常形成される、（本明細書で考察され、本明細書の記載に基づいて理解されるであろう様々なタイプの履物の中）履物の様々な部分のうちのいずれかを含む、様々なタイプおよび形態の履物に組み込まれ得る。
様々な形態において、本明細書に記載のレジリン材料は、多くのタイプの靴で、靴の「アウター」のすべてまたは一部、ならびに靴のアッパーの様々な部分に、またはいくつかのタイプの履物で、アッパー全体に使用され得る。かかる事例では、本明細書に記載されるレジリン組成物の特定の実装例が、適切な特性を有する材料を導出するために使用され得、かかるレジリン材料が、特定の履物の部分または構成要素に従って、所望の形態に加工または製造された状態で、その様々な非限定的な例が本明細書で考察される、履物物品の様々なエラストマー部分に使用され得る。
【００８７】
図１に例示される実施形態を参照すると、参照番号１０は、一般的に靴、具体的には、スニーカーの形態の靴を指定する。本明細書で考察されるように、「スニーカー」という用語は、履物のタイプに関して使用される場合、その特定のスタイル上の実装、および一般に受け入れられるフレームワーク内の特定の構造に関するものを含む、多くの実用的な変形が可能なスタイルおよび構造を意味する。さらに、スニーカーは、様々なタイプの活動または使用のために設計および構築され得、様々なタイプのスニーカーが、それらのスニーカーを様々な範囲の特定範囲の活動および使用に適したものにする、様々な範囲のスタイル上または機能上の汎用性を示す。
【００８８】
この点に関して、図１に例示される靴１０は、「アスレチック」スニーカーとして特徴付けられ得るが、描写された履物のスタイルを説明するために「スニーカー」という用語に関連して「アスレチック」という用語を使用することは、かかる履物が、任意の特定のタイプの運動活動のために、または任意の運動競技のために厳密に使用されるか、さもなければ使用可能であることを暗示または要求することでは全くない。一例では、履物物品は、運動活動のために使用されるか、または運動活動を意図しているかどうかにかかわらず、かかる履物を包含するように、単に運動用履物のスタイルまたは構造のものであるか、またはそれを連想させるものであり得る（例えば、以下に記載されるように、アスレチックスニーカーまたは運動用履物の他の変形としての、またはそれらに類似する「ライフスタイル」、「アスレジャー」、またはファッションフットウェアスタイル）。さらに、図面の参照を含めて、本明細書になされる説明は、説明され図示される履物に関する単なる例示であり、そのため、スタイルまたはフィットのために、および／または本明細書に記載された原理および構造に基づいて様々な目的または条件に好適な履物を作製するために、本明細書に記載された履物に対して変形がなされ得る。さらに、構造および製造技術が、特定のスタイルの履物（例えば、アスレチックスニーカー）に関して本明細書で考察されることがあるが、１つのタイプの履物に関して考察されるかかる構造および製造技術は、他のタイプの履物（例えば、ハイキングブーツ、サンダル（スポーツサンダルを含む）、アスレジャー、ライフスタイルなど）に関して本明細書で考察される同等の構造および製造技術の許容可能な代替であり得る。
【００８９】
引き続き図１を参照すると、図示のスニーカー１０は、スニーカーの典型的な構造の例示であり、アッパー１２、ミッドソール１４、およびアウトソール１６を含み、アッパー１２は、着用者の足を受容するのに一般的に適した内部１８を画定し、アウトソール１６は、着用者の足の下の地面に接触するスニーカー１２の部分を形成する。この点に関して、描写されたスニーカー１０の構造は、一般的に他のタイプの履物の典型であり、組み合わせられたミッドソール１４およびアウトソール１６は、総称して履物の「アウター」と呼ばれる得、描写されたミッドソール１４およびアウトソール１６以外の様々な形態で使用され得ることに留意されたい。一実施例では、アウターは、以下でさらに考察されるように、別個のアウトソールに通常含まれる接地面の少なくとも一部がレジリン材料のミッドソール内に形成され得るように、許容される耐摩耗性を示すレジリン材料のミッドソールからなり得る。図１の実施例に示されるように、ミッドソール１４は、アッパー１２とアウトソール１６との間に位置付けられ、アウトソール１６によってなされる特に地面との衝突中に、足の裏のための支持および緩衝を提供する。
【００９０】
図２に見られるように、アッパー１２の内部１８は、一般に、その下部において、（以下でさらに考察されるように、特定の構築方法に応じて）アッパー１２が、アッパー１２の下側周縁２２の周りに、またはそれに隣接して固定されるラスティングボード２４によって囲まれる。ラスティングボード２４および／または周縁２２に隣接するアッパー１２の部分は、同様に、ラスティングボード２４がミッドソール１４の上に位置付けられた状態で、ミッドソール１４に固定される。インソール２４（図３）は、ラスティングボード２４の上の内部１８内に配置され得る。インソール２０は、ユーザーにさらなる快適さを提供するために、およびラスティングボード２４を周縁２２の周りに取り付けるために使用されたステッチを覆うために、少なくともある程度クッション性であり得る。一態様では、インソール２０はまた、本明細書に記載されるように、レジリン材料を含むか、または完全にレジリン材料からなり得、所望のエネルギー吸収および／または触覚的品質を示し得る。これは、インソール２０を完全にレジン材料から製造することによって、またはレジン材料がインソール２０のための緩衝層を提供するように、レジン緩衝層を布、皮革、菌糸体材料の薄い層などで覆うことによってなされ得る。さらに、インソール２０は、以下で考察される様々な実施例による、コーティングされたレジリン材料からなり得る。
【００９１】
図１および２に見られるように、現在説明されているスニーカー１０は、アッパー１２の様々な部分に対応するストック材料のいくつかの個々のセクションからアッパー１２が製造される「カットアンドソー」プロセスを使用して製造されるスニーカー、特にアッパー１２の例示である。特に、個々のセクションは、必要に応じて、アッパー１２の所望の最終形態によって決定される平坦な２次元形状にストック材料から切り出され、アッパー１２に所望の３次元形態を少なくとも部分的に与える様々な縫い目に沿って一緒に縫製される。かかる縫製は、縫い目に沿った様々な接着剤の使用によって増強され得、アッパー１２の内部１８の所望の形状に対応する靴型上で全体的または部分的に実施され得る。特に、ラスティングボード２４は、通常、描写されたアスレチックスニーカー１０および同様の履物の典型的な構造に関して、靴型上でアッパーに縫い付けられ、周縁２２を画定するアッパー１２の材料部分をラスティングボード２４と、隣接する縁と縁の縫い目で接合する特殊な機械を使用して、「ストロベル」ステッチを使用して完成される。結果得られる、組み立てられたアッパー１２とラスティングボード２４とを含む「ストロベルソック」が、次に、ミッドソール１４に固定され、この固定は、ほとんどの場合、接着剤などを使用して行われる。いくつかの形態の構造では、以下でさらに考察されるように、ラスティングボード２４とミッドソール１４との間の固定は、ブレイクステッチなどのステッチを使用するか、またはミッドソール１４に取り付けられた特徴と関連付けられたアッパー１２の特定の領域に沿ったステッチを使用して、増強または完了され得る。
【００９２】
理解され得るように、アッパー１２のピースおよびセクションは、一般に、アッパー１２の特定の領域に対応し得るが、スニーカー１０の所望のスタイル上の外観、ならびにアスレチックスニーカー１０の所望のフィット、柔軟性、および支持（これらは、アスレチックスニーカーの意図される使用によって影響を受け得るか、または決定され得る）に依存するそれらの特定の形状および配置に応じて変化し得る。図１および２の例示的な図では、アッパー１２の様々な部分は、つま先２６、およびつま先２６からアスレチックスニーカー１０のスロート３０まで上向きに延在するつま先革２８を含み得る。舌革３２は、つま先革２８からスロート３０に沿って上向きに延在し、対向するクォーター３４は、つま先２６から後方に延在して、アッパー２０のそれぞれの側面に沿って下側周縁２２の部分を画定し、かつスロート３０から離れて下方に延在する。ヒールカウンター３６は、着用者のかかとの周りで２つのクォーター３４ａ、３４ｂの間を接続するように、アッパーの後部の周りに延在する。さらに、内側および外側のカラー部分３８は、ヒールカウンター３６から上向き、かつそれぞれの内側および外側のクォーター３４から後方に延在して、アッパー１２のトップライン４０のそれぞれの部分を画定し得る。ヒールタブ４２は、ヒールカウンターの上に位置付けられ、それぞれのカラー３８の最後端間を接続して、トップライン４０の後部セクションを画定する。インナーライナー４４（図３）は、アッパー１２のすべてまたは一部を通じて延在して、アッパー１２の内部１８を画定し得、インナーライナー４４が沿って延在するアッパー１２の個々の外側部分に取り付けられ得る。
【００９３】
同様に、本描写されたミッドソール１４およびアウトソール１６を含むアウターは、様々な程度に互いに対して画定され得るか、または様々な特性によって定義され得るいくつかの異なる領域を含み得る。最も注目すべきことに、アウター（ミッドソール１４およびアウトソール１６）は、アウターが地面に対して支持する足の部分、およびかかる支持が達成される方法によって構築され、画定され得る。この点に関して、ミッドソール１４およびアウター１６の両方は、該当する場合、対応するヒール（または後足）５２部分、中足５４部分、および前足５６部分、ならびに内側５８部分および外側６０部分の観点から考察されることがある。様々な状況でかかる、部分の組み合わせを使用して、例えば、内側５８ヒール５２などを参照することによって、アウターの部分をより大きな、またはより小さな特異性で言及することができる。さらに、様々な領域内の様々な特定の部分が、特定の関連性を有し得、したがって、ヒールストライク６２、アーチ６４、中足骨頭領域６６（すなわち、母指球の下）、およびトゥスプリング６８を含む、特定の指定が与えられる。ミッドソール１４およびアウトソール１６の両方は、図示のスニーカー１０などの、履物物品の特定のタイプまたは特定の実装例の所望のフィット、緩衝性、安定性、トラクション、および美的品質を提供するために、ならびにスニーカー１０の任意の所望の重量特性を達成するために、これらの領域、サブ領域、または特定の領域の内部および間において、様々な材料、形状、構造などであり得、その様々な実施例が以下で考察される。
【００９４】
一般に、ミッドソール１４は、着用者の足（またはスニーカーなどのサイズ決めのための既知のスキームに従って、一連の着用者の足）の裏に解剖学的に対応するように構築され得る。かかる構築は、ヒール５２部分においてより大きな厚さ、かつ前足５６において比較的低い厚さを有するミッドソール１４を構築することを含み得、これにより、ヒール５２が、通常、前傾した足の姿勢でのストライド中に地面と最初に接触するときに、増大した材料の緩衝性がヒール５２のために提供され、そして、着用者の前足５６の下はあまり緩衝性を必要としないので、軽量化のために、前足の下には低減された材料が提供され得る。さらに、ヒールストライク６２部分は、かかる高衝撃領域においてさらに緩衝性を増大させるように、ならびに前足５６を地面に滑らかに接触させるために足の前転を促進するように、形成されるか、さもなければ構築され得る。同様に、トゥスプリング６８は、上向きであるか、さもなければランニングまたはウォーキング中などの着用者によるプッシュオフの労力を低減するように構築され得る。
【００９５】
中足５４内では、ミッドソール１４は、足が通常地面に接触しない領域の材料を除去することによって、軽量化を提供するように構築され得る。このように、ミッドソール１４は、少なくともミッドソールの内側５８で、ヒール５２および前足５６領域に対して上向きに延在するように構築され得る一方、一部の用途では、ミッドソール１４は、外側６０内で地面に近いままである。アウトソール１６は、内側５８の中足５４内の材料を除去することによって、または、図３に示されるように、アウトソール１６のどの部分も中足５４に沿って位置付けられていない状態で、別個のヒール部分と前足部分とに形成されることによってなどで、かかるミッドソール１４の構造に対応するように構築され得る。本明細書でさらに考察されるように、アウトソール１６は、異なる材料の組み込みによってなどで、ならびに上記で考察される様々な領域および領域に対応するアウトソール１６の他の部分内に、さらに構築され得る。ミッドソール１４は、足のかかとからつま先にかけての回転中、特にプッシュオフ中の筋肉の緊張を緩和するために、着用者のアーチの支持を提供するように、アーチ６４が上向きに延在するよう、中足５４内でさらに構築され得る。この点に関して、ミッドソール１４は、着用者のアーチ全体を通して完全に（すなわち、足の側部に沿って）上向きに延在しなくてよく、アッパー１２およびインソール２０（および／または特定のインサート）の一部が、ミッドソール１４から上方および内側に延在する足のアーチのための追加の支持を提供する。
【００９６】
図３の分解図に示されるように、ミッドソール１４は、上述の構造の実装例を達成するために、上述のレジリン組成物のうちの選択されたものを使用して、レジリン材料のいくつかの異なるピースから製造され得る。例示の実施例では、下部ミッドソール１４ａは、ヒール５２、中足部５４、および前足部５６を通ってなど、スニーカー１０の全長にわたって延長し得る。中間ミッドソール１４ｂは、同様に、下部ミッドソール１４ａ全体にわたって延在し得、下部ミッドソール１４ａと対照的に、緩衝性または外観に関して異なる特性を提供し得る。組み合わされた下部ミッドソール１４ａおよび中間ミッドソール１４ｂは、前足６６のために、少なくとも所望の緩衝および位置決めを提供し得る。ヒールウェッジ１４ｃは、中間ミッドソール１４ｂの上に位置付けられ得、一般に、ミッドソール１４のヒール５２部分を通って延在し得る。この点に関して、ヒールウェッジ１４ｃは、中足５４部分または前足５６部分内の薄い縁部まで先細りにされて、中間ミッドソール１４ｂへのスムーズな遷移をもたらし得る。さらに、ヒールウェッジ１４ｃは、中足５６の少なくとも内側５８部分に沿って上向きに延在するように構築されて、アーチ６４の少なくとも一部のための所望の支持を提供し得る。この点に関して、ヒールウェッジ１４ｃは、アーチ６４の位置決め、ならびに足の一般的な非対称性に対応するために、内側５８に沿ってさらに中足５６内に延在するように非対称であり得る。
【００９７】
理解され得るように、図１〜３に描写されたミッドソール１４の構造は、「レトロ」スタイルのスニーカー１０と呼ばれ得るものと類似しており、ミッドソール１４は、ＥＶＡなどのバルクポリマー発泡体の大型シートが、下部ミッドソール１４ａ、中間ミッドソール１４ｂ、およびヒールウェッジ１４ｃの所望の形状に切断され、次いで好適な接着剤を用いて一緒にセメントで固定される「カットアンドバフ」プロセスによって構築される。結果得られたアセンブリの露出した縁部、ならびにトゥスプリングおよびヒールキック領域が、次に、適切な機械上で研磨材を用いて「バフ加工」され、所望の最終形状の一貫した外縁を形成する。このようにして、ミッドソール１４の別個のピース１４ａ、１４ｂ、１４ｃが、所望の形状プロファイルおよび緩衝特性を達成するために、積層構造を利用しながら、まとまったユニットとして現れる。
【００９８】
本記載のレジン材料は、描写されたレトロなスタイルのミッドソールを達成するために、様々な実装例で使用され得る。一実施例では、レジリン材料は、特に上述の架橋および溶媒交換ステップによって、下部ミッドソール１４ａ、中間ミッドソール１４ｂ、およびヒールウェッジ１４ｃの所望の最大厚さに対応するシートに形成され得る（場合によっては、下部ミッドソール１４ａおよびヒールウェッジ１４ｃは、同じストックシートであってもよいことに留意されたい）。さらに、靴のミッドソール１４の１つまたはすべての部分に様々な発泡体（例えば、ＥＶＡ発泡体）を使用することが通常であるため、本ミッドソール１４のために使用されるレジリン材料（またはミッドソール１４の様々な部分１４ａ、１４ｂ、１４ｃに異なる材料が使用される実施例におけるレジリン材料のうちの少なくとも１つ）は、上記で一般的に論じられるように、発泡レジリン材料であり得る。所望の下部ミッドソール１４ａおよび中間ミッドソール１４ｂは、（サイズ、スタイル、および全体的な所望の構成に応じて）ミッドソール１４の所望のプロファイルに切断され得、ヒールウェッジ１４ｃは、所望のプロファイル（すなわち、ヒール領域５２内の下部および中間ミッドソール１４ａ、１４ｂのプロファイルにマッチした）および角度の付いたウェッジ形状の両方に切断され得る。
【００９９】
代替的に、個々のピース１４ａ、１４ｂ、１４ｃは、実際のプロセスから無駄な材料なしにカットアンドバフされたミッドソールの外観が達成されるように、追加の切断または成形を要しないように、上記の形状に直接成形され得る。一実施例では、かかる成形は、上述のように、ミッドソールのピース１４ａ、１４ｂ、１４ｃの所望の形状に対応するキャビティを有する金型を提供することと、かかるキャビティに、上述の精製および変性された組換えレジリン組成物を、レジリンタンパク質が金型内で架橋するように、上述の様々なタイプの架橋溶液と共に充填することと、によって達成され得る。この点に関して、架橋レジリン材料の塊は、一般に、金型のキャビティによって導出される形状を保持するであろう。様々な非水溶媒のうちの１つが、レジリン材料塊内に元々存在する溶媒と交換されて、ミッドソールのピース１４ａ、１４ｂ、１４ｃのための所望の組成物が達成され得る。溶媒交換プロセスは、成形レジリン材料のピース（例えば、１４ａ、１４ｂ、１４ｃ）のいくらかの収縮をもたらし得、この収縮は、交換前のレジリン材料体積の１０％〜４０％の範囲であり得、一実施形態では、約２５％であり得ることに留意されたい。この点に関して、成形ステップは、対応する金型キャビティのサイズおよび構成を適切に調整することによってなどで、決定または予測された収縮のレベルを評価するために実施され得る。
【０１００】
ミッドソール１４の上述の製造プロセスのいずれかの様々な実装例では、ミッドソール１４への全体的な組み込みに望ましいと判定される異なる特性を有する異なるミッドソールのピース１４ａ、１４ｂ、１４ｃを達成するために、異なる組換えレジリン、または異なる組換えレジリン化合物の異なる混合物、ならびに異なる架橋溶液および異なる非水溶媒が使用され得る。ある点において、下部ミッドソール１４ａの組成物は、所望のレベルのエネルギーリターンおよび／または弾力性を提供するように選択され得る一方、ヒールウェッジ１４ｃおよび／または中間ミッドソール１４ｂは、所望のレベルの緩衝性を提供するように選択され得る。さらにまたはあるいは、発泡レジリンの特定の特性は、ミッドソール１４の様々な部分１４ａ、１４ｂ、１４ｃおよび／またはミッドソール１４全体に有利な追加の特性を達成するように、特別に導出または制御され得る。一態様では、発泡レジリン材料を導出するための気泡の導入は、材料の比重を減少させ得、したがって、材料の全体量を効果的に低減することによってミッドソール１４の重量を低減するために、ミッドソール１４の他の要件または所望の特性に従って使用され得る。さらに、レジリン材料のマトリックス全体にわたって分散される気泡を導入することは、単なる比重の低減を超えて、固体全体の材料特性を変化させ得る。一態様では、気泡の存在は、２段階圧縮デュロメータ応答を示す発泡固体により、圧縮荷重の印加に対するミッドソール１４の応答を変化させ得る。この点に関して、発泡固体レジリン材料は、気泡が荷重下で崩壊するときの第１の圧縮デュロメータ応答を示し得、かかる応答は、空気が空隙から、および発泡固体全体から出る速度によって決まる（上述の気泡導入のステップに起因する連続気泡の場合）。第２の応答は、すべてまたはかなりの数のセルが崩壊すると示され、塊は、より固体になり、空隙が存在しない材料自体の応答により匹敵する、増加したデュロメータ応答を示す。
【０１０１】
様々な実施例では、気泡を導入するための異なる方法、ならびに異なる種類および量の添加剤、特定の架橋プロセスまたは薬剤などの使用は、様々なセルサイズを有する発泡体、したがって、結果得られる発泡レジリン固体の異なる特性をもたらし得る。一実施例では、増粘剤としてのヒュームドシリカ、および化学発泡剤としての重炭酸ナトリウムは、架橋前にレジリンに添加され得る。これらの添加剤は、導入プロセス中の気泡の均一な分布を促進し、完成した発泡レジリン固体中のより均一なセル分布をもたらし得る。ヒュームドシリカおよび／または重炭酸ナトリウムの量を変更することは、レジリン材料内の平均気泡サイズの１つの制御モードを可能にし得、かかる気泡の均一な分布を促進し得る。
【０１０２】
一実施形態では、ミッドソール１４は、精製された組換えレジリン材料をＰＢＳ中に約７．４のｐＨで溶解させることによって調製される固体レジリン発泡体の少なくとも１つの部分（部分１４ａ、１４ｂ、および１４ｃを含む）を含み得る。重炭酸ナトリウムが、化学発泡剤としてレジリン溶液に添加され得、この添加は、上記で考察されたように、気泡のサイズおよび分布を制御するために、様々な量の増粘剤としてのヒュームドシリカと組み合わせて行われ得る。様々な実施例では、６ｍｇ／ｍＬ〜２０ｍｇ／ｍＬの重炭酸ナトリウム（または０．２重量％〜２重量％）が、レジリン溶液に添加され得る。一般に、重炭酸ナトリウムは、重炭酸ナトリウムがゲル化を阻害することを防止するために、約３３ｍｇ／ｍＬの最大量で添加され得る。４重量％〜１０重量％の範囲の量のヒュームドシリカ（または他の増粘剤）のさらなる添加は、一般に、均等に分布した気泡を有するレジリン固体をもたらし得る（すなわち、以下に考察されるように、さらなる成分の添加を含む後続処理ステップ後に）。特定の実装例では、４重量％〜５重量％を含む比較的少量のヒュームドシリカの添加は、結果得られるレジリン材料内の約０．２ｍｍ〜２ｍｍの範囲の比較的大きな気泡をもたらす。ヒュームドシリカを５重量％を超える量（最大約１０重量％の量を含む）で添加すると、０．０５ｍｍ〜０．２ｍｍの範囲の気泡を含む、比較的小さな気泡（および増大した全体密度）を有する発泡レジリンがもたらされ得る。
【０１０３】
１００ｍＭ〜２２５ｍＭの濃度の過硫酸アンモニウムの溶液が、精製および増粘されたレジリンに添加され得る。キサンタンガムを、過硫酸アンモニウム溶液と組み合わせて使用して、増粘剤を上回って粘度をさらに増加させ、溶液内の気泡の捕捉をさらに援助することができる。様々な具体的な実装例では、過硫酸アンモニウムは、約１０重量％〜２０重量％の量、より具体的には、１３重量％〜１６重量％の量で添加され得る。かかる実装例では、キサンタンガムは、１％〜２％の量で添加され得る。架橋触媒は、発泡剤の添加の前または後に添加され得、熱または光のうちの１つによって活性化されるように選択され得る。一実施例では、白色光によって活性化されるルテニウム（ＩＩ）は、１０重量％〜２０重量％の量で使用され得る（他の触媒は、上述の実施例に従って、代替として使用され得る）。触媒および発泡剤を添加した後、溶液がボルテックスされて、レジリン材料内で気泡が発生することを可能にし得る。一実施例では、ボルテキシングは、約８０°Ｆの温度で３．５時間にわたって実施され得る。溶液がボルテックスされた後、溶液が、適切に（例えば、熱または光を使用して）架橋され得、一実施例でプロピレングリコールを使用することを含む上述のように、溶媒交換プロセスに供され得る。それぞれレジリンマトリックスＭ１およびＭ２内に分散した連続気泡Ｃ１およびＣ２、すなわち、比較的より小さいサイズおよび比較的より大きいサイズ、を有する発泡レジリン材料固体Ｓ１およびＳ２の実施例を図４に示す。
【０１０４】
追加または代替の実装例では、レジリンを架橋しながら、シリンジポンプを使用して溶解窒素を、レジリン材料内の気泡の主要なソース、または、前述のように、薬剤を使用して生成される気泡の補足として、導入することができる。一実装例では、（例えば、２２５または５５０ｍＭのいずれかの）過硫酸アンモニウム溶液が、ＰＢＳ中の（例えば、約２７重量％のレジリンの）レジリンの溶液に添加され得る。次いで、結果得られた溶液が、遠心分離され（例えば、約７２００ｒｅｆで約５分間）、シリンジポンプに添加され得る。次いで、ポンプが、窒素ガスでパージされ（例えば、約３分間）、続いて密封され得る。次いで、ポンプが、５００ｐｓｉまたは１６００ｐｓｉのいずれかに設定され、加熱され得る（例えば、約８３℃で約２時間〜約６時間）。圧力を解放した後、レジリンが、追加の間隔にわたって加熱され得る（例えば、約８３℃で約１時間〜約２時間）。これらの圧力での架橋は、おそらく溶解酸素の量の増加に起因して、大気圧での架橋よりも遅い速度で進行し得ることに留意されたい。上述のように、増粘剤の添加は、かかるプロセスを介して均一な発泡体をさらに可能にし得る。様々な発泡レジリン材料はまた、ゴルフボール、ソフトボールなどのコア、ハンドル、またはグリップ内に、例えば、ゴルフクラブまたはテニスラケットなどのスポーツ機器用に、自転車用グリップまたはバイク用グリップとして、またはハンマー、ネイルガン、ジャックハンマーなどの工具および工業的用途のグループとして、を含む、上述の追加の製品内に使用され得る。さらなる実施形態では、本明細書に提供される発泡レジリン材料は、ヘルメット、肘もしくは膝パッド、肩パッド、保護手袋、または安全帽などの保護具のパッドなどの安全および保護装置内で使用され得る。
【０１０５】
次いで、様々なサイズおよび対応する密度のセルを有する発泡レジリン材料をもたらすものを含む、上述のプロセスのいずれかによって導出されるミッドソール１４の別個のピース１４ａ、１４ｂ、１４ｃが、本レジリン材料との接着が、場合によっては、アセトンまたは同様の材料などのプライマー材料の事前適用によって増強される、適切な接着剤を使用して一緒に積層され得る。代替的に、架橋溶液の層が、レジリン材料のミッドソールのピース１４ａ、１４ｂ、１４ｃなどのピース間に適用され、次いで、これらのピースが互いに接触した状態に保持される、溶媒交換の前の追加の架橋ステップを使用して、本レジリン材料の複数のピースを一緒に固定することが可能であり得る。（特定の架橋溶液に応じて）熱および／または光を加えることは、これらのピース間の接触領域に沿ったタンパク質の所望の架橋を達成するのを助け得る。かかる架橋の後、ピース１４ａ、１４ｂ、１４ｃは一緒に接合され、溶媒交換ステップが実行され得る。
【０１０６】
上記の成形プロセスのさらなる変形例では、精製および変性された異なる組換えレジリン組成物を単一の金型内の、本実施例に例示されたピース１４ａ、１４ｂ、１４ｃを含むミッドソール１４の異なる部分に対応する層に添加すること、および単一の架橋溶液を層状の材料に適用して、複数の異なるタイプもしくはその中の他の部分の層内のレジリン材料を有する単一のミッドソール１４を得ること、が可能であり得、このミッドソール１４が、次に、溶媒交換に供されて、例示の層を含む、異なる領域において異なる特性を有するミッドソール１４を得ることができる。以下に考察される異なるミッドソール１４タイプに関連して、材料の他の変形を得るために、このようなプロセスが使用され得る。
【０１０７】
いくつかの実施例では、描写された層状構造は、上述の説明による、異なる構成および対応する特性を有する層１４ａ、１４ｂ、１４ｃを含み得る。特に、異なる層１４ａ、１４ｂ、１４ｃは、異なるセルサイズおよび／または密度を有する発泡レジリン材料からなり得る。一実施例では、最も外側の層１４ａは、保護およびエネルギーリターンのために構成されたより高い密度であり得、少なくとも中間層１４ｂは、緩衝性のためのより低い密度を有する。発泡および非発泡レジリン材料の様々な組み合わせを含む他の配置は、ミッドソール１４の所望の特性に従って実施され得る。理解され得るように、上述の説明による発泡レジリン材料は、インソール２０（図３）のすべてまたは一部、および（カラー３８および舌革３２内を含む）アッパー１２の様々なパッドなどにも使用され得る。
【０１０８】
追加の実施例では、発泡レジリン材料の一般的な効果（減少した比重、２段階のデュロメータ応答など）は、それらを積層または接着する前に、固体レジリン材料層から材料を除去することによって、達成され得る。一実施例では、いくつかのシート（３つの描写された層１４ａ、１４ｂ、１４ｃより多くのものを含む）は、約１ｍｍ〜５ｍｍの間の１つの例示的な厚さを含む、様々な厚さで作製され得る。これらのシートを様々なパターンに切断し、様々な層間でのパターンの不一致を伴って材料を除去して、積層後の発泡材料中のセルの分布を模擬することができる。様々な実施例では、シートは、ダイ、ウォータージェット、レーザーなどを使用して、在庫のパターンまたはミッドソール１４の所望の形状のいずれかに切断され得る。後者の例では、パターンは、ミッドソールのサイズまたは構成に従って変化させ、大きさを変えることができ、そうしたことは、穴がミッドソール１４の縁と交差しないことを確実にするため、および／または様々な領域において様々な密度特性を有するミッドソール１４を達成するために行われ得る。さらに、固体層は、アウトソール１６との接着のためを含む、ミッドソール１４の閉じた滑らかな外面を提供するための最外層として提供され得る。これらの層は、所望の構成に配置された後に、一緒に接着され得るか、または再架橋され得る。さらに、これらの層は、それらが、異なる特性を有する描写された層１４ａ、１４ｂ、１４ｃなど、異なる全体的な層内に配置され得るように、サブ層であり得る。
【０１０９】
層状構造の一実施例が図５Ａおよび５Ｂに示されており、３つのサブ層１４ａ1、１４ａ2、および１４ａ3は、それらの中に孔または穿孔９６を有して示されている。図５Ａに示されるように、最も外側のサブ層１４ａ1および１４ａ3は、中央のサブ層１４ａ2の穿孔９６からオフセットされた穿孔９６を有する。図５Ｂに示されるように、サブ層１４ａ1、１４ａ2、１４ａ3が積み重ねられると、外側のサブ層１４ａ1および１４ａ3の穿孔９６は、中央のサブ層１４ａ2の穿孔９６からオフセットされた様式で互いに整列する。描写されたパターンは、追加のサブ層内で繰り返されて、所望の厚さの層１４ａなどのミッドソールの層を提供し得る。さらなる実施例では、ミッドソール１４全体は、かかる構造のものであり得る。図６に示されるように、穿孔は、ミッドソールの領域間などで、サイズを変化させ得る。一実装例では、比較的より小さい穿孔９６ａは、例えば、ミッドソール１４のアーチ領域６４内に位置付けられ得る、ミッドソール１４のより密度の高い部分を提供するように位置付けられ得る。比較的より大きな穿孔９６ｂは、例えば、ミッドソール１４のヒールストライクエリア６２に位置付けられ得る、ミッドソール１４の比較的より柔らかい部分を提供するように位置付けられ得る。既知のミッドソールの構造および本明細書で提供される追加の実施例に従って、他の実施例および配置が可能である。図７Ａおよび７Ｂに示されるさらなる実施例では、円または標準穿孔以外の様々な幾何学的形状の孔が使用され得る。かかる形状は、不規則または均一であり得、および／またはミッドソール１４の異なる領域で変化し得、いくつかの実装例では、一緒に積層されたとき（図７Ｂ）の層１４ａ1、１４ａ2、１４ａ3の間の開口９８の様々な配置（図７Ａ）に基づいて、いわゆるマクロ構造をもたらすように導出され得る。かかる構造は、負荷中に、または負荷された（すなわち、Ｘ、Ｙ、またはＺ軸のうちの１つの方向に）ときに特定の部分が、別の方向に（すなわち、Ｘ、Ｙ、またはＺ軸に沿って）収縮し得るか、さもなければ負荷に応答してデュロメータ応答を増加させ得るように応力を受けたときに、負荷中の非対称または逆のポアソン比を含む、負荷中の非対称特性を呈し得る。かかる特性は、いくつかの実装例では、特定のミッドソール１４および／またはその特定の領域のニーズに合わせて調整され得る。
【０１１０】
図３に関して続けると、ミッドソール１４の上記の層状構造はまた、ミッドソール１４内への内部シャンク７０の組み込みを提供し得る。一般に、描写された実質的に平坦な「クレジットカード」シャンク７０などのシャンクは、中足５４であって、着用者の足がある程度の（すなわち、ヒール５２よりも高い）柔軟性を示し、その結果、多くの潜在的な着用者が、ランニング中または横方向に急に変化するときなど、中足５４内の繰り返しの負荷および除荷を通じて、足の足底筋肉および隣接する軟組織内の緊張または疲労を経験する、中足５４を通じて、構造剛性をミッドソール１４に提供するのに役立つ。この点に関して、シャンク７０によって提供される剛性は、ミッドソール１４の屈曲を、足の関節が最も柔軟である前足５６内に局在化させる一方、インソール２０を、中足領域５４を通して着用者の足とのより一貫した接触に維持し、筋肉の緊張を低減し、アーチ６４内の足のための増大した支持を提供する。例示の実施例では、シャンク７０は、様々なプラスチック、炭素繊維強化ポリマー（「ＣＦＲＰ」）、Ｋｅｖｌａｒ（登録商標）強化ポリマー、鋼（バネ鋼など）などの高剛性および高弾性変形を有する、（リブが付けられるか、さもなければ全体的に平坦な特性を維持しながら剛性を増加させるように形成され得る）一般的に平坦な材料のピースからなる。かかるシャンク７０は、図示されるように、下部ミッドソール１４ａと中間ミッドソール１４ｂとの間を含む、ミッドソール１４の層１４ａ、１４ｂ、１４ｃの間に積層され得る。さらに示されるように、シャンク７０は、切断されたレジリンシートの追加処理（例えば、研磨または機械加工）によって、または上述の成形プロセス中に、下部ミッドソール１４ａ内に形成されたキャビティ７２に挿入され得る。
【０１１１】
上述の様々な実施例のいずれかに従って製造された上述のミッドソール１４、および図１〜３のミッドソールの説明および描写に基づいて理解されるであろうさらなる様々な変形は、典型的な発泡構造のミッドソール１４に関連してかかる目的のために使用される様々なセメントまたは接着剤を使用することなどで、アウトソール１６と接着され得る。いくつかの実施例では、（少なくともアウトソール１６が存在する領域における）ミッドソール１４の表面は、選択されたセメントまたは接着剤を適用する前に、ミッドソール１４のレジリン材料の特定の組成に応じて、接着を向上するためにプライマー材料で処理され得る。溶媒系接着剤（セメントとも称される）は、ミッドソール１４をアッパー１２に固定することを含む、かかる目的のために使用されており、一般に、比較的低コストかつ迅速な固定時間および高い作業性を有するものとして受け入れられている。かかる溶媒系接着剤およびセメントは、それらが、アウトソール１６をミッドソール１４に固定するため、およびミッドソール１４をアッパー１２に固定するため、ならびにレジリン材料の異なるピースで形成されたミッドソール１４の様々な部分を一緒に取り付けるためなどでエラストマーと共に使用され得るのと同じ方法で、現在のレジリン材料のスニーカー１０のパーツまたは部分と共に使用され得る。より具体的には、アウトソール１６をミッドソール１４に固定するために、またはアッパー１２およびラスティングボード２４の両方の後部とミッドソール１４との間に固定されるヒールスタビライザー６２を含む、追加の要素をアッパー１２に固定するために、かかる接着剤が使用され得る。
【０１１２】
場合によっては、紫外線（「ＵＶ」）硬化接着剤または紫外線活性化接着剤を使用して、溶媒系接着剤の全部または一部を置き換えることができる。かかるＵＶ硬化接着剤またはＵＶ活性化接着剤は、アクリル系セメントまたは変性エポキシ材料を含み得る。いずれの場合も、この化合物は、ＵＶ光に曝露されると化学反応を受け、その反応で副生成物の放出を引き起こす光開始剤を含む。これらの副生成物は、残りの化合物と相互作用して、化合物の硬化を引き起こすか、または硬化をもたらす反応を開始する。光開始剤の組み込み、光開始剤に対する依存性は、セメントまたは接着剤が、適用からの短い期間内ではなく、「オンデマンド」（例えば、アクリルセメント中の空気への曝露、またはエポキシの場合、混合）で硬化することを可能にする。これにより、アッパー１２および／またはミッドソール１４の様々な部分を接着剤でコーティングすることが可能になり得、各かかるピースは、所望の他のピースまたは要素との固定の準備ができたときに、活性化される。様々な熱活性化接着剤が、同様の方法で使用され得る。一般に、かかる接着剤は、特定の閾値温度を超える熱の適用時に凝固させられるか、または（例えば、エポキシの場合）硬化のための触媒として熱を使用し得る。一実施例では、熱活性化接着剤は、必要に応じて、組み立てられたスニーカー１０で適用され、その後、接着剤の凝固を開始または促進させるために熱トンネルを通されて、完成した構成要素または製品をもたらす。いくつかの用途では、接着剤は、熱活性化接着剤を凝固させるために熱が加えられる前に、ピースまたは構成要素が縫製なしに組み立てられ得るように、初期状態で比較的より低レベルの接着を示し得る。
【０１１３】
さらに、溶媒は、揮発性有機化合物（「ＶＯＣ」）または他の（可燃性であり得る）汚染化学物質を含むことが多いため、水系接着剤およびセメントが、溶媒系化合物の代替として機能するように開発されている。
一実施例では、例えば、ポリウレタン接着剤は、接着剤の凝固には化合物から水が蒸発することが必要なので、一次「溶媒」として水を有し得る。したがって、加熱を使用して、接着剤の凝固を加速するか、または引き起こさせることができる。さらに、固定される材料の予熱も、凝固プロセスを加速させるのに役立ち得る。水系接着剤は、本スニーカー１０の製造を含む、靴の製造での使用に水系接着剤を有利にする特定の特性を提供し得る。水系接着剤は、材料の低減された剛性を示し得、十分に噴霧可能でありながら、凝固前に材料内への吸収を防止する比較的高い粘度で作製され得る。したがって、上記と同じ方法で、水系接着剤は、要素をアッパー１２に固定するために、またはアッパー１２およびラスティングボード２４をミッドソール１４で固定するために使用され得る。
【０１１４】
また上述のように、アウトソール１６は、密度、耐摩耗性、接着性などを含む望ましい特性のために選択されたゴム（様々な合成ゴムなどを含む）の１つ以上の部分から形成され得る。いくつかの実装例では、アウトソール１６はまた、ゴム（合成ゴムを含む）に所望され得るものと同様の所望の密度および耐摩耗性を達成するために、上述のプロセスの選択された変形例に従って製造され得るレジリン材料からなり得る。かかる実施例では、アウトソール１６は、上述のように、スニーカー１０の意図される使用に基づいて変化し得る所望の接地パターンを達成するために、レジリン材料で成形され得る。上述のように、アウトソール１６は、ミッドソール１４の外表面７４全体の上に適用され得る（すなわち、地面に最も近い表面）。図１〜３の例示の変形例では、アウトソール１６は、地面との接触がなされる、および／またはグリップもしくは耐久性が所望される領域においてミッドソール１４に固定され得る（様々な特性を含む）アウトソール材料のいくつかのピースを備え得る。
【０１１５】
図１および２に戻ると、反対側のアウトソール１６、ミッドソール１４が、アッパー１２に固定され得る。上述のように、かかる接着はまた、その一方または両方が、セメントもしくは接着剤の適用前に、プライマーなどで前処理され得るアッパー１２およびミッドソールとの所望の接着を達成するように選択されたセメントもしくは接着剤を使用して達成され得る。例示されるように、本実施例のアッパー１２は、ミッドソール１４が、主にラスティングボード２４、ならびに（上述の、アッパー１２の様々な部分の周りに画定される）アッパー１２の露出部分の周囲２２の隣接部分に接着されるように、ストロベル構造をしている。示されるように、ヒールスタビライザー７４は、ヒール５２の周囲に沿って、ミッドソール１４とアッパー１２との間に組み立てられ得、ヒールスタビライザー７４の部分は、ミッドソール１４およびヒールカウンター３６の隣接部分に沿ってそれぞれ上方および下方に延在する。ヒールスタビライザー７４は、着用者のかかとの周りの領域に構造および保護を追加し得、ミッドソール１４とびアッパー１２との間の領域の両方で、ならびにスタビライザー７４によって接触される領域におけるそれらの側面に沿って、アッパー１２およびミッドソール１４の両方とセメントで接着されることによって、ヒール５２の周りのミッドソール１４とアッパー１２との間の接着性を改善し得る。いくつかの実装例では、完成したミッドソール１４は、ミッドソール１４を封入するため、および／またはさもなければ露出したレジリン材料を含み得るミッドソール１４の部分に望ましい視覚的または触覚的品質を提供するために、ポリウレタン、Ｂａｒｇｅ（登録商標）セメントなど、またはトウモロコシ系プロラミンタンパク質ゼインなどの様々なトウモロコシまたはタンパク質系の材料を含む仕上げ材の層でコーティングされ得る。この点に関して、コーティングはまた、追加のプライマーが必要とされないように、接着剤またはセメントによって接着性を向上し得る。一般に、好適なコーティングまたは仕上げ材は、コーティングの剥離またはき裂を防止するために、それらが適用されるレジリン材料のものと同等の弾性特性を有する。
【０１１６】
図８〜１０を参照すると、よりパフォーマンス指向の履物に使用するために以前に開発されたスタイル上の特性および組み立て特性を組み込んだライフスタイルスニーカー１１０の変形が示されている。一態様では、スニーカー１１０に関連して使用されるアッパーは、単一のピース、すなわち「シームレス」アッパー、またはその変形であり得る。かかるアッパーは、様々なタイプの「テクニカル」テキスタイル材料を含む、様々な織りまたは編みテキスタイル材料であり得る。かかるテキスタイル材料は、様々な天然または合成繊維からなり得、様々な３Ｄ編みプロセスを使用して、アッパー１１２の一般的な形状に形成され得る。あるいは、アッパー１１２は、図１〜３に示されるものと同様の非シームレス構造を含む、天然または合成皮革で作製され得る。
【０１１７】
スニーカー１１０は、成形されたエラストマー発泡体を組み込んだものと同様な、または類似する構造のレジリン材料からなるか、またはレジン材料を含むアウターを含み得る。かかるアウターは、ＥＶＡ、またはＥＶＡなどを含む様々な複合材料などの発泡材料からなるミッドソールを含み得、発泡材料は、未硬化状態で金型に注入され、金型内で硬化して、上述の形態などの、従来のカットアンドバフのミッドソールで可能であるよりもより有機的または非晶質な形態を含み得る、所望の形状を達成し得る。同様に、ＥＶＡなどの熱可塑性発泡体をストックの形態に切断し、熱下で圧縮成形して、同様の効果を達成することができる。いくつかの用途では、成形されたミッドソールは、互いに相互係合するように切断された発泡体の異なるピースを単一の金型内で圧縮成形することによってか、または異なる発泡体を金型内に同時に（例えば、デュアルショット射出成形）もしくは順次（インサート成形）注入することによって達成される、組成、密度などで、いくつかの異なる発泡材料を含み得る。図３に関連して上記考察されたものと同様の方法で、本レジリン材料は、上述の同時または順次成形プロセスのいずれかと同様のプロセスにおいて、複数の材料で成形されて、上記で一般的に考察され、かつ追加の実施例で以下に考察されるように、弾力性、緩衝性、耐摩耗性などを含む、様々な目的のための異なる特性の複数の材料を有する成形レジリンミッドソール１１４を達成し得る。様々な実装例では、例示のミッドソール１１４は、材料の所望の特性を達成するように、上記の説明に従って構成され得る、上記の発泡レジリン材料の変形例のいずれかによる発泡レジリン材料からなり得る。
【０１１８】
例示の成形レジリンミッドソール１１４は、体型に合わせたフットベッド１７６を含み得る。さらに、成形によって提供されるミッドソール１１４の形状の変形は、ヒールストライクエリア１６２、ならびにトゥスプリング１６８の両方の形状の調整を可能にして、様々な目的に好適なミッドソール１１４を作製することを可能にし得る。本実施例では、ミッドソール１１４は、比較的薄く、約１／８インチ〜１／２インチの間で上向きに延在し、ヒールカウンター１３６およびつま先２５に沿ってなど、ヒール１５２および前足１５６に隣接するアッパー１１２の部分に沿って追加の保護またはトラクションを提供する、ミッドソール１１４のそれぞれの部分によって画定されるヒールラップ１７８およびトウラップ１８０の両方を含むように示されている。さらに、ヒールラップ１７８およびトウラップ１８０の存在により、比較的大きな応力を受けることが多い領域において、ミッドソール１１４とアッパー１１２との間の接着のための追加の領域が提供され得る。
【０１１９】
図１０にも示されるように、ミッドソール１１４は、その外側部分（すなわち、アッパー１１２と反対側の接地側）に沿って様々な成形された特徴を含み得る。さらに、スニーカー１１０のアウターは、ミッドソール１１４が、かかる領域に追加のアウトソール１１６材料が存在しない状態での少なくともいくつかの使用シナリオ中、ミッドソール１１４の部分に沿って地面に接触するように構成され得る。このように、ミッドソール１１４は、アウトソール１１６の一部によって覆われていないミッドソール１１４の領域内に、様々な形態のトレッド１８４または他のトラクション生成特徴を有して構成され得る。図１０の特定の実施例では、ミッドソール１１４は、その上に追加のアウトソール材料を伴わずに示されており、アウター全体は、アウトソールがミッドソール１１４上に効果的に画定されるように、ミッドソールの接地部分全体に沿って分散されたトレッド１８４を含むミッドソール１１４で構成されている。使用可能な様式でかかる構成を達成するために、ミッドソール１１４は、（スニーカー１１０が意図された特定の目的のために許容されるレベルの緩衝性および／または反発性を維持しながら）耐摩耗性のために、少なくともその外側部分に沿って、および／または（示された一般的な形態か、または様々な性能およびスタイル上の考慮のために選択される一般的な形態の変形であり得る）トレッド１８４を画定する部分に沿って、最適化された特定のレジリン材料からなり得る。非限定的な一実施例では、かかる材料は、架橋前に、好適な特性を有するヒュームドシリカ、または別の凝集体、もしくは繊維を、最大約２０重量％の量で、精製されたレジリン材料に添加することによって達成され得る。レジリン材料へのヒュームドシリカの添加は、架橋後、（以下に考察されるように）より高い耐摩耗性およびより高いデュロメータ応答を有する材料をもたらす。一実施例では、結果得られた材料は、ミッドソール１１４の一部（例えば、接地部分か、さもなければアウトソールを含むであろう領域内）のみに使用され得、ミッドソール１１４の残りの部分は、緩衝性のより高い（すなわち、ヒュームドシリカを有しないか、またはヒュームドシリカが少ない）レジリン材料で形成される。かかる構造は、一実施例では、ミッドソール１１４の異なる部分を別々に形成し、材料を一緒に接着または架橋することによって達成され得る。別の実施例では、以下でさらに考察されるように、デュアルショットまたはインサート成形構造が使用され得る。さらなる実施例では、ミッドソール１１４は、金型が、精製されたレジリンで部分的に充填され得、次いで、このレジリンが十分に架橋されて第１の材料を導出し得る、「機能性傾斜」構造であり得る。次いで、金型が、第１の材料の架橋よりも低い程度の追加の架橋を伴って、完全に充填され得る。結果得られる複合材料は、架橋の程度が異なるそれぞれの領域に、２つの異なる特性を示し得る。特に、このプロセスは、上述の凝集材料を用いて、または用いずに実行され得る。別の実施例では、同じまたは異なる組成の固体レジリン材料が、上述のコーティングのいずれかを含む耐摩耗性コーティングで被覆され得る。
【０１２０】
上述のミッドソール１４の実装例と同様に、図８〜１０に示されたミッドソール１１４は、ミッドソール１１４に剛性および支持を提供するシャンク１７０（図９）を、上述の方法で組み込み得る。ミッドソール１１４は、その中にシャンク１７０を確実に受容するためのいくつかの方法のうちの１つに適合され得る。例示の実施例では、ミッドソール１１４は、上述のシャンク７０の変形例と同様の構造であり得るシャンク１７０の上に成形され得る。このように、ミッドソール１１４を形成するために使用される金型は、架橋前に、精製されたレジリンタンパク質を添加する前に、シャンク１７０を金型内に保持するように適合され得、この保持は、金型内の宙吊り位置でシャンク１７０を支持し得るサポートを金型内に含むことによって達成され得る。様々な実施例では、ポストが、金型と統合され得、成形されたミッドソール１１４からのポストの除去によってプリセットされた任意の穴が、より精製および変性されたレジリンタンパク質の添加によってなどで、追加のレジリン材料で充填され得、充填されたれた追加のレジリン材料は、かかる穴の充填後に架橋され得る。別の実施例では、かかる穴は、レジリン材料からなる前もって製造されたプラグで充填され得るか、またはシャンク１７０は、成形中にポストがミッドソール１１４と一体化するように、レジリン材料または他の適合性のある発泡体を使用して、前もって製造されたインサート上に支持され得る。別の実施例では、シャンク１７０は、ミッドソール１１４内のキャビティ内に接着され得、シャンク１７０上に接着され得るレジリン材料シートまたは他の発泡体のインサートによって覆われ得る。別の実施例では、シャンク１７０は、以下にさらに記載されるのと同様の方法で、ミッドソール１１４と共にインサート成形され得るか、またはミッドソール１１４の外面に沿ってミッドソール１１４の外側に接着され得る。
【０１２１】
別個のアウトソールの代わりにミッドソール１１４に沿ったトレッド１８４の形成によってなどで、本構造のミッドソール１１４は、ライフスタイルスニーカー１１０の形態のスニーカーの本実施形態に好適であり得ることが理解されよう。特に、スニーカー１１０の接地部分、したがって主要トラクション源のための現在説明されている成形レジリン材料の使用は、ウォーキングおよびスタンディングを含む日常の使用に十分適したレベルのグリップを有するスニーカー１１０をもたらし得、中級の軽いランニングまたはジョギングに必要な十分なグリップを提供する一方、ミッドソール１１４によって提供される究極的な量のグリップは、横方向の急な変化が必要とされる（テニスなど）滑らかな表面上で行われる運動活動（バスケットボールなど）、または追加の足元の保護が所望され得る他の活動（トレイルランニングなど）での使用には十分ではない可能性がある。しかしながら、ミッドソール１１４の潜在的に低減されたグリップはオフセットであり得るが、ミッドソール１１４が全体的にスニーカー１１０に付与する向上した柔軟性および軽量による快適さにおいてゲインであり得る。同様に、柔軟性および軽量におけるかかるゲインは、ランニングおよびジョギングを含む特定の運動活動にも有利であり得るため、本実施形態のものと同様のミッドソール１１４を有するスニーカー１１０の変形が、ランニングスニーカーとしての使用に適合され得る。かかる変更は、少なくともヒール１５２領域に、向上した弾力性または反発性を有するレジリン材料を使用すること、またはヒールストライク１６２およびトゥスプリング１６８領域内などの高衝撃領域内にアウトソール材料の小さなセグメントを組み込むことによって、含み得る。一実施例では、ミッドソール１１４の外側部分（例えば、最も下側の接地部分および目に見える側壁）は、所望の耐摩耗性およびトラクションを提供すると共に、任意の外側特徴に十分な支持を提供するために、固体レジリン材料からなり得る一方、ミッドソール１１４は、発泡レジリン材料のコアを有し得る。かかる構造を達成するために、ミッドソール１１４は、一緒に接着または架橋されて単一のミッドソール１１４にされ得る、別個の内側部分および外側部分に形成され得る。
【０１２２】
図１１および１２に示されるように、上述の一般的な構成のミッドソール２１４、３１４は、サンダル２１０、３１９のアウターとしての使用に適合され得る。図１１に示される実施例では、サンダル２１０は、フリップフロップの一般的な形態であり、ミッドソール２１４は、図８〜１０に示されるものと同様の様式に構成され、サンダル２１０のアウター全体は、上述の発泡レジリン材料からなるなどの、上述のミッドソール１１４と同様の成形レジリンミッドソール２１４を備える。このように、ミッドソール２１４は、ミッドソール１１４のものと同様のレジリン材料で作製されて、サンダル２１０の他の固有の特徴または所望の特性のための可能性のある調整を伴って、所望の耐摩耗性を提供し得る。示されるように、ミッドソール２１４は、顕著なアーチ２６４を伴うなど、体型に合わせたフットベッド２７６を有して成形され得る。さらに、ミッドソール２１４は、ストラップ２８８が、他のタイプのフリップフロップスタイルのサンダルと同様の様式で通って付着し得る穴２８６を有して成形され得る。
【０１２３】
様々な実施例では、穴２８６は、ストラップ２８８の円板状またはＴ字形の頭部が、スナップフィットまたは圧入の様式で穴２８８の一部内に受容され得るように、および／または接着剤などによる恒久的な固定を可能にするように構成され得る。上記でも考察されたように、ミッドソール２１４は、アウトソールがミッドソール２１４上に適用されないように、または上記でも考察されたように、アウトソール材料の小さな部分のみがミッドソール２１４の特定の領域内に適用されるように、
サンダル２１０の所望のトラクションおよびスタイル上の考慮のために導出されるパターンで、図１０に示されるものと同様に、トレッドを有して成形され得る。描写されたストラップ２８８は、例示に過ぎず、スタイルおよびフィットのために異なって構成され得る。ストラップ２８８は、熱可塑性エラストマーなどの様々なプラスチック、ゴム、皮革（または菌糸体材料などの皮革の代替物）、テキスタイル（織タイプおよび様々な不織タイプの両方）、または成形または裁断されたレジリン材料を含む、任意の数の材料またはそれらの組み合わせからなり得る。
【０１２４】
代替の実施形態では、図１１に示されるものと同様のフリップフロップタイプのサンダルは、上述のように、スニーカー１０と関連して使用されるミッドソール１４と同様の積層形態で、レジリン材料のカットシートストックから作製され得る。かかる実施形態では、ストラップ２８８の端部は、穴２８６がミッドソール２１４を通って途中までしか延在しない状態で、層間に埋め込まれ得る。
【０１２５】
サンダル３１０のさらなる実施形態が図１２に示されており、サンダル３１０は、内側３５８から外側３６０まで、ミッドソール３１４の側壁３９０に沿って固定された単一ストラップ型アッパー３１２を有するスライドの形態である。さらに示されるように、サンダル３１０は、（全体または部分的に発泡レジリン材料を含む）レジリン材料のミッドソール３１４と、サンダル３１０の接地面を画定する、ミッドソール３１４に接着された別個のアウトソール３１６と、を含み得る。ミッドソール３１４は、図１１に関して上述したのと同様の様式で成形され得、他の構成が可能であるが、例示のように、図１１のフットベッド２７６と比較して追加の輪郭を示し得る、体型に合わせたフットベッド３７６を画定し得る。
【０１２６】
図１２にも示されるように、アッパー３１２は、ミッドソール３１４およびアウトソール３１６のそれぞれの部分の間に延在し得、これにより、接着剤などによって達成され得る、アッパー３１２のミッドソール３１４およびアウトソール３１６への取り付けのための追加の表面積が提供され得る。一実施例では、アッパー３１２は、ミッドソール３１４の下全体に延在して、ミッドソール３１４の内側３５８と外側３６０側とを接続し得、それによってアッパー３１２を、組み立てられたアウターにさらに固定する。このおよび同様の構造では、ミッドソール３１４は、その下に延在するアッパー３１２の任意の部分を収容するような方法で成形され得る。描写されたアッパー３１２は、バックルまたは他の調整機構を有する１つ以上のストラップを組み込むことによってなどで、本開示と整合性のあるいくつかの既知の代替形態を取り得、着用者のかかとの周りに延在する追加のストラップなど、および／または着用者のつま先の上の全体的もしくは部分的なエンクロージャ（すなわち、下駄）を含み得る。これらの構成のいずれかにおいて、アッパー３１２は、熱可塑性エラストマーなどの様々なプラスチック、ゴム、皮革（または菌糸体材料などの皮革の代替物）、テキスタイル（織タイプおよび様々な不織タイプの両方）、または成形または裁断されたレジリン材料を含む、任意の数の材料またはそれらの組み合わせから作製され得る。
【０１２７】
図１３〜１５を参照すると、アスレチックスニーカーに組み込まれた、図８〜１０に関して上述したものと一般に同様の成形レジリンミッドソール４１４を組み込んだスニーカー４１０のさらなる実施例が示されている。かかる実施形態では、アッパー４１２は、様々な理解された技術に従って、および様々な既知の特徴を組み込むことによって、異なる運動活動またはそれらの組み合わせに好適なスニーカー４１０（およびその変形）を作製するための様々な性能に基づく基準を満たすように構成され得る。本実施形態によるスニーカー４１０は、重量を低減し、柔軟性を高めるための縫い目の一般的な低減によって、ならびに足の保持および安定性を向上するのに役立つように、クォーター４３４に沿って補強材４９２を組み込むことによってなどで、そのように構成され得る。同様に、ミッドソール４１４は、図１〜１０に関して上述したライフスタイルスニーカー１０および１１０のためのミッドソール１４および１１４の実装例で優先され得る全体的な緩衝性および快適さを超える、様々なタイプの運動活動に所望される様々な性能特性を提供するように構成され得る。
【０１２８】
一実例では、スニーカー４１０は、足の保持を促進し、不快感を誘発することなくタイトなフィットを可能にする特定の特徴を有する軽量アッパー４１２を提供することによって、ランニングに適合され得る。かかる構成では、ミッドソール４１４は、（上述のように、アウター４１６によって覆われるミッドソール４１４の量の低減を可能にすることによってなどで）軽量化のために構成され得る。さらに、ミッドソール４１４は、疲労を低減するのに十分な程度の緩衝性を提供するように構成され得るが、かかるエネルギーの放散ではなく、リターンを促進する可能性がある。本明細書に記載のレジン材料の様々な組成物は、上述の溶媒交換ステップのために使用されるレジン組成物および架橋材材料、ならびに非水溶媒の特定の選択によってなどで、かかるエネルギーリターンを提供するように使用され得る。さらに、様々な材料を架橋前にレジリン材料に添加して、複合材料を導出することができる。
【０１２９】
一実施例では、かかる添加剤は、ミッドソール４１４のために使用される全材料（レジリンタンパク質を含む）の約２重量％〜約２０重量％を示すヒュームドシリカを含み得る。一実施形態では、レジリンミッドソールは、総重量で約１０％のヒュームドシリカを組み込み得る。このおよび他の凝集添加剤は、ミッドソール４１４の全体的な堅さ／剛性を増大し得、同様に、ミッドソール４１４材料の弾性率を増大し得る。さらなる実施例では、異なる領域で異なる特定のレジリン材料組成物からなるミッドソール４１４は、様々な活性への適合性をさらに助長し得る。一実施例では、比較的高密度のレジリン材料４１４ａは、残りのミッドソールを貫く材料４１４ｂと比較して、特にランニング中のオーバープロネーションの管理において安定性制御を提供するために、外側４６０を含む、内側４５８に沿ってヒール４５２および中足４５４領域に使用され得る。先の発泡ミッドソールに関連して使用されるかかる構造の他の実施例が、様々なレジリン材料組成物を使用して同様に導出され得る。さらに、レジリン材料は、様々な領域（ヒールストライク４６２の上、および前足４５６の中足骨頭領域４６６など）における緩衝性を促進するために、様々なエラストマーのものを含む様々な非レジリンインサート４９４上に成形され得る。いくつかの変形例では、かかるインサート４９４は、ミッドソール４１４によって提供される適切な保護を有するインサート４９４のために、より柔らかいエラストマーまたは様々な液体さえ使用され得るように、ミッドソール４１４内の内部ポケット内にあり得る。様々な他のタイプのアスレチックスニーカーは、同様に、テニス、バスケットボールなどを含む、かかる活動に所望される特性を提供するように構成されたレジリン材料のミッドソールを組み込み得る。
【０１３０】
上述のように、ミッドソール４１４のために使用されるレジリン材料は、上述の様々な実施例および構成に従った発泡レジリン材料または積層穿孔構造体であり得る。このように、ミッドソール４１４ａおよび４１４ｂの様々な部分は、セルサイズなどを含む、発泡体の変形例によって達成される異なる特性（例えば密度）を有する発泡レジリン材料からなり得る。さらなる実施例では、ミッドソール４１４は、例えば、その所望の特性のための様々な構成に従って、レジリン材料（すなわち、固体レジリン材料）のビーズを製造することによって達成され得る独立気泡発泡体構造のものであり得る。レジリンビーズは、ミッドソール４１４用の金型内に配置されて再架橋され、ビーズを一緒に接合してミッドソール４１４の全体形状にし得る。この配置では、ビーズは、ビーズが金型内に配置されたときに、空隙がビーズ間に存在し、ビーズが、空隙によってセルを囲むように十分な相互接触を達成するように、一般的に球形の様々なサイズのものであり得る。このように、異なるサイズのビーズが複合構造体内で一緒に使用され、所望の独立気泡構成を提供し得る。さらに、異なる配置の異なるビーズが、ミッドソール４１４の様々な領域（図１４に示された、領域４１４ａおよび４１４ｂを含む）で使用されて、独立気泡レジリン発泡材料の異なる特性を提供し得る。
【０１３１】
図１５にさらに示されるように、ミッドソール４１４は、ミッドソール４１４の外面の一部に沿って延在し、アウトソール４１６の下にあるミッドソール４１４の部分に固定される成形外部シャンク４７０を組み込み得る。シャンク４７０のかかる実装例は、射出成形ポリマー（すなわち、様々なプラスチック）、炭素繊維強化ポリマー、またはＫｅｖｌａｒ強化ポリマーからなり得、所望の性能およびスタイル上の特性を達成する様々な形状のものであり得る。図示のように、シャンク４７０は、ミッドソール４１４とは別個に製造され得、接着剤などを使用してミッドソール４１４に固定され得、その後、アウトソール４１６が、シャンク４７０の上を含む、ミッドソール４１４に組み立てられる。別の実施例では、ミッドソール４１４は、所望のレジリンタンパク質の添加およびその架橋の前に、ミッドソール金型内にシャンク４７０を位置付けることによって、シャンク４７０の上に成形され得る。例示のミッドソール４１４およびその理解された変形例による様々な実装例では、ミッドソール１１４は、必要に応じて、柔軟性の増加した局所領域を提供するための様々なフレックスノッチ４８２を含み得る。
【０１３２】
レジリン材料は、上記の原理の適用に基づいて、さらなるタイプの履物に組み込まれ得る。上述のように、靴のインソール（例えば、インソール２０）は、（レジリン材料の潜在的な生体適合性により）最上面を含め、本レジリン材料で作製され得る。かかるンソールは、インサートまたはスクリムの上にレジリン材料を成形して、インソールの強度およびその裂けに対する耐性などを向上させることによってなどで、補強を組み込み得る。現存のレジリン材料の変形例からなるインソールは、ドレスシューズ、作業靴、ブーツなど、ほぼあらゆるタイプの履物に使用され得る。さらに、成形レジリン材料のインサートは、既存のタイプのミッドソールに類似するか、さもなければ同様の様々なタイプのミッドソール内に組み込まれ得る。かかる一実施例では、緩衝のために最適化されたレジリン材料の成形インサートが、レジリンインサートを中に隠す様式で受容するための内部キャビティを有する一般的に伝統的な皮革などのミッドソールを製造することによってなどで、ドレスシューズのミッドソールの中に組み込まれ得る。同様のインサートが、発泡材料の運動用ミッドソールを含む、他のタイプのミッドソール内に同様に組み込まれ得る。さらに、成形レジリン材料は、上述のライフスタイルスニーカー１１０のアウターとしてのミッドソール１１４の使用と同様の様式で、ドレスシューズのアウターとして使用され得る。さらに、本明細書で考察されるタイプのレジリン材料は、靴の舌革３０およびカラー３８領域、またはパッドが中に組み込まれる他の領域内を含む、様々なタイプの靴の他のどこかに使用される様々な発泡体を置き換えるために使用され得る。
【０１３３】
上述のように、アッパーの上述した部分の形状および構成は、あくまでも例示であり、異なる外観、ならびに異なるフィットおよび性能特性（柔軟性、支持、重量など）を達成するために変更され得る。
【０１３４】
いくつかの点で、一般にエラストマーに匹敵するレジリンの特性は、エラストマー製のスニーカーのミッドソールの組み立てに使用されるものと同一または同等のパラメータおよび装置を用いる上記の技術を使用して上記の組み立てを完了することを可能にし得、同様の外観、および確立した技術および既存の機械を使用する効率性をもたらす。この点に関して、レジリン材料は、一般に、熱可塑性でないので、いくつかの典型的なエラストマーとは異なる様式で成形が実行される。しかしながら、レジリン材料は、本明細書に開示される履物の製造に有用であり得る、エラストマーで使用される他の処理および製造技術に適している可能性がある。
【０１３５】
レジリン材料を使用する上記の技術および製造方法はまた、エラストマーからかかる履物の部分を作製するために使用される技術と一般に同様の技術を使用することによって、上記の様々なタイプ（スリッパ、サンダル、モカシン、ボートシューズ）を含む他のタイプの履物を製造するために使用され得、一方、レジリン材料の多くの追加の特性を活用して、上記の原理および変形例に従って、かかる履物およびその構造にさらなる利点を提供し得ることを理解されたい。このように、様々なスタイルのドレスシューズ、ブーツなどのミッドソールも、本レジリン材料で作製され得る。一用途では、レジリン材料は、特定のスタイルのブーツ（例えば、デザートブーツ）およびドレスシューズで使用される「クレープソール」に類似するように導出および加工され得る。他の同様の用途も可能である。
【０１３６】
記載のデバイスおよび他の構成要素の構造は、任意の特定の材料に限定されないことが、当業者によって理解されるであろう。本明細書に開示されるデバイスの他の例示的な実施形態は、本明細書に別段の記載がない限り、多種多様な材料から形成され得る。
【０１３７】
また、上記の実施例に示されるような、物品の要素の構造および配置は、単なる例示に過ぎないことに留意することも重要である。本革新の少数の実施形態のみが本開示で詳細に説明されているが、本開示を再検討する当業者は、列挙された発明特定事項の新規の教示および利点から著しく逸脱することなく、多くの修正が可能（例えば、様々な要素のサイズ、寸法、構造、形状および割合、パラメータの値、取り付け配置、材料の使用、色、向きなど）であることを容易に認識するであろう。例えば、一体的に形成されているように示された要素が、複数の部品で構築されてもよいか、または複数の部品として示されている要素が、一体的に形成されてもよく、インターフェースの操作が、逆にされるか、さもなければ変化されてもよく、システムの構造および／または部材またはコネクタまたは他の要素の長さまたは幅が、変化されてもよく、要素間に提供される調整位置の性質または数が、変化されてもよい。したがって、かかる修正はすべて、本革新の範囲内に含まれることが意図される。他の置換、修正、変更、および省略が、本革新の趣旨から逸脱することなく、望ましいおよび他の例示的な実施形態の設計、動作条件、および配置においてなされ得る。
【０１３８】
任意の記載されたプロセス、または記載されたプロセスの任意のステップが、他の開示されたプロセスまたはステップと組み合わされて、本考案の範囲内の構造を形成し得ることが理解されるであろう本明細書に開示された例示的な構造およびプロセスは、説明目的のためであり、限定するものと解釈されるべきではない。
【０１３９】
変形および修正が、本考案の概念から逸脱することなく、前述の構造および方法に対してなされ得ることも理解されるべきであり、さらに、このような概念は、以下の特許請求の範囲がそれらの言葉で別段に明確に述べない限り、これらの特許請求の範囲によって包含されることが意図されることを理解すべきである。
【０１４０】
上記の説明は、例示された実施形態のみのものと見なされる。当業者およびデバイスを製造または使用する者にとって、デバイスの修正はどうしても発生するものである。したがって、図面に示され、上述された実施例は単なる例示を目的としたものであり、物品の範囲を限定することを意図するものでなく、物品の範囲は、均等論を含む特許法の原理に従って解釈されるよう、以下の特許請求の範囲によって定義される。
【国際調査報告】
2021531107.tif 000020
2021531107.tif 000021
2021531107.tif 000022